(57)【特許請求の範囲】
【請求項１】
遮蔽電気リボンケーブルであって
前記ケーブルに沿って長手方向に延び、前記ケーブルの幅に沿って互いに離間する複数の導体セットであって、各導体セットは１つ以上の絶縁導体を含み、前記導体セットは第２導体セットに隣接する第１導体セットを含み、前記第１及び第２導体セットはそれぞれ一対の絶縁導体のみを有する、複数の導体セットと、
前記ケーブルの対向する側に配置された第１及び第２遮蔽フィルムであって、前記第１及び第２フィルムはカバー部分及び挟まれた部分を含み、これは横方向断面において、組み合わされた前記第１及び第２フィルムの前記カバー部分が各導体セットを囲み、組み合わせた前記第１及び第２フィルムの前記挟まれた部分が、各導体セットのそれぞれの側に前記ケーブルの挟まれた部分を形成する、第１及び第２遮蔽フィルムとを含む、遮蔽電気リボンケーブルであって、
前記ケーブルが平坦に配置される際、前記第１導体セットの絶縁導体の対の中心間隔は、σ１であり、前記第１及び第２導体セットの中心間隔はΣであり、Σ／σ１は、２．５〜３の範囲である、遮蔽電気リボンケーブル。
【請求項２】
前記導体セットのそれぞれは一対の絶縁導体のみを含み、前記導体セットが全体として、σａｖｇの、絶縁導体の対の平均中心間隔を有し、全体として、Σａｖｇの隣接する導体セットの平均中心間隔を有し、Σａｖｇ／σａｖｇは、２．５〜３の範囲である、請求項１に記載のケーブル。
【請求項３】
前記組み合わされた第１及び第２遮蔽フィルムの前記カバー部分が、各導体セットの外辺部の少なくとも７５％を囲むことによって、各導体セットを実質的に囲む、請求項１に記載のケーブル。
【請求項４】
前記第１導体セットが、３〜１５ＧＨｚの範囲の特定の周波数で、１メートルケーブル長さにおいて、クロストークＣ１によって特徴付けられる、隣接する絶縁導体の間の高周波分離を有し、
第１導体セットと第２導体セットとの間の高周波分離は、前記特定の周波数におけるクロストークＣ２によって特徴付けられ、Ｃ２はＣ１よりも少なくとも１０ｄＢ低い、請求項１に記載のケーブル。
【請求項５】
前記第１及び第２遮蔽フィルムの少なくとも一方と電気接触する第１ドレインワイヤーを更に含む、請求項１に記載のケーブル。
【請求項６】
前記第１ドレインワイヤーが、最も近い導体セットの最も近い絶縁ワイヤーへのドレインワイヤー距離σ１によって特徴付けられ、前記最も近い導体セットがσ２の絶縁導体の中心間隔によって特徴付けられ、σ１／σ２が０．７超である、請求項５に記載のケーブル。
【請求項７】
前記複数の導体セットが、少なくとも８つの導体セットを含み、各導体セットは一対の絶縁導体のみを含み、前記ケーブルの前記幅は前記ケーブルが平坦に配置された際に１６ｍｍ以下である、請求項５に記載のケーブル。
【発明の詳細な説明】
【技術分野】
【０００１】
本発明は一般的に、データ伝送に好適な遮蔽電気リボンケーブル、及び関連する物品、システム並びに方法に関連し、マス終端することができ、高速電気特性を提供するリボンケーブルに対する特定の用途を有する。
【背景技術】
【０００２】
電気信号の伝送用の電気ケーブルが周知である。電気ケーブルの１つの一般的なタイプは同軸ケーブルである。同軸ケーブルは概して、絶縁体によって包囲された導電性ワイヤーを含む。ワイヤー及び絶縁体は遮蔽部材によって包囲され、ワイヤー、絶縁体、及び遮蔽部材はジャケットによって包囲されている。電気ケーブルの他の一般的なタイプは、（例えば金属箔によって）形成された遮蔽層によって包囲された１つ以上の絶縁信号導体を含む遮蔽電気ケーブルである。遮蔽層の電気的接続を促進するために、更なる絶縁されていない導体が、遮蔽層と信号導体の絶縁体との間に提供される。電気ケーブルのこれらの一般的なタイプは、双方とも、通常は、終端に関して特別に設計されたコネクタの使用を必要とし、マス終端技術の使用、すなわち、例えば電気コネクタの電気接点、又はプリント回路基板上の接点要素などの、個々の接点要素への、複数個の導体の同時接続に関しては、好適ではない場合が多い。電気ケーブルは、これらのマス終端技法を促進するために開発されてきたが、これらのケーブルはしばしば、それらを量産する能力、それらの終端端部を調製する能力、それらの可撓性、及びそれらの電気性能において制約を有する。
【発明の概要】
【発明が解決しようとする課題】
【０００３】
高速電気及び電子構成要素における進歩という観点から、高速信号を伝送することができ、マス終端技法を促進し、費用効率が高く、かつ多くの用途で使用することができる電気ケーブルに対する必要性が引き続き存在する。
【課題を解決するための手段】
【０００４】
固有かつ有益な特性及び特徴を有する高速データ伝送に適合した遮蔽電気ケーブル、加えてこのようなケーブルを使用するシステム、並びにこのようなケーブル及びシステムに関する方法を開発してきた。ケーブルは典型的にはほぼ平坦又はリボンの形態にあり、多数のチャネル又は導体セットがケーブルの長さ寸法に沿って延在し、ケーブルの幅寸法に沿って互いに離間している。
【０００５】
いくつかのケーブルは限定的なケーブル幅において高いパッキング密度を提供し、好ましくは一方で、十分な高周波電気分離及び／又はケーブルの異なるチャネル又は導体セット間の低いクロストークを維持する。いくつかのケーブルは、オンデマンド又は局部的ドレインワイヤー特性を提供する。いくつかのケーブルは、多数のドレインワイヤーを提供し、ドレインワイヤーをケーブルの反対側の端部の異なる終端構成要素に、異なる様式で取り付ける。いくつかのケーブルは混合導体セット（例えば、高速データ伝送に適合された１つ以上の導体セット、及びより低い速度のデータ伝送又は電力伝送に適合された１つ以上の導体セット）を提供する。いくつかのケーブルはこれらの有益な設計特性の１つのみを提供し得る一方で、他のものはこれらの特性のいくつか又は全ての組み合わせを提供し得る。
【０００６】
本出願はしたがって、とりわけ、１つ以上の絶縁導体、及びケーブルの対向する側の第１及び第２遮蔽フィルムをそれぞれ含む、導体セットを含み得る遮蔽電気リボンケーブルを開示する。横方向断面において、遮蔽フィルムのカバー部分は、各導体セットを実質的に囲んでもよく、フィルムの挟まれた部分は、各導体セットのそれぞれの側にケーブルの挟まれた部分を形成してもよい。高密なパッキングが達成され得る一方で、導体セット間の高周波電気分離を維持する。ケーブルが平坦に配置されるとき、Ｓ／Ｄｍｉｎの値は１．７〜２の範囲であり得、Ｓは２つの隣接する導体セットの最も近い分離導体の間の中心間隔であり、Ｄｍｉｎはこのような最も近い絶縁導体の外径の小さい方である。あるいは、一対の絶縁導体のみを有する第１及び第２導体セットは、Σ／σが２．５〜３の範囲内であるという条件を満たすことができ、ここでΣは導体セットの中心間隔であり、σは導体セットの１つの絶縁導体の対の中心間隔である。
【０００７】
いくつかの場合において、複数の導体セットの隣接する導体セットの各対が、１．７〜２の範囲のＳ／Ｄｍｉｎに対応する値を有し得る。いくつかの場合において、各導体セットは一対の絶縁導体のみを有してもよく、値Σａｖｇ／σａｖｇは２．５〜３の範囲であってもよく、σａｖｇは様々な導体セットにおける絶縁導体の対の平均中心間隔であり、Σａｖｇは隣接する導体セットの間の平均中心間隔である。いくつかの場合において、組み合わされた第１及び第２遮蔽フィルムのカバー部分が、各導体セットの外辺部の少なくとも７５％を囲むことによって、各導体セットを実質的に囲む。いくつかの場合において、第１導体セットが３〜１５ＧＨｚの範囲の特定の周波数で、１メートルケーブル長さにおいて、クロストークＣ１によって特徴付けられる、隣接する絶縁導体の間の高周波分離を有してもよく、第１導体セットと第２導体セットとの間の高周波分離は、その特定の周波数におけるクロストークＣ２によって特徴付けられてもよく、Ｃ２はＣ１よりも少なくとも１０ｄＢ低くてもよい。いくつかの場合において、遮蔽フィルムの一方又は両方が誘電性基材上に配置された導電性層を含み得る。いくつかの場合において、ケーブルは、第１及び第２遮蔽フィルムの少なくとも一方と電気的に接触する第１ドレインワイヤーを含み得る。第１及び第２遮蔽フィルムの第２カバー部分は、横方向断面において、第１ドレインワイヤーを実質的に囲み得る。第１ドレインワイヤーは、最も近い導体セットの最も近い導体ワイヤーまでのドレインワイヤー間隔σ１によって特徴付けられてもよく、最も近い導体セットは、絶縁された導体の中心間隔σ２によって特徴付けられてもよく、σ１／σ２は０．７超であり得る。
【０００８】
ケーブルはまた、少なくとも８つの導体セットを含んでもよく、各導体セットは、一対の絶縁導体のみを有し、ケーブルの幅は平坦に配置された際に１６ｍｍ以下であってもよい（ケーブルが少なくとも１つ又は２つのドレインワイヤーを含む場合であっても）。この小さな幅寸法は、平坦なケーブルが、その幅が１５．６ｍｍである標準的な４チャネル又は４レーンミニＳＡＳパドルカードの一端に接続することを可能にし得る。このような構成において、４つの高速遮蔽送信対、及び４つの高速遮蔽受信対が、多数のリボンケーブルをこのようなパドルカードに接続することを必要とせずに、１つのリボンケーブルのみを使用してミニＳＡＳパドルカードに適合され得る。１つのリボンケーブルのみをパドルカードに取り付けることが、製造速度を増加させ、複雑性を低減し、かつ、１つのリボンケーブルは積み重ねた２つのリボンケーブルよりも容易に屈曲するために、より高い可撓性及びより小さい屈曲半径を可能にする。
【０００９】
ケーブルは、パドルカード又は基材の第１端部から第２端部までそれぞれ延在する複数の導電経路をその上に有する他の基材と組み合わされてもよい。ケーブルの絶縁導体の個別の導体は、基材の第１端部における導電経路の対応するものに取り付けられてもよい。いくつかの場合において、対応する導電経路の全てが、基材の一方の主表面上に配置されてもよい。いくつかの場合において、対応する導電経路の少なくとも１つが、基材の一方の主表面上に配置されてもよく、対応する導電経路の少なくとも別の１つが、基材の反対側の主表面上に配置され得る。いくつかの場合において、導電経路の少なくとも１つが、基材の第１主表面上において、第１端部で第１部分を、基材の反対側の第２主表面上において第２端部で第２部分を有し得る。いくつかの場合において、導体セットの交互のものが、基材の表裏をなす主表面上の導電経路に取り付けられてもよい。
【００１０】
本出願はまた、複数の導体セット、第１遮蔽フィルム及び第１ドレインワイヤーを含む遮蔽電気ケーブルを開示する。複数の導体セットは、ケーブルの長さに沿って延在してもよく、かつケーブルの幅に沿って互いに離間していてもよく、各導体セットは１つ以上の絶縁導体を含む。第１遮蔽フィルムはカバー部分及び挟まれた部分を含んでもよく、これらはカバー部分が導体セットを被覆し、挟まれた部分が各導体セットの各側部上のケーブルの挟まれた部分に配置されるように構成される。第１ドレインワイヤーは、第１遮蔽フィルムと電気的に接触してもよく、またケーブルの長さに沿って延在してもよい。第１遮蔽フィルムへの第１ドレインワイヤーの電気接触子は、少なくとも第１処理領域で局部化され得る。
【００１１】
第１処理領域における、第１遮蔽フィルムへの第１ドレインワイヤーの電気的接触は、２Ω未満の直流抵抗によって特徴付けられ得る。第１遮蔽フィルムは第１処理領域及び第２領域で第１ドレインワイヤーを被覆してもよく、第２領域は少なくとも第１処理領域と同等に長く、第１ドレインワイヤーと第１遮蔽フィルムとの間の直流抵抗は第２領域において１００Ωより大きいことがある。誘電体材料は第２領域において第１ドレインワイヤーを第１遮蔽フィルムから分離してもよく、第１処理領域においては、誘電材料により、第１ドレインワイヤーの第１遮蔽フィルムからの分離が殆ど又は全く存在しないことがある。
【００１２】
関係する方法において、複数の導体セット、第１遮蔽フィルム及びドレインワイヤーを含む、ケーブルが提供されてもよい。第１遮蔽フィルムはカバー部分及び挟まれた部分を含んでもよく、これらはカバー部分が導体セットを被覆し、挟まれた部分が各導体セットの各側部上のケーブルの挟まれた部分に配置されるように構成される。第１ドレインワイヤーは、ケーブルの長さに沿って延在してもよい。本方法は、第１処理領域においてケーブルを選択的に処理し、第１処理領域において、第１ドレインワイヤーの第１遮蔽フィルムへの電気接触を局部的に増加させるか、又は形成することを更に含み得る。
【００１３】
第１処理領域において第１ドレインワイヤーと第１遮蔽フィルムとの間の直流抵抗は、選択的な処理工程の前において１００Ω超であり、選択的な処理工程の後において２Ω未満であり得る。選択的な処理は、第１処理領域においてケーブルに選択的に力を適用する工程を含み得る。選択的な処理は、第１処理領域においてケーブルを選択的に加熱する工程を含み得る。ケーブルがケーブルの長さに沿って延在するが、第１ドレインワイヤーから離間した第２ドレインワイヤーも含み、選択的な処理が、第１遮蔽フィルムへの第２ドレインワイヤーの電気接触を実質的に増加又は形成させないことがある。いくつかの場合において、ケーブルは、第２遮蔽フィルムを更に含んでもよく、選択的な処理はまた、第１処理領域における、第１ドレインワイヤーの第２遮蔽フィルムへの電気的接触を局部的に増加又は確立させ得る。
【００１４】
本出願はまた、複数の導体セット、第１遮蔽フィルム並びに第１及び第２ドレインワイヤーを含む遮蔽電気ケーブルを開示する。複数の導体セットは、ケーブルの長さに沿って延在してもよく、かつケーブルの幅に沿って互いに離間していてもよく、各導体セットは１つ以上の絶縁導体を含む。第１遮蔽フィルムはカバー部分及び挟まれた部分を含んでもよく、これらはカバー部分が導体セットを被覆し、挟まれた部分が各導体セットの各側部上のケーブルの挟まれた部分に配置されるように構成される。第１及び第２ドレインワイヤーが、ケーブルの長さに沿って延在してもよく、少なくともこれら両方が第１遮蔽フィルムと電気接触することの結果として、互いに電気接続してもよい。例えば、第１遮蔽フィルムと第１ドレインワイヤーとの間の直流抵抗は、１０Ω未満、又は２Ω未満であり得る。このケーブルは、ケーブルの第１端部において１つ以上の第１終端構成要素、及びケーブルの第２端部において１つ以上の第２終端構成要素と組み合わされてもよい。
【００１５】
このような組み合わせにおいて、第１及び第２ドレインワイヤーは、ケーブルの長さに沿って延在する複数のドレインワイヤーの部材であってもよく、数ｎ１のドレインワイヤーが１つ以上の第１終端構成要素と接続してもよく、数ｎ２のドレインワイヤーが１つ以上の第２終端構成要素に接続し得る。数ｎ１は、ｎ２と異なり得る。更に、１つ以上の第１終端構成要素は、全部で数ｍ１の第１終端構成要素を有してもよく、１つ以上の第２終端構成要素は、全部で数ｍ２の第２終端構成要素を有してもよい。いくつかの場合において、ｎ２＞ｎ１、及びｍ２＞ｍ１である。いくつかの場合において、ｍ１＝１である。いくつかの場合において、ｍ１＝ｍ２である。いくつかの場合において、ｍ１＜ｍ２である。いくつかの場合において、ｍ１＞１、及びｍ２＞１である。
【００１６】
一部の場合には、第１ドレインワイヤーは、１つ以上の第１終端構成要素と電気的に接続することができるが、１つ以上の第２終端構成要素とは、電気的に接続することができない。いくつかの場合において、第１ドレインワイヤーは１つ以上の第２終端構成要素と電気的に接続することができるが、１つ以上の第１終端構成要素と電気的に接続することができない。
【００１７】
本出願はまた、複数の導体セット及び第１遮蔽フィルムを含む遮蔽電気ケーブルを開示する。複数の導体セットは、ケーブルの長さに沿って延在してもよく、かつケーブルの幅に沿って互いに離間していてもよく、各導体セットは１つ以上の絶縁導体を含む。第１遮蔽フィルムはカバー部分及び挟まれた部分を含んでもよく、これらはカバー部分が導体セットを被覆し、挟まれた部分が各導体セットの各側部上のケーブルの挟まれた部分に配置されるように構成される。有利なことに、複数の導体セットは、高速データ伝送に適合された１つ以上の第１導体セットと、電力伝送又は低速データ伝送に適合された１つ以上の第２導体セットを含み得る。
【００１８】
電気ケーブルはまた、ケーブルの第１遮蔽フィルムから反対側に配置される第２遮蔽フィルムを含み得る。いくつかの場合において、ケーブルは、第１遮蔽フィルムと電気的に接触し、ケーブルの長さに沿って延在する、第１ドレインワイヤーを含み得る。例えば、第１遮蔽フィルムと第１ドレインワイヤーとの間の直流抵抗は、１０Ω未満、又は２Ω未満であり得る。１つ以上の第１導体セットは、σ１の中心間隔を有する複数の第１絶縁導体を含んでもよく、１つ以上の第２導体セットは、σ２の中心間隔を有する複数の第２絶縁導体を含む第２導体セットを含んでもよく、σ１はσ２よりも大きくすることができる。１つ以上の第１導体セットの絶縁導体は全て、ケーブルが平坦に配置される際に、単一平面に構成され得る。更に、１つ以上の第２導体セットは、ケーブルが平坦に配置された際に、積み重ねた構成で複数の絶縁導体を有する、第２導体セットを含み得る。１つ以上の第１導体セットは、少なくとも１Ｇｂｐｓ（すなわち、１ギガビット／秒、又は約０．５ＧＨｚ）から最大、例えば２５Ｇｂｐｓ（約１２．５ＧＨｚ）以上の最大データ伝送速度、又は少なくとも１ＧＨｚの最大信号周波数に適合させることができ、１つ以上の第２導体セットは、１Ｇｂｐｓ（約０．５ＧＨｚ）未満又は０．５Ｇｂｐｓ（約２５０ＭＨｚ）未満の最大データ伝送速度、例えば、１ＧＨｚ又は０．５ＧＨｚ未満の最大信号周波数に適合させることができる。１つ以上の第１導体セットが、少なくとも３Ｇｂｐｓ（約１．５ＧＨｚ）の最大データ伝送速度に適合され得る。
【００１９】
このような電気ケーブルは、ケーブルの第１端部に配置される第１終端構成要素と組み合わされてもよい。第１終端構成要素は、基材及びその上に複数の導電経路を含んでもよく、複数の導電経路は、第１終端構成要素の第１端部上に構成された、各第１終端パッドを有する。第１及び第２導体セットの遮蔽導体は、第１終端構成要素の第１端部で、第１終端パッドの各１つに、ケーブルの遮蔽導体の構成に適合するような順序構成で、接続してもよい。複数の導電経路は、第１端部の第１終端パッドのものとは異なる構成の、第１終端構成要素の第２端部上に構成される、対応する第２終端パッドを有し得る。
【００２０】
関連する方法、システム、及び物品も述べられる。
【００２１】
本願のこれらの態様及び他の態様は、以下の詳細な説明から明らかとなろう。しかし、決して、上記概要は、請求された主題に関する限定として解釈されるべきでなく、主題は、手続処理の間補正することができる添付の特許請求の範囲によってのみ規定される。
【図面の簡単な説明】
【００２２】
【図１】代表的な遮蔽電気ケーブルの斜視図。
【図２ａ】更なる代表的な遮蔽電気ケーブルの正面断面図。
【図２ｂ】更なる代表的な遮蔽電気ケーブルの正面断面図。
【図２ｃ】更なる代表的な遮蔽電気ケーブルの正面断面図。
【図２ｄ】更なる代表的な遮蔽電気ケーブルの正面断面図。
【図２ｅ】更なる代表的な遮蔽電気ケーブルの正面断面図。
【図２ｆ】更なる代表的な遮蔽電気ケーブルの正面断面図。
【図２ｇ】更なる代表的な遮蔽電気ケーブルの正面断面図。
【図３ａ】遮蔽電気ケーブルの終端構成要素への代表的な終端プロセスの異なる手順を例示する平面図。
【図３ｂ】遮蔽電気ケーブルの終端構成要素への代表的な終端プロセスの異なる手順を例示する平面図。
【図３ｃ】遮蔽電気ケーブルの終端構成要素への代表的な終端プロセスの異なる手順を例示する平面図。
【図３ｄ】遮蔽電気ケーブルの終端構成要素への代表的な終端プロセスの異なる手順を例示する平面図。
【図４ａ】更なる代表的な遮蔽電気ケーブルの正面断面図。
【図４ｂ】更なる代表的な遮蔽電気ケーブルの正面断面図。
【図４ｃ】更なる代表的な遮蔽電気ケーブルの正面断面図。
【図５ａ】遮蔽電気ケーブルの代表的な作製方法を例示する斜視図。
【図５ｂ】遮蔽電気ケーブルの代表的な作製方法を例示する斜視図。
【図５ｃ】遮蔽電気ケーブルの代表的な作製方法を例示する斜視図。
【図６ａ】遮蔽電気ケーブルを作製する代表的な方法の詳細を示す正面断面図。
【図６ｂ】遮蔽電気ケーブルを作製する代表的な方法の詳細を示す正面断面図。
【図６ｃ】遮蔽電気ケーブルを作製する代表的な方法の詳細を示す正面断面図。
【図７ａ】代表的な遮蔽電気ケーブルの作製の別の態様を例示する、正面断面詳細図。
【図７ｂ】代表的な遮蔽電気ケーブルの作製の別の態様を例示する、正面断面詳細図。
【図８ａ】遮蔽電気ケーブルの別の代表的な実施形態の正面断面図であり、図８ｂはその対応する詳細図。
【図８ｂ】遮蔽電気ケーブルの別の代表的な実施形態の正面断面図の対応する詳細図。
【図９】別の代表的な遮蔽電気ケーブルの一部の正面断面図。
【図１０】別の代表的な遮蔽電気ケーブルの一部の正面断面図。
【図１１ａ】代表的な遮蔽電気ケーブルの他の２つの部分の正面断面図。
【図１１ｂ】代表的な遮蔽電気ケーブルの他の２つの部分の正面断面図。
【図１２】従来的な電気ケーブルの代表的な遮蔽電気ケーブルの電気絶縁性能を比較するグラフ。
【図１３】別の代表的な遮蔽電気ケーブルの正面断面図。
【図１４】高パッキング密度の導体セットを使用し得る、遮蔽電気ケーブルアセンブリの斜視図。
【図１５】代表的な遮蔽電気ケーブルの正面断面図。これらの図はまた導体セットの密度を特徴付けるために有用なパラメータをも示す。
【図１６】代表的な遮蔽電気ケーブルの正面断面図。これらの図はまた導体セットの密度を特徴付けるために有用なパラメータをも示す。
【図１７ａ】内部で遮蔽ケーブルが終端構成要素に取り付けられる、代表的な遮蔽電気ケーブルアセンブリの平面図。
【図１７ｂ】内部で遮蔽ケーブルが終端構成要素に取り付けられる、代表的な遮蔽電気ケーブルアセンブリの側面図。  このプロセスによって作製して得られるケーブルは、撮像されて、図１８ａに平面図が示され、ケーブルの端部の斜位図が１８ｂに示される。
【図１８ａ】作製された遮蔽電気ケーブルの写真であり、平面図。
【図１８ｂ】作製された遮蔽電気ケーブルの端部の斜位図。
【図１９】いくつかの可能なドレインワイヤー位置を示す、代表的な遮蔽電気ケーブルの正面断面図。
【図２０ａ】局部領域における、ドレインワイヤーと遮蔽フィルムとの間のオンデマンドの電気接触を提供する１つの技術を示している、遮蔽ケーブルの部分の詳細な正面断面図。
【図２０ｂ】局部領域における、ドレインワイヤーと遮蔽フィルムとの間のオンデマンドの電気接触を提供する１つの技術を示している、遮蔽ケーブルの部分の詳細な正面断面図。
【図２１】オンデマンドの接触を提供する、選択された領域における、ケーブル処理のための１つの手順を示す、ケーブルの概略正面断面図。
【図２２ａ】ドレインワイヤーと遮蔽フィルムとの間のオンデマンドの接触を提供するように選択することができる別の構成を示す、遮蔽電気ケーブルアセンブリの平面図。
【図２２ｂ】ドレインワイヤーと遮蔽フィルムとの間のオンデマンドの接触を提供するように選択することができる別の構成を示す、遮蔽電気ケーブルアセンブリの平面図。
【図２３】ドレインワイヤーと遮蔽フィルムとの間のオンデマンドの接触を提供するように選択することができる別の構成を示す、別の遮蔽電気ケーブルアセンブリの平面図。
【図２４ａ】オンデマンドのドレインワイヤー接触子を有するように作製及び処理された遮蔽電気ケーブルの写真。
【図２４ｂ】オンデマンドのドレインワイヤー接触子を有するように作製及び処理された遮蔽電気ケーブルの拡大詳細図。
【図２４ｃ】図２４ａの一端の正面図の概略図。
【図２５】遮蔽フィルムを通じて互いに連結された多数のドレインワイヤーを利用する、遮蔽電気ケーブルアセンブリの平面図。
【図２６ａ】遮蔽フィルムを通じて互いに連結された多数のドレインワイヤーを利用する、アセンブリはファンアウト構成で構成されている、別の遮蔽電気ケーブルの平面図。
【図２６ｂ】図２６ａの線２６ｂ−２６ｂにおけるケーブルの断面図。
【図２７ａ】遮蔽フィルムを通じて互いに連結された多数のドレインワイヤーを利用する、アセンブリはファンアウト構成で構成されている、別の遮蔽電気ケーブルの平面図。
【図２７ｂ】図２７ａの２７ｂ−２７ｂにおける、ケーブルの断面図。
【図２８ａ】混合導体セットを有する遮蔽電気ケーブルの概略正面断面図。
【図２８ｂ】混合導体セットを有する遮蔽電気ケーブルの概略正面断面図。
【図２８ｃ】混合導体セットを有する遮蔽電気ケーブルの概略正面断面図。
【図２８ｄ】混合導体セットを有する遮蔽電気ケーブルの概略正面断面図。
【図２９】混合導体セットを有する別の遮蔽電気ケーブルの概略正面断面図。
【図２９ａ】混合導体セット遮蔽ケーブルで使用可能な低速絶縁導体セットの群の概図。
【図３０ａ】終端構成要素の一端を他端へと、１つ以上の低速信号ラインを再経路指定する、１つ以上の伝導経路をアセンブリの終端構成要素が含む、遮蔽ケーブルアセンブリの概略平面図。
【図３０ｂ】終端構成要素の一端を他端へと、１つ以上の低速信号ラインを再経路指定する、１つ以上の伝導経路を、アセンブリの終端構成要素が含む遮蔽ケーブルアセンブリの概略平面図。
【図３１】終端構成要素の一端を他端へと、１つ以上の低速信号ラインを再経路指定する、１つ以上の伝導経路を、アセンブリの終端構成要素が含む遮蔽ケーブルアセンブリの概略平面図。
【図３２】作製された混合導体セット遮蔽ケーブルの写真。  図中、同様の参照数字は同様の構成要素を示す。
【発明を実施するための形態】
【００２３】
上記のように、本明細書においてとりわけ、遮蔽リボンケーブル、遮蔽リボンケーブルを含む方法、並びに遮蔽リボンケーブルを利用する組み合わせ及びシステムが記載される。高密度遮蔽ケーブルのいくつかの態様を説明する前に、「遮蔽電気ケーブルの説明」と題される項において、代表的な遮蔽ケーブルの一般的な説明を提供する。その後、「高密度遮蔽ケーブル」と題される項において、高密度遮蔽ケーブルの態様を記載する。また、他の固有の遮蔽ケーブル、システム及び方法（これらは必要であれば高密度機構を組み込んでもよい）の態様を記載する。そして、「オンデマンドドレインワイヤー機構を有する遮蔽ケーブル」と題される項において、オンデマンドドレインワイヤーを有する遮蔽ケーブルの態様を説明する。「多数のドレインワイヤーを有する遮蔽ケーブル」と題される項において多数のドレインワイヤーを有する遮蔽ケーブル及びケーブルアセンブリの態様を記載する。また、「混合導体セットを有する遮蔽ケーブル」と題される項において、混合導体セットを組み込む遮蔽ケーブルの態様を記載する。
【００２４】
読者には、様々な項及び表題は、組織化及び便宜性の改善のために提供され、限定的な方法において解釈されないことに留意されたい。例えば、項及び表題は、１つの項における技術、方法、機構又は構成要素が異なる項の技術、方法、機構又は構成要素と共に使用され得ないことを意味するものとして解釈されるべきではない。逆に、所与の項でのいずれかの情報は、そうでないものとして明確に指示されない限り、他のいずれかの項の情報に対して適用可能であることが意図される。したがって、例えば、高密度遮蔽ケーブルの態様は、「高密度遮蔽ケーブル」と題される項においてのみではなく、他の項においても同様に見出され得る。同様に、オンデマンドドレインワイヤーを有する遮蔽ケーブルの態様は、「オンデマンドドレインワイヤー機構を有する遮蔽ケーブル」と題される項においてのみではなく、他の項においても同様に見出され得るのであり、他も同様である。
【００２５】
第１項：遮蔽電気ケーブルの説明
相互接続される装置の数及び速度が増加するにつれて、このような装置の間で信号を伝送する電気ケーブルは、より小さくする必要があり、かつ許容不可能な干渉又はクロストークをきたすことなく、より高速の信号を伝送することができる必要がある。隣接する導体により伝送される信号間の相互作用を低減するために、いくつかの電気ケーブルにおいて遮蔽が使用される。本明細書において記載されるケーブルの多くは、ほぼ平坦な構成を有し、ケーブルの長さに沿って延在する導体セット、加えてケーブルの対向する側に配置される電気遮蔽フィルムを含む。隣接する導体セットの間の遮蔽フィルムに挟まれた部分は、導体セットを互いに電気的に分離するのに役立つ。ケーブルの多くはまた、遮蔽部材に電気的に接続し、ケーブルの長さに沿って延在するドレインワイヤーも含む。本明細書において記載されるケーブル構成は、導体セット及びドレインワイヤーへの接続を単純化し、ケーブル接続部位の寸法を低減し、及び／又はケーブルのマス終端の機会を提供するのに役立ち得る。
【００２６】
図１は、ケーブル２の幅、ｗの全部又は一部に沿って互いに離間し、ケーブル２の長さＬに沿って延在する、複数の導体セット４を含む、代表的な遮蔽電気ケーブル２を例示する。ケーブル２は、図１に例示される概ね平坦な構成で構成されてもよく、又はその長さに沿って１つ以上の位置において折り曲げられた構成へと折り曲げられてもよい。いくつかの実施において、ケーブル２のいくつかの部分は、平坦な構成で配置されてもよく、ケーブルの他の部分が折り曲げられてもよい。いくつかの構成において、ケーブル２の導体セット４の少なくとも１つが、ケーブル２の長さＬに沿って延在する２つの絶縁された導体６を含む。導体セット４の２つの絶縁された導体６は、ケーブル２の長さＬの全部又は一部に沿って実質的に平行に構成され得る。絶縁導体６は、絶縁信号線、絶縁電源線、又は絶縁接地ワイヤーを含む場合がある。２つの遮蔽フィルム８は、ケーブル２の対向する側に配置される。
【００２７】
第１及び第２遮蔽フィルム８は、横方向断面においてケーブル２がカバー区域１４及び挟まれた区域１８を含むように構成されている。ケーブル２のカバー区域１４において、第１及び第２遮蔽フィルム８のカバー部分７は横方向断面において各導体セット４を実質的に囲む。例えば、遮蔽フィルムのカバー部分は、任意の所与の導体セットの外辺部の少なくとも７５％、又は少なくとも８０、８５又は９０％を全体的に包含し得る。第１及び第２遮蔽フィルムの挟まれた部分９は、各導体セット４のそれぞれの側において、ケーブル２の挟まれた区域１８を形成する。ケーブル２の挟まれた区域１８において、遮蔽フィルム８の一方又は両方が偏倚し、遮蔽フィルム８の挟まれた部分９を更に近接させる。図１に示されるように、いくつかの構成において、遮蔽フィルム８の両方が、挟まれた区域１８において偏倚し、挟まれた部分９を更に近接させる。いくつかの構成において、ケーブルが平坦又は畳まれない構成にある場合、遮蔽フィルムの一方が挟まれた区域１８において比較的平坦に維持することができ、ケーブルの反対側の他方の遮蔽フィルムは偏倚されて、遮蔽フィルムの挟まれた部分を更に近接させ得る。
【００２８】
ケーブル２はまた、少なくとも挟まれた部分９の間の遮蔽フィルム８の間に配置される接着剤層１０を含み得る。接着剤層１０は、遮蔽フィルム８の挟まれた部分９を、ケーブル２の挟まれた区域１８において、互いに結合する。接着剤層１０は、ケーブル２のカバー区域１４に存在しても、しなくてもよい。
【００２９】
いくつかの場合において導体セット４は、横方向断面において、実質的に曲線的なエンベロープ又は外辺部を有し、遮蔽フィルム８は導体セット４の周囲に配置されて、ケーブル６の長さＬの少なくとも部分に沿って、及び好ましくは実質的に全部に沿って断面形状に一致し、かつこれを維持する。断面形状を維持することは、導体セット４の設計において意図されるように、導体セット４の電気的特性を維持する。導体セットの周辺に導電性遮蔽部材を配置することが、導体セットの断面形状を変化させる場合には、これはいくつかの従来の遮蔽電気ケーブルをしのぐ利点である。
【００３０】
図１に例示される実施形態において、各導体セット４が正確に２つの絶縁導体６を有するが、他の実施形態において、導体セットの一部又は全部が１つの絶縁導体のみを含んでもよく、又は３つ以上の絶縁導体６を含んでもよい。例えば、図１のものと同様の設計の別の遮蔽電気ケーブルが、８つの絶縁導体６を有する１つの導体セット、又は各１つの絶縁導体６のみを有する８つの導体セットを含み得る。導体セット及び絶縁導体の構成におけるこの可撓性は、開示される遮蔽電気ケーブルが、広範な意図される用途において好適であるような方法で構成されることを可能にする。例えば、導体セット及び絶縁導体は、多数の二芯同軸ケーブル（すなわち、それぞれが絶縁導体を有する多数の導体セット）、多数の同軸ケーブル（すなわち、それぞれが１つの絶縁された導体のみを有する多数の導体セット）、又はこれらの組み合わせを形成するように構成され得る。いくつかの実施形態において、導体セットは、１つ以上の絶縁導体６の周辺に配置される導電性遮蔽部材（図示せず）、及び導電性遮蔽部材の周辺に配置される絶縁ジャケット（図示せず）を更に含んでもよい。
【００３１】
図１に図示される実施形態では、遮蔽電気ケーブル２は、任意の接地導体１２を更に含む。接地導体１２は、接地ワイヤー又はドレインワイヤーを含んでもよい。接地導体１２は、絶縁導体６から離間し、実質的に絶縁導体６と同じ方向に延在し得る。遮蔽フィルム８は、接地導体１２の周囲に配置され得る。接着剤層１０は、接地導体１２の両側で、挟まれた部分９において、遮蔽フィルム８を互いに結合し得る。接地導体１２は遮蔽フィルム８の少なくとも１つと電気的に接触してもよい。
【００３２】
図２ａ〜２ｇの断面図は、様々な遮蔽電気ケーブル又はケーブルの部分を表し得る。図２ａにおいて、遮蔽電気ケーブル１０２ａは単一の導体セット１０４を含む。導体セット１０４は、ケーブルの長さに沿って延在し、単一の絶縁導体１０６のみを有する。必要であれば、ケーブル１０２は、ケーブル１０２ａの幅にわたって互いに離間し、ケーブルの長さに沿って延在する多数の導体セット１０４を含むように作製され得る。２つの遮蔽フィルム１０８は、ケーブルの対向する側に配置される。ケーブル１０２ａは、カバー区域１１４及び挟まれた区域１１８を含む。ケーブル１０２ａのカバー区域１１４において、遮蔽フィルム１０８は、導体セット１０４を被覆するカバー部分１０７を含む。横方向断面において、カバー部分１０７は組み合わされて、導体セット１０４を実質的に囲む。ケーブル１０２ａの挟まれた区域１１８において、遮蔽フィルム１０８は導体セット１０４のそれぞれの側に挟まれた部分１０９を含む。
【００３３】
任意の接着剤層１１０は、遮蔽フィルム１０８の間に配置され得る。遮蔽電気ケーブル１０２ａは、任意の接地導体１１２を更に含む。接地導体１１２は、絶縁導体１０６から離間され、かつ実質的に絶縁導体１０６と同じ方向に延在する。導体セット１０４及び接地導体１１２は、図２ａに例示されるようにこれらが一般的に平面にあるようにして構成され得る。
【００３４】
遮蔽フィルム１０８の第２カバー部分１１３は、接地導体１１２の周囲に配置されて、これを被覆する。接着剤層１１０は、遮蔽フィルム１０８を、接地導体１１２の両側上で互いに結合し得る。接地導体１１２は遮蔽フィルム１０８の少なくとも１つと電気的に接触してもよい。図２ａにおいて、絶縁導体１０６及び遮蔽フィルム１０８は、同軸ケーブル構成において有効に構成される。図２ａの同軸ケーブル構成は、シングルエンド回路構成において使用され得る。
【００３５】
図２ａの横方向区域断面図において例示されるように、遮蔽フィルム１０８のカバー部分１０７の間に最大間隔Ｄが存在し、遮蔽フィルム１０８の挟まれた部分１０９の間に最小間隔ｄ１が存在する。
【００３６】
図２ａは、ケーブル１０２の挟まれた区域１１８の遮蔽フィルム１０８の挟まれた部分１０９の間に配置され、ケーブル１０２ａのカバー区域１１４において遮蔽フィルム１０８のカバー部分１０７と絶縁導体１０６との間に配置される、接着剤層１１０を示す。この配置において、接着剤層１１０は、ケーブルの挟まれた区域１１８において遮蔽フィルム１０８の挟まれた部分１０９を結合し、ケーブル１０２ａのカバー区域１１４において、遮蔽フィルム１０８のカバー部分１０７を絶縁導体１０６に一緒に結合する。
【００３７】
図２ｂの遮蔽ケーブル１０２ｂは、図２ａのケーブル１０２ａと同様であり、同様の要素は同様の参照番号によって特定されるが、ただし、図２ｂにおいて、任意の接着剤層１１０ｂは、ケーブル１０２のカバー区域１１４において、遮蔽フィルム１０８のカバー部分１０７と、絶縁導体１０６との間に存在しない。この配置において、接着剤層１１０ｂは、ケーブルの挟まれた区域１１８において遮蔽フィルム１０８の挟まれた部分１０９を一緒に結合するが、接着剤層１１０は、ケーブル１０２のカバー区域１１４においては、遮蔽フィルム１０８のカバー部分１０７を絶縁された導体１０６に結合しない。
【００３８】
図２ｃを参照し、遮蔽電気ケーブル１０２ｃは、図２ａの遮蔽電気ケーブル１０２ａと同様であるがただし、ケーブル１０２ｃは２つの絶縁された導体１０６ｃを有する単一の導体セット１０４ｃを有する。必要であれば、ケーブル１０２ｃは、ケーブル１０２ａの幅にわたって離間し、ケーブルの長さに沿って延在する多数の導体セット１０４ｃを含むように作製され得る。絶縁導体１０６ｃは、一般的に単一平面に、かつ二芯同軸構成に有効に、構成される。図２ｃの二芯同軸ケーブル構成は、差動ペア回路構成又はシングエンド回路構成で使用され得る。
【００３９】
２つの遮蔽フィルム１０８ｃが、導体セット１０４ｃの対向する側に配置される。ケーブル１０２ｃは、カバー区域１１４ｃ及び挟まれた区域１１８ｃを含む。ケーブル１０２ｃのカバー区域１１４ｃでは、遮蔽フィルム１０８ｃは、導体セット１０４ｃを被覆するカバー部分１０７ｃを含む。横方向断面において、カバー部分１０７ｃは組み合わされて、導体セット１０４ｃを実質的に囲む。ケーブル１０２ｃの挟まれた区域１１８ｃでは、遮蔽フィルム１０８ｃは導体セット１０４ｃのそれぞれの側の挟まれた部分１０９ｃを含む。
【００４０】
任意の接着剤層１１０ｃは、遮蔽フィルム１０８ｃの間に配置され得る。遮蔽電気ケーブル１０２ｃは、前述の接地導体１１２と同様の任意の接地導体１１２ｃを更に含む。接地導体１１２ｃは、絶縁導体１０６ｃから離間され、実質的に絶縁導体１０６ｃと同じ方向に延在する。導体セット１０４ｃ及び接地導体１１２ｃは、図２ｃに例示されるようにこれらが一般的に平面にあるようにして構成され得る。
【００４１】
図２ｃに例示されるように、遮蔽フィルム１０８ｃのカバー部分１０７ｃの間には最大間隔Ｄが存在し、遮蔽フィルム１０８ｃの挟まれた部分１０９ｃの間には最小間隔ｄ１が存在し、絶縁導体１０６ｃの間の遮蔽フィルム１０８ｃの間には、最小間隔ｄ２が存在する。
【００４２】
図２ｃは、ケーブル１０２ｃの挟まれた区域１１８ｃの遮蔽フィルム１０８ｃの挟まれた部分１０９ｃの間に配置され、遮蔽フィルム１０８ｃのカバー部分１０７ｃと、ケーブル１０２ｃのカバー区域１１４ｃの絶縁導体１０６ｃとの間に配置される接着剤層１１０ｃを示す。この構成では、ケーブル１０２ｃの挟まれた区域１１８ｃにおいて接着剤層１１０ｃは、遮蔽フィルム１０８ｃの挟まれた部分１０９ｃを一緒に結合し、またケーブル１０２ｃのカバー区域１１４ｃにおいて、遮蔽フィルム１０８ｃのカバー部分１０７ｃを、絶縁導体１０６ｃに結合する。
【００４３】
図２ｄの遮蔽ケーブル１０２ｄは、図２ｃのケーブル１０２ｃと同様であり、同様の要素が同様の参照番号で指定されるが、ただしケーブル１０２ｄでは、ケーブルのカバー区域１１４ｃにおいて、遮蔽フィルム１０８ｃのカバー部分１０７ｃと、絶縁導体１０６ｃとの間に任意の接着剤層１１０ｄが存在しない。この構成では、ケーブルの挟まれた区域１１８ｃにおいて接着剤層１１０ｄは、遮蔽フィルム１０８ｃの挟まれた部分１０９ｃを一緒に結合するが、ケーブル１０２ｄのカバー区域１１４ｃにおいて、遮蔽フィルム１０８ｃのカバー部分１０７ｃを、絶縁導体１０６ｃに結合しない。
【００４４】
ここで図２ｅを参照し、多くの点において図２ａの遮蔽電気ケーブル１０２ａと同様の、遮蔽電気ケーブル１０２ｅの横方向断面図が存在するのが確認できる。しかしながら、ケーブル１０２ａが単一の絶縁導体１０６のみを有する単一の導体セット１０４を含む一方で、ケーブル１０２ｅは、ケーブル１０２ｅの長さに沿って延在する２つの絶縁導体１０６ｅを有する単一の導体セット１０４ｅを含む。ケーブル１０２ｅは、ケーブル１０２ｅの幅にわたって互いに離間し、ケーブル１０２ｅの長さに沿って延在する、多数の導体セット１０４ｅを有するように作製され得る。絶縁導体１０６ｅは、ツイストペアケーブル構成で効果的に構成され、これにより絶縁導体１０６ｅが互いに周囲で撚り合わされて、ケーブル１０２ｅの長さに沿って延在する。
【００４５】
図２ｆはまた、やはり多くの点において図２ａの遮蔽電気ケーブル１０２ａと同様である、別の遮蔽電気ケーブル１０２ｆを表す。しかしながら、ケーブル１０２ａが単一の絶縁導体１０６のみを有する単一の導体セット１０４を含む一方で、ケーブル１０２ｆは、ケーブル１０２ｆの長さに沿って延在する４つの絶縁導体１０６ｆを有する単一の導体セット１０４ｆを含む。ケーブル１０２ｆは、ケーブル１０２ｆの幅にわたって互いに離間し、ケーブル１０２ｆの長さに沿って延在する、多数の導体セット１０４ｆを有するように作製され得る。
【００４６】
絶縁導体１０６ｆは、４連ケーブル構成において効果的に構成され、これにより絶縁導体１０６ｆは、絶縁導体１０６ｆがケーブル１０２ｆの長さに沿って延在するに伴って、互いに撚り合わされてもよいし、そうでなくてもよい。
【００４７】
再び図２ａ〜２ｆを参照し、遮蔽電気ケーブルの更なる実施形態は、単一の平面で一般的に構成された、複数の離間した導体１０４、１０４ｃ、１０４ｅ若しくは１０４ｆ又はこれらの組み合わせを含み得る。所望により、遮蔽電気ケーブルは、導体セットの絶縁導体から離間され、かつ概ねこれと同じ方向に延在する複数の接地導体１１２を含んでもよい。いくつかの構成において、導体セット及び接地導体は、単一の平面において構成され得る。図２ｇは、このような遮蔽電気ケーブルの代表的な実施形態を図示する。
【００４８】
図２ｇを参照すると、遮蔽電気ケーブル１０２ｇは、概ね平面に配置される複数の離間した導体セット１０４、１０４ｃを含む。遮蔽電気ケーブル１０２ｇは、導体セット１０４、１０４ｃと、遮蔽電気ケーブル１０２ｇの両側部又は縁部との間に配置された、任意の接地導体１１２を更に含む。
【００４９】
第１及び第２遮蔽フィルム２０８は、ケーブル１０２ｇの対向する側に配置され、横方向断面においてケーブル１０２ｇがカバー区域２２４及び挟まれた区域２２８を含むように構成される。ケーブルのカバー区域２２４において、第１及び第２遮蔽フィルム２０８のカバー部分２１７は横方向断面において各導体セット１０４、１０４ｃを実質的に囲む。第１及び第２遮蔽フィルム２０８の挟まれた部分２１９は、各導体セット１０４、１０４ｃの両側の挟まれた区域２１８を形成する。
【００５０】
遮蔽フィルム２０８は、接地導体１１２の周囲に配置され得る。任意の接着剤層２１０は、遮蔽フィルム２０８の間に配置され、各導体セット１０４、１０４ｃの両側の挟まれた区域２２８において、遮蔽フィルム２０８の挟まれた部分２１９を互いに結合する。遮蔽電気ケーブル１０２ｇは、同軸ケーブル構成（導体セット１０４）及び二芯同軸ケーブル構成（導体セット１０４ｃ）の組み合わせを含み、したがってハイブリッドケーブル構成と呼ばれることがある。
【００５１】
１つ、２つ又はそれ以上の遮蔽電気ケーブルが、プリント基板、パドルカードなどの、終端構成要素へと終端され得る。絶縁導体及び接地導体は概ね単一平面に配置されるため、開示される遮蔽電気ケーブルはマスストリッピング、すなわち同時の遮蔽フィルムからのストリッピング及び絶縁導体からの絶縁、及びマス終端、すなわち絶縁導体及び接地導体のストリッピングされた端部の同時の終端に好適であり、これはより自動化されたケーブル組み立てプロセスを可能にする。これは、開示される遮蔽電気ケーブルの少なくともいくらかの利益である。絶縁導体及び接地導体のストリッピングした端部は例えば、導電経路又はプリント基板の他の素子と接触するように終端してもよい。他の場合において、絶縁導体及び接地導体のストリッピングされた端部は、任意の好適な終端装置の任意の好適な個別の接触子、例えば電気コネクタの電気接触子などに終端されてもよい。
【００５２】
図３ａ〜３ｄは、遮蔽電気ケーブル３０２の、プリント基板又は他の終端構成要素３１４への代表的な終端プロセスを例示する。この終端プロセスは、マス終端プロセスであってもよく、ストリッピング（図３ａ〜３ｂ）、位置合わせ（図３ｃに図示される）、及び終端（図３ｄに図示される）の工程を含む。本明細書において図示される及び／又は記載されるケーブルのいずれかの形態を一般的に取り得る、遮蔽電気ケーブル３０２を形成する際、遮蔽電気ケーブル３０２の導体セット３０４、絶縁導体３０６、及び接地導体３１２の構成は、プリント基板３１４の接触要素３１６の構成に適合されてもよく、これは、位置合わせ及び終端中における、遮蔽電気ケーブル３０２の端部の任意の著しい操作を排除する。
【００５３】
図３ａに図示されている工程では、遮蔽フィルム３０８の末端部分３０８ａは削除されている。任意の好適な方法、例えば機械的ストリッピング又はレーザーストリッピングが使用されてもよい。この工程は、絶縁導体３０６及び接地導体３１２の末端部分を露出させる。一態様において、遮蔽フィルム３０８の末端部分３０８ａのマスストリッピングは、それらが、絶縁導体３０６の絶縁体から別個の一体化されて接続された層を形成するために、可能である。絶縁導体３０６から遮蔽フィルム３０８を取り除くことは、これらの位置における短絡に対する保護を可能にし、また、絶縁導体３０６及び接地導体３１２の露出した末端部分の独立した動きをもたらす。図３ｂに図示された工程では、絶縁導体３０６の絶縁体の末端部分３０６ａが取り除かれている。任意の好適な方法、例えば機械的ストリッピング又はレーザーストリッピングが使用されてもよい。この工程は、絶縁導体３０６の導体の末端部分を露出させる。図３ｃに図示される工程では、遮蔽電気ケーブル３０２は、遮蔽電気ケーブル３０２の絶縁導体３０６の導体の末端部分と、接地導体３１２の末端部分が、プリント基板３１４の接触要素３１６と位置合わせされるように、プリント基板３１４と位置合わせされる。図３ｄに図示された工程では、遮蔽電気ケーブル３０２の絶縁導体３０６の導体の末端部分、及び接地導体３１２の末端部分は、プリント基板３１４の接触要素３１６に終端される。使用され得る好適な終端方法の例には、いくつかの例を挙げると、溶接、溶接、圧締め、機械的圧締め、接着結合が挙げられる。
【００５４】
いくつかの場合において、開示される遮蔽ケーブルは、導体セットの間に配置される、１つ以上の長手方向のスリット又は他の分割部を含むように作製されてもよい。分割部は、遮蔽ケーブルの長さの少なくとも一部に沿って、個別の導体セットを分離し、それによってケーブルの少なくとも横方向の可撓性を増加させるために使用されてもよい。これは、例えば、遮蔽ケーブルが、曲線状の外部ジャケット内に容易に配置されることを可能にし得る。他の実施形態では、分割部は、例えば個々の又は複数の導体セット及び接地導体を分離するように配置されてもよい。導体セット及び接地導体の間隔を維持するために、分割部は、遮蔽電気ケーブルの長さに沿って不連続であってもよい。遮蔽電気ケーブルの少なくとも１つの端部において、導体セットと接地導体の間隔を維持し、マス終端能力を維持するために、分割部は末端部分Ａの一方又は両方内に延在しない場合がある。分割部は任意の好適な方法、例えばレーザー切断又はパンチング等を使用して、遮蔽電気ケーブルに形成されてもよい。長手方向の分割部の代わりに、又はこれと組み合わせて、開口部の他の好適な形状、例えば穴などが開示される遮蔽電気ケーブルに形成されて、ケーブルの少なくとも横方向の可撓性を増加させてもよい。
【００５５】
開示される遮蔽ケーブルに使用される遮蔽フィルムは、様々な構成を有し、様々な方法で作製される場合がある。いくつかの場合において、１つ以上の遮蔽フィルムが、導電性層及び非導電性ポリマー層を含んでもよい。導電性層は、銅、銀、アルミニウム、金、及びこれらの合金を含むが、これに限定されない任意の好適な導電材料を含んでもよい。非導電性高分子層は、ポリエステル、ポリイミド、ポリアミド−イミド、ポリテトラフルオロエチレン、ポリプロピレン、ポリエチレン、ポリフェニレンスルフィド、ポリエチレンナフタレート、ポリカーボネート、シリコーンゴム、エチレンプロピレンジエンゴム、ポリウレタン、アクリレート、シリコーン、天然ゴム、エポキシ、及び合成ゴム接着剤を含むが、これに限定されない任意の好適な高分子材料を含み得る。非導電性高分子層は、対象用途に好適な特性をもたらすために、１つ以上の接着剤及び／又は充填剤を含む場合がある。いくつかの場合において、遮蔽フィルムの少なくとも１つは、導電性層と非導電性高分子層との間に配置される積層接着層を含んでもよい。非導電性層上に配置される導電性層を有するか、ないしは別の方法で、導電性である１つの主要外部表面、及び実質的に非導電性である反対側の主要外部表面を有する、遮蔽フィルムにおいて、この遮蔽フィルムは、所望によりいくつかの異なる向きで遮蔽ケーブル内に導入され得る。いくつかの場合において、例えば、導電性表面が絶縁ワイヤー及び接地ワイヤーの導体セットに面することができ、いくつかの場合において、非導電性表面がこれらの構成要素と面することができる。２つの遮蔽フィルムがケーブルの両側に使用される場合において、フィルムは、これらの導電性表面が互いに面し、かつそれぞれが導電性セット及び接地ワイヤーに面するように向けられてもよく、又はこれらはこれらの非導電性表面が互いに面し、かつそれぞれが導体セット及び接地ワイヤーに面するように向けられてもよく、又はこれらは１つの遮蔽フィルムの導電性表面が導体セット及び接地ワイヤーに面する一方で、他の遮蔽フィルムの非導電性表面がケーブルの反対側の導体セット及び接地ワイヤーと面するように向けられてもよい。
【００５６】
いくつかの場合において、遮蔽フィルムの少なくとも一方が、適合する、すなわち柔軟な金属箔などの、単独型導電性フィルムであるか、これを含んでもよい。遮蔽フィルムの構造体は、例えば、遮蔽電気ケーブルの可撓性、電気性能、及び構成（例えば、接地導体の存在及び位置など）など、対象用途に好適な設計パラメータの数を基準として選択されてもよい。いくつかの場合において、遮蔽フィルムは、一体的に形成された構成を有してもよい。いくつかの場合において、遮蔽フィルムは、０．０１ｍｍ〜０．０５ｍｍの範囲の厚さを有し得る。遮蔽フィルムは、所望により導体セットの間の絶縁、遮蔽、及び精密な間隔を提供し、かつより自動化され、より低費用のケーブル製造プロセスを可能にする。更に、遮蔽フィルムは、「信号のサックアウト（signalsuck-out）」すなわち、共振（これによって高信号減衰が特定の周波数帯域で生じる）として知られる現象を防ぐ。この現象は一般的に、導電性遮蔽部材が導体セットの周囲に巻き付けられている従来の遮蔽電気ケーブルに発生する。
【００５７】
本明細書において他に説明されるように、ケーブルのカバー区域において、導体セットの１つ、いくつか又は全てに１つ又は２つの遮蔽フィルムを結合するために接着剤材料がケーブル構成体において使用されてもよく、及び／又はケーブルの挟まれた区域において２つの遮蔽フィルムを一緒に結合するために接着剤材料が使用されてもよい。接着剤材料の一層が、少なくとも１つの遮蔽フィルム上に配置されてもよく、２つの遮蔽フィルムがケーブルの両側で使用されるいくつかの場合においては、接着剤材料の層が、両方の遮蔽フィルム上に配置され得る。後者の場合においては、一方の遮蔽フィルム上で使用される接着剤は、他方の遮蔽フィルム上に使用される接着剤と好ましくは同じであるが、所望により異なっていてもよい。所与の接着剤層は、電気的に絶縁性の接着剤を含んでもよく、かつ２つの遮蔽フィルムの間に絶縁性結合部を提供してもよい。更に、所与の接着剤層は、少なくとも１つの遮蔽フィルムと、導体セットの１つ、いくつか又は全ての絶縁性導体との間、及び少なくとも１つの遮蔽フィルムと接地導体（存在する場合）の１つ、いくつか又は全てとの間に、絶縁性結合部を提供してもよい。あるいは、所与の接着剤層は、導電性接着剤を含んでもよく、かつ２つの遮蔽フィルムの間に導電性結合部を提供してもよい。更に、所与の接着剤層は、少なくとも１つの遮蔽フィルムと、接地導体（存在する場合）の１つ、いくつか又は全てとの間に導電性結合部を提供してもよい。好適な導電性接着剤は、電流の流れを提供するために導電性粒子を含む。導電性粒子は、現在使用されている任意のタイプの粒子、例えば、球体、フレーク、ロッド、立方体、非晶質、又は他の粒子形状であってあり得る。それらは、カーボンブラック、カーボンファイバー、ニッケル球体、ニッケルがコーティングされた銅球体、金属がコーティングされた酸化物、金属がコーティングされた高分子繊維、又は他の類似の導電性粒子など、固体又は実質的に固体粒子であってもよい。これらの導電性粒子は、銀、アルミニウム、ニッケル、又は酸化インジウムスズなどの導電材料でメッキされている若しくはコーティングされている電気絶縁材料から作製されてもよい。金属がコーティングされた絶縁材料は、実質的に中空の粒子、例えば中空のガラス球体であってもよく、又はガラスビーズ若しくは金属酸化物など中実材料を含んでもよい。導電性粒子は、カーボンナノチューブなど、約数十マイクロメートルから、ナノメーターサイズの大きさまでの材料であってもよい。好適な導電性接着剤はまた、導電性高分子マトリックスを含んでもよい。
【００５８】
所与のケーブル構成体で使用される際、接着剤層は好ましくは、ケーブルの他の要素に対して、実質的に柔軟な形状を有し、ケーブルの屈曲運動に対して柔軟である。いくつかの場合において、所与の接着剤層は実質的に連続的であり、例えば、所与の遮蔽フィルムの所与の主表面の実質的な全体長さ及び幅に沿って延在していてもよい。いくつかの場合において、接着剤層は、実質的に非連続的であり得る。例えば、接着剤層は、所与の遮蔽フィルムの長さ又は幅に沿った、いくつかの部分にのみ存在してもよい。連続的な接着剤層は、例えば、各導体セットの両側の遮蔽フィルムの挟まれた部分の間、及び接地導体（存在する場合）の側の遮蔽フィルムの間に配置される、複数の長手方向の接着剤のストライプを含み得る。所与の接着剤材料は、感圧接着剤、ホットメルト接着剤、熱硬化性接着剤及び硬化性接着剤の少なくとも１つであるか、又はこれを含んでもよい。接着剤層は、１つ以上の絶縁導体と遮蔽フィルムとの間の結合部よりも実質的に強い、遮蔽フィルムの間の結合部を提供するように構成されてもよい。これは、例えば、接着剤配合の適切な選択によって達成され得る。この接着剤構成の利点は、遮蔽フィルムが、絶縁導体の絶縁体から容易に剥離可能となることである。他の場合において、接着剤層は、実質的に同等の強度である、遮蔽フィルムの間の結合部、及び１つ以上の絶縁導体と遮蔽フィルムとの間の結合部を提供するように構成され得る。この接着剤の構成の利点は、絶縁導体が遮蔽フィルム間に固定されるということである。この構成を有する遮蔽電気ケーブルが屈曲する際、このことにより相対運動を小さくすることが可能になり、したがって遮蔽フィルム座屈の可能性を低減する。好適な結合強度は対象用途によって選択されてもよい。いくつかの場合において、約０．１３ｍｍ未満の厚さを有する、適合性接着剤層が使用され得る。代表的な実施形態において、接着剤層は、約０．０５ｍｍより小さい厚さを有する。
【００５９】
所与の接着剤層は、遮蔽電気ケーブルの所望の機械及び電気的性能特性を達成するように適合してもよい。例えば、接着剤層は、導体セットの間の領域の遮蔽フィルムの間でより薄くなるように適合してもよく、これは遮蔽ケーブルの少なくとも横方向の可撓性を増加させる。これは、遮蔽ケーブルが、曲線状の外部ジャケット内に容易に配置されることを可能にし得る。いくつかの場合において、接着剤層は、導体セットに直接隣接する領域においてより厚くなるように適合し、導体セットに実質的に適合してもよい。これは機械的強度を増加させ、この領域における遮蔽フィルムの曲線状の形状を形成することを可能にしてもよく、これは例えば、ケーブルが屈曲する間の遮蔽ケーブルの耐久性を増加させ得る。加えて、これは遮蔽ケーブルの長さに沿った遮蔽フィルムに対する絶縁導体の位置及び間隔を維持するのに役立つことができ、これは遮蔽ケーブルのより均一なインピーダンス及び優れた信号完全性を生じ得る。
【００６０】
所与の接着剤層は、例えば、ケーブルの挟まれた区域の、導体セットの間の領域の遮蔽フィルムの間で効果的に、部分的又は完全に取り除かれるように適合してもよい。結果として、遮蔽フィルムはこれらの領域において互いに電気的に接触してもよく、これはケーブルの電気的性能を増加させ得る。いくつかの場合において、接着剤層は、遮蔽フィルム及び接地導体の少なくとも一方の間で効果的に、部分的若しくは完全に取り除かれるように適合してもよい。結果として、接地導体は、これらの領域の遮蔽フィルムの少なくとも一方で電気的に接触してもよく、これはケーブルの電気的性能を向上させ得る。接着剤の薄い層が、遮蔽フィルム及び所与の接地導体の少なくとも一方の間に残る場合であっても、接地導体のアスペリティが薄い接着剤層を打ち破り、意図される電気的接触を生成する。
【００６１】
図４ａ〜４ｃは、３つの代表的な遮蔽電気ケーブルの断面図であり、これらは、遮蔽電気ケーブルの接地導体の配置の例を示す。遮蔽電気ケーブルの態様は、遮蔽部材の適切な接地であり、このような接地は、多くの方法で達成され得る。いくつかの場合において、所与の接地導体は、遮蔽フィルムの少なくとも一方と電気的に接触し、それによって所与の接地導体の接地が、遮蔽フィルムも接地させることができる。このような接地導体はまた、「ドレインワイヤー」とも称され得る。遮蔽フィルムと接地導体との間の電気的接触は、比較的低い直流抵抗、例えば１０Ω未満、又は２Ω未満、又は実質的に０Ωの直流抵抗により、特徴付けられる場合がある。いくつかの場合において、所与の接地導体は、遮蔽フィルムと電気的に接触しない場合があり、任意の好適な終端構成要素の任意の好適な個別の終端要素（例えば、プリント回路基盤、パドルボード又は他の装置上の導電経路又は他の接触要素）に個別に終端される、ケーブル構成体内の個別の要素であり得る。このような接地導体はまた、「接地ワイヤー」とも称され得る。図４ａは、接地導体が遮蔽フィルムの外部に位置付けられる、代表的な遮蔽電気ケーブルを例示する。図４ｂ及び４ｃは、接地導体が、遮蔽フィルムの間に位置付けられ、導体セットに含まれ得る、実施形態を例示する。１つ以上の接地導体は、遮蔽フィルムの外側に、遮蔽フィルムの間に、又は両方の組み合わせで、任意の好適な位置に配置されてもよい。
【００６２】
図４ａを参照し、遮蔽電気ケーブル４０２ａは、ケーブル４０２ａの長さに沿って延在する、単一の導体セット４０４ａを含む。導体セット４０４ａは、２つの絶縁導体４０６、すなわち、１対の絶縁導体を有する。ケーブル４０２ａは、ケーブルの幅にわたって互いに離間し、ケーブルの長さに沿って延在する、多数の導体セット４０４ａを有するように作製され得る。ケーブルの両側に配置される２つの遮蔽フィルム４０８ａは、カバー部分４０７ａを含む。横方向断面において、カバー部分４０７ａは組み合わされて、導電セット４０４ａを実質的に囲む。任意の接着剤層４１０ａは、遮蔽フィルム４０８ａの挟まれた部分４０９ａの間に配置され、導体セット４０４ａの両側において遮蔽フィルム４０８ａを互いに結合させる。絶縁導体４０６は一般的に単一平面に、かつ効果的に二芯同軸ケーブル構成に構成され、これはシングルエンド回路構成又は差動ペア回路構成で使用され得る。遮蔽電気ケーブル４０２ａは、遮蔽フィルム４０８ａの外部に位置付けられた複数の接地導体４１２を更に含む。接地導体４１２は、導体セット４０４ａの上に、これの下に、又は両面上に配置される。任意により、ケーブル４０２ａは、遮蔽フィルム４０８ａ及び接地導体４１２を囲む保護フィルム４２０を含む。保護フィルム４２０は、保護層４２１と、保護層４２１を遮蔽フィルム４０８ａ及び接地導体４１２に結合する接着層４２２と、を含む。あるいは、遮蔽フィルム４０８ａ及び接地導体４１２は、例えば導電性編組などの外側の導電性遮蔽部、及び外側の絶縁ジャケット（図示せず）によって包囲されてもよい。
【００６３】
図４ｂを参照し、遮蔽電気ケーブル４０２ｂは、ケーブル４０２ｂの長さに沿って延在する、単一の導体セット４０４ｂを含む。導体セット４０４ｂは、２つの絶縁導体４０６、すなわち一対の絶縁導体を有する。ケーブル４０２ｂは、ケーブルの幅にわたって互いに離間し、ケーブルの長さに沿って延在する、多数の導体セット４０４ｂを有するように作製され得る。２つの遮蔽フィルム４０８ｂは、ケーブル４０２ｂの両側に配置され、カバー部分４０７ｂを含む。横方向断面において、カバー部分４０７ｂは組み合わされて、導電セット４０４ｂを実質的に囲む。任意の接着剤層４１０ｂは、遮蔽フィルム４０８ｂの挟まれた部分４０９ｂの間に配置され、導体セットの両側において遮蔽フィルムを互いに結合させる。絶縁導体４０６は、概ね単一平面に、かつ二芯同軸又は差動ペアケーブル構成に効果的に配置される。遮蔽電気ケーブル４０２ｂは、遮蔽フィルム４０８ｂ間に配置される複数の接地導体４１２を更に含む。接地導体４１２の２つは、導体セット４０４ｂに含まれ、接地導体４１２の２つは、導体セット４０４ｂから離間される。
【００６４】
図４ｃを参照し、遮蔽電気ケーブル４０２ｃは、ケーブル４０２ｃの長さに沿って延在する、単一の導体セット４０４ｃを含む。導体セット４０４ｃは、２つの絶縁導体４０６、すなわち、一対の絶縁導体を有する。ケーブル４０２ｃは、ケーブルの幅にわたって互いに離間し、ケーブルの長さに沿って延在する、多数の導体セット４０４ｃを有するように作製され得る。２つの遮蔽フィルム４０８ｃは、ケーブル４０２ｃの両側に配置され、カバー部分４０７ｃを含む。横方向断面において、カバー部分４０７ｃは組み合わされて、導体セット４０４ｃを実質的に囲む。任意の接着剤層４１０ｃは、遮蔽フィルム４０８ｃの挟まれた部分４０９ｃの間に配置され、導体セット４０４ｃの両側において遮蔽フィルム４０８ｃを互いに結合させる。絶縁導体４０６は、概ね単一平面に、かつ二芯同軸又は差動ペアケーブル構成に効果的に配置される。遮蔽電気ケーブル４０２ｃは、遮蔽フィルム４０８ｃ間に配置される複数の接地導体４１２を更に含む。全ての接地導体４１２は、導体セット４０４ｃに含まれる。接地導体４１２の２つ、及び絶縁導体４０６は、概ね単一平面に配置される。
【００６５】
示される遮蔽ケーブルは所望により、１つ以上の導電性ケーブルクリップを使用して、回路基板又は他の終端構成要素に接続され得る。例えば、遮蔽電気ケーブルは、ほぼ単一平面内に構成される複数の離間した導体セットを含んでもよく、各導体セットは、ケーブルの長さに沿って延在する２つの絶縁導体を含み得る。２つの遮蔽フィルムは、ケーブルの両側に配置され得、横方向断面において、導体セットのそれぞれを実質的に囲む。ケーブルクリップは、遮蔽フィルムの少なくとも一方がケーブルクリップと電気的に接触するように、遮蔽電気ケーブルの端部にクランプされるかないしは別の方法で取り付けられてもよい。ケーブルクリップは、例えば、導電性トレース又はプリント基板上の他の接触要素など、設置基準点に終端されて、遮蔽電気ケーブルと接地基準点との間に接地接続を形成してもよい。ケーブルクリップは、はんだ付け、溶接、圧締め、機械的圧締め、及び接着結合を含む任意の好適な方法を使用して接地基準点に終端されてもよい。終端時に、ケーブルクリップは、終端ポイントの接触要素（例えば、プリント基板上の接触要素など）への、遮蔽電気ケーブルの絶縁導体の導体の端部の終端を促進し得る。遮蔽電気ケーブルは、遮蔽フィルムの少なくとも１つに加えて、又はこれの代わりに、ケーブルクリップに電気的に接触し得る、本明細書に記載されるような１つ以上の接地導体を含んでもよい。
【００６６】
図５ａ〜５ｃは、遮蔽電気ケーブルを作製する代表的な方法を例示する。特にこれらの図は、図１において示されるものと実質的に同じであり得る遮蔽電気ケーブルを作製する代表的な方法を例示する。
【００６７】
図５ａに例示される工程において、絶縁導体５０６は、例えば、押出成形などの任意の好適な方法を使用して形成されるか、ないしは別の方法で提供される。絶縁導体５０６は、任意の好適な長さで形成されてもよい。絶縁導体５０６は次いで、そのように提供されてもよく、又は所望の長さに切断されてもよい。接地導体５１２（図５ｃ参照）は、同様の方法で形成及び提供され得る。
【００６８】
図５ｂに図示されている工程において、遮蔽フィルム５０８が形成される。任意の好適な方法、例えば連続ワイドウェブプロセスなどを使用して、単一層又は多層ウェブが形成されてもよい。遮蔽フィルム５０８は、任意の好適な長さで形成されてもよい。遮蔽フィルム５０８は次いで、そのように提供されてもよく、又は所望の長さ及び／又は幅に切断されてもよい。遮蔽フィルム５０８は、横断する部分的な折れ目を有するように事前に形成されて、長手方向の可撓性を増加させてもよい。遮蔽フィルムの一方又は両方は、適合性接着剤層５１０を含んでもよく、これは例えば、積層又はスパッタリングなどの任意の好適な方法を使用して遮蔽フィルム５０８上に形成され得る。
【００６９】
図５ｃに図示されている工程では、複数の絶縁導体５０６、接地導体５１２、及び遮蔽フィルム５０８が提供される。形成ツール５２４が提供される。形成ツール５２４は、最終的な遮蔽電気ケーブルの所望の断面形状に対応する形状を有する形成ロールの対５２６ａ、５２６ｂを含み、形成ツールはまたロール間隙５２８を含む。絶縁導体５０６、接地導体５１２及び遮蔽フィルム５０８が、本明細書において示され、及び／又は記載されるケーブルのいずれかなど、所望の遮蔽ケーブルの構成に従って構成され、かつ形成ロール５２６ａ、５２６ｂの近位に位置付けられて、その後これらは形成ロール５２６ａ、５２６ｂのロール間隙５２８内に同時的に送達されて、形成ロール５２６ａ、５２６ｂの間に配置される。形成ツール５２４は導体セット５０４及び接地導体５１２の周囲に遮蔽フィルム５０８を形成し、遮蔽フィルム５０８を、各導体セット５０４及び接地導体５１２の両側で、互いに結合する。結合を促進するために熱が適用されてもよい。この実施形態では、導体セット５０４及び接地導体５１２の周辺に遮蔽フィルム５０８を形成すること、並びに遮蔽フィルム５０８を互いに、各導体セット５０４及び接地導体５１２の両面上で結合することは単一操作で生じるが、他の実施形態では、これらの工程は別個の操作で生じる場合がある。
【００７０】
続く製造操作において、長手方向の分割部が所望により導体セットの間に形成され得る。分割部は任意の好適な方法、例えばレーザー切断又はパンチング等を使用して、遮蔽電気ケーブルに形成されてもよい。別の任意の製造操作において、遮蔽電気ケーブルは、挟まれた区域に沿って長さ方向に、複数回にわたって折り曲げられて束にされてもよく、外部導電性遮蔽部材が、任意の好適な方法を使用して、折り曲げられた束の周囲に提供されてもよい。外部ジャケットは、例えば、押出成形などの任意の好適な方法を使用して、外部導電性遮蔽部材の周囲に提供されてもよい。他の実施形態において、外部導電性遮蔽部材は省略されてもよく、外部ジャケットはそれ自体、折り曲げられた遮蔽ケーブルの周囲に提供されてもよい。
【００７１】
図６ａ〜６ｃは、遮蔽電気ケーブルを作製する代表的な方法の詳細を例示する。特に、これらの図形は、遮蔽フィルムの形成及び結合の間に、１つ以上の接着剤層がどのようにして適合可能に成形されるかを例示している。
【００７２】
図６ａに示される工程において、絶縁導体６０６、絶縁導体６０６から離間された接地導体６１２、及び２つの遮蔽フィルム６０８が提供される。遮蔽フィルム６０８はそれぞれ順応性接着層６１０を含む。図６ｂ〜６ｃに図示される工程において、遮蔽フィルム６０８は、絶縁導体６０６及び接地導体６１２の周辺に形成され、互いに結合される。最初は、図６ｂに示されるように、接着層６１０は、その元の厚さをまだ有している。遮蔽フィルム６０８の形成及び結合が進むとき、接着剤層６１０は、遮蔽電気ケーブル６０２（図６ｃ）の所望の機械及び電気の性能特性を達成するように適合する。
【００７３】
とりわけ、図１１ｃに図示されるように、接着剤層６１０は、絶縁導体６０６及び接地導体６１２の両側上の遮蔽フィルム６０８の間でより薄く適合し、順応性接着層６１０の一部分は、これらの領域から離れて移動する。更に、順応性接着層６１０は、絶縁導体６０６及び接地導体６１２に直接隣接する領域においてより厚くなるように適合し、絶縁導体６０６及び接地導体６１２に実質的に適合し、接着層６１０の一部分はこれらの領域内に移動する。更に、接着層６１０は遮蔽フィルム６０８と接地導体６１２との間で効果的に除去されるように適合し、接着層６１０は、接地導体６１２が遮蔽フィルム６０８に電気的に接触するように、これらの領域から離れて移動する。
【００７４】
図７ａ及び図７ｂは、代表的な遮蔽電気ケーブルの製造の間、挟まれた区域に関する詳細を例示する。遮蔽電気ケーブル７０２（図７ｂ参照）は、遮蔽フィルム７０８を使用して作製され、挟まれた区域７１８（図７ｂ参照）を含み、ここで遮蔽フィルム７０８は、実質的に平行であり得る。遮蔽フィルム７０８は、非導電性高分子層７０８ｂ、非導電性高分子層７０８ｂ上に配置される導電性層７０８ａ、及び導電性層７０８ａ上に配置される停止層７０８ｄを含む。順応性接着層７１０は、停止層７０８ｄ上に配置される。挟まれた区域７１８は、遮蔽フィルム７０８の間に配置された長手方向接地導体７１２を含む。遮蔽フィルムが接地導体の周囲に一緒に押し付けられた後、接地導体７１２が、遮蔽フィルム７０８の導電性層７０８ａと間接的に電気接触する。この間接的な電気接触は、導電性層７０８ａ及び接地導体７１２の、停止層７０８ｄによる制御された分離によって可能にされる。いくつかの場合において、停止層７０８ｄは、非導電性ポリマー層であるか、又はこれを含み得る。図に示されるように、外部圧力（図１７ａ）は、導電性層７０８ａを互いに圧迫し、接着剤層７１０を、接地導体７１２（図１７ｂ）の周囲に適合するように押し付ける。停止層７０８ｄは、少なくともいくらかのプロセス条件下においては適合しないため、これは接地導体７１２と遮蔽フィルム７０８の導電性層７０８ａとの直接的な電気接触を防ぐが、間接的な電気接触を達成する。停止層７０８ｄの厚さ及び誘電特性は、低い目標直流抵抗、すなわち、間接的な種類の電気接触を達成するように選択され得る。いくつかの実施形態において、接地導体と遮蔽フィルムとの間の特徴的な直流抵抗は、例えば、所望の間接的電気接触を達成するために、１０Ω未満、又は５Ω未満であり得るが、０Ω超である。いくつかの場合において、所与の接地導体と１つ又は２つの遮蔽フィルムとの間に直接的な電気接触を形成することが可能であり、ここでこのような接地導体とこのような遮蔽フィルムとの間の直流抵抗は、実質的に０Ωであり得る。
【００７５】
代表的な実施形態において、遮蔽電気ケーブルのカバー区域は、同心状区域、及び所与の導体セットの片側又は両側に位置付けられる移行区域を含む。同心状区域の所与の遮蔽フィルムの部分は、遮蔽フィルムの同心状部分と称され、移行区域における遮蔽フィルムの部分は、遮蔽フィルムの移行部分と称される。移行区域は、遮蔽電気ケーブルの高い製造可能性、並びに歪み及び応力緩和を提供するように構成され得る。遮蔽電気ケーブルの長さに沿った、実質的に一定の構成（例えば、寸法、形状、容量、及び曲率半径を含む）において移行区域を維持することが、遮蔽電気ケーブルが実質的に均一な電気特性（例えば、高周波分離、インピーダンス、スキュー、挿入損失、反射、モード変換、アイ開口、及びジッタ）を有するために役立つ。
【００７６】
加えて、例えば、導体セットがケーブルの長さに沿って延在する２つの絶縁導体を含み、これらが一般的に単一にかつ二芯同軸ケーブルとして効果的に構成されて、差動ペア回路構成に接続され得る構成など、一定の構成においては、遮蔽電気ケーブルの長さに沿って移行部分を実質的に一定の構成に維持することは、導体セットの両方の導体に関して、理想的な同心状のケースからの実質的に等しい電磁場の偏差を有利に提供し得る。したがって、遮蔽電気ケーブルの長さに沿ったこの移行部分の構成の注意深い制御が、ケーブルの有利な電気性能及び特性に寄与し得る。図８ａ〜１０は、導体セットの片側又は両側に配置される遮蔽フィルムの移行区域を含む、遮蔽電気ケーブルの様々な代表的な実施形態を例示する。
【００７７】
図８ａ及び図８ｂの断面図に示される遮蔽電気ケーブル８０２は、ケーブルの長さに沿って延在する単一の導体セット８０４を含む。ケーブル８０２は、ケーブルの幅にわたって互いに離間し、ケーブルの長さに沿って延在する、多数の導体セット８０４を有するように作製され得る。１つの絶縁導体８０６が図８ａに示されるが、多数の絶縁導体が、所望により導体セット８０４に含まれ得る。
【００７８】
ケーブルの挟まれた区域に最も近く位置付けられる導体セットの絶縁導体は、導体セットの端部導体とみなされる。示されるように、導体セット８０４は、単一の絶縁導体８０６を有し、これは遮蔽電気ケーブル８０２の挟まれた区域８１８に最も近く位置付けられるために、これもまた端部導体である。
【００７９】
第１及び第２遮蔽フィルム８０８は、ケーブルの両側に配置され、カバー部分８０７を含む。横方向断面において、カバー部分８０７は導体セット８０４を実質的に囲む。任意の接着剤層８１０は、遮蔽フィルム８０８の挟まれた部分８０９の間に配置され、導体セット８０４の両側の、ケーブル８０２の挟まれた区域８１８で、遮蔽フィルム８０８を互いに結合する。任意の接着剤層８１０は、遮蔽フィルム８０８のカバー部分８０７にわたり、部分的に又は完全に延在し得る（例えば、導体セット８０４の片側の遮蔽フィルム８０８の挟まれた部分８０９から、導体セット８０４の反対側の遮蔽フィルム８０８の挟まれた部分８０９まで）。
【００８０】
絶縁導体８０６は、シングルエンド回路構成で使用され得る、同軸ケーブルとして、効果的に構成される。遮蔽フィルム８０８は、導電性層８０８ａ及び非導電性高分子層８０８ｂを含み得る。図８ａ及び８ｂに例示されるように、いくつかの実施形態において、両方の遮蔽フィルムの導電性層８０８ａが絶縁導体と面する。あるいは、遮蔽フィルム８０８の一方又は両方の導電性層の向きは、本明細書の他の部分で説明されるように、逆にされてもよい。
【００８１】
遮蔽フィルム８０８は、導体セット８０４の端部導体８０６と実質的に同心状である、同心状部分を含む。遮蔽電気ケーブル８０２は、移行区域８３６を含む。ケーブル８０２の移行区域８３６の遮蔽フィルム８０８の部分は、遮蔽フィルム８０８の移行部分８３４である。いくつかの実施形態において、遮蔽電気ケーブル８０２は、導体セット８０４の両側に位置付けられた移行区域８３６を含み、いくつかの実施形態において、移行区域８３６は、導体セット８０４の片側のみに位置付けられてもよい。
【００８２】
移行区域８３６は、遮蔽フィルム８０８及び導体セット８０４によって画定される。移行区域８３６の遮蔽フィルム８０８の移行区域８３４は、遮蔽フィルム８０８の同心状部分８１１と挟まれた部分８０９との間の段階的な移行を提供する。例えば直角の移行又は移行点（移行部分と反対に）など、急な移行とは反対に、段階的又は緩やかな移行、例えば実質的にＳ字状の移行は、遮蔽フィルム８０８に、移行区域８３６における歪み及び応力緩和を提供し、遮蔽電気ケーブル８０２が使用中である場合に、例えば遮蔽電気ケーブル８０２を横方向若しくは軸方向に曲げるときに、遮蔽フィルム８０８への損傷を防ぐ。この損傷には、例えば導電性層８０８ａにおける破壊、及び／又は導電性層８０８ａと非導電性高分子層８０８ｂとの間の剥離が含まれ得る。更に、段階的な移行は、遮蔽電気ケーブル８０２の製造における遮蔽フィルム８０８への損傷（導電性層８０８ａ及び／又は非導電性高分子層８０８ｂの亀裂若しくは剪断が含まれ得る）を防ぐ。遮蔽電気リボンケーブルの導体セットの１つ、いくつか又は全部の片側又は両側上の開示される移行区域の使用は、例えば、典型的な同軸ケーブル（遮蔽部材は単一の絶縁導体の周囲にほぼ連続的に配置される）又は典型的な従来の二芯同軸ケーブル（遮蔽部材は一対の絶縁導体上に連続的に配置される）などの従来的なケーブル構成からの逸脱を示す。これらの従来的な遮蔽構成は、モデル電磁場プロファイルを提供し得るが、このようなプロファイルは所与の用途における許容可能な電気特性を達成するために必要ではないことがある。
【００８３】
開示される遮蔽電気ケーブルの少なくともいくつかの一態様によると、例えば、移行区域の寸法を低減させ及び／又は遮蔽電気ケーブルの長さに沿った移行区域の構成を注意深く制御することによって、移行区域の電気的衝撃を低減することにより、許容可能な電気特性が達成され得る。移行区域の寸法を低減することにより、電気容量の偏差を低減し、多数の導体セットの間の必要な空間を低減し、それによって導体セットのピッチを低減し、及び／又は導体セット間の電気的分離を増加させる。遮蔽電気ケーブルの長さに沿った移行区域の構成の注意深い制御は、予測可能な電位的挙動及び一貫性の獲得に寄与し、これは高速伝送線を提供し、これによって電気データを確実に伝送することができる。遮蔽電気ケーブルの長さに沿った伝送区域の構成の注意深い制御は、移行部分が寸法の下限に近づく際の要因である。
【００８４】
検討されることが多い電気的特性は、伝送線の特性インピーダンスである伝送線の長さに沿ったインピーダンスの変動により、電力が標的に伝送されずに、反射してソースに戻される場合がある。理想的には、伝送線は、その長さに沿ってインピーダンスの変動は有しないが、対象用途によって、５〜１０％の変動は許容可能である場合がある。二芯同軸ケーブル（差動駆動）で検討されることが多い別の電気的特性は、それらの長さの少なくとも一部分に沿って、１つの対の２つの伝送線の、スキュー、すなわち同等でない転送速度である。スキューは、差動信号のコモンモード信号への変換を生じさせ、これはソースに反射して戻される場合があり、伝送された信号強度を減少させ、電磁放射線を生じさせ、特定のジッタにおいてビット誤り率を著しく増大させ得る。理想的には、一対の伝送線はスキューを有さないが、対象用途によって−２５〜−３０ｄＢ未満から、対象の周波数まで（例えば６ＧＨｚ）の差動モードのＳパラメータ（differential S-parameter）ＳＣＤ２１若しくはＳＣＤ１２値（伝送線の１つの端部から他方へと、差動モードからコモンモードへの変換を表す）が許容可能であり得る。あるいは、スキューはタイムドメインで測定され、要求される仕様と比較することができる。対象用途によって、約２０ピコ秒／メートル（ｐｓ／ｍ）未満、好ましくは約１０ｐｓ／ｍ未満が許容可能であり得る。
【００８５】
再び図８ａ及び図８ｂを参照し、許容可能な電気的特性を部分的に助けるため、遮蔽電気ケーブル８０２の移行区域８３６はそれぞれ、断面移行区域８３６ａを有し得る。移行区域８３６ａは、好ましくは導体８０６の断面積８０６ａよりも小さい。図８ｂに最もよく示されるように、移行区域８３６の断面移行区域８３６ａは、移行点８３４’及び８３４”によって画定される。
【００８６】
移行点８３４’は、遮蔽フィルムが、導体セット８０４の端部絶縁導体８０６との実質的な同心状態から離れるときに生じる。移行点８３４’は、遮蔽フィルム８０８の曲線の符号が変わる、遮蔽フィルム８０８の屈曲点である。例えば、図８ｂを参照し、上方遮蔽フィルム８０８の湾曲は、屈曲点（これは図において上方移行点８３４’である）において、下方の湾曲から上方の湾曲へと移行する。下方遮蔽フィルム８０８の湾曲は、屈曲点（これは図において下方移行点８３４’）において上方の湾曲から下方の湾曲に移行する。他の移行点８３４”は、遮蔽フィルム８０８の挟まれた部分８０９の間の間隔が、所定の因数、例えば１．２又は１．５だけ、挟まれた部分８０９の最小間隔ｄ１を超える際に生じる。
【００８７】
加えて、各移行領域８３６ａは、間隙領域８３６ｂを含み得る。導体セット８０４のいずれかの側の間隙領域８３６ｂは、実質的に同じであり得る。更に、接着剤層８１０は、遮蔽フィルム８０８の同心状部分８１１において厚さＴａｃを、かつ遮蔽フィルム８０８の移行部分８３４で、Ｔａｃより大きな厚さを有し得る。同様に、接着剤層８１０は、遮蔽フィルム８０８の挟まれた部分８０９の間で厚さＴａｐ、及び遮蔽フィルム８０８の移行部分８３４でＴａｐよりも大きな厚さを有し得る。接着剤層８１０は、少なくとも２５％の断面移行区域８３６ａを表し得る。移行面積８３６ａにおける接着剤層８１０の、特に厚さＴａｃ、又は厚さＴａｐよりも大きな厚さにおける存在は、移行区域８３６におけるケーブル８０２の強度に寄与する。
【００８８】
遮蔽電気ケーブル８０２様々な要素の製造プロセス及び材料特性の注意深い制御が、移行区域８３６における、空隙領域８３６ｂ及び柔軟な接着剤層８１０の厚さの変動を低減し、これがひいては、断面移行区域８３６ａの静電容量の変動を低減し得る。遮蔽電気ケーブル８０２は、導体８０６の断面積８０６ａと実質的に同等以下である、断面積移行領域８３６ａを含む、導体セット８０４の片側又は両側に位置付けられる、移行区域８３６を含み得る。遮蔽電気ケーブル８０２は、導体８０６の長さに沿って実質的に同じである断面積移行領域８３６ａを含む、導体セット８０４の片側又は両側に位置付けられる、移行区域８３６を含み得る。例えば、断面積移行領域８３６ａは、１メートルの長さにわたって５０％未満で変動し得る。遮蔽電気ケーブル８０２は、それぞれ断面移行区域を含む導体セット８０４の両側に位置付けられる移行区域８３６を含む場合があり、断面積８３４ａの合計は導体８０６の長さに沿って実質的に同じである。例えば、断面積８３４ａの合計は、１ｍの長さにわたって５０％未満変化する場合がある。遮蔽電気ケーブル８０２は、それぞれ断面移行区域８３６ａを含む導体セット８０４の両側に位置付けられる移行区域８３６を含む場合があり、断面移行区域８３６ａは実質的に同じである。遮蔽電気ケーブル８０２は、導体セット８０４の両側に位置付けられた移行区域８３６を含む場合があり、移行区域８３６は実質的に同一である。絶縁導体８０６は、絶縁厚さＴｉを有し、移行区域８３６は絶縁厚さＴｉ未満である横方向長さＬｔを有してもよい。絶縁導体８０６の中央導体は、直径Ｄｃを有し、移行区域８３６は、直径Ｄｃよりも小さい横方向長さＬｔを有し得る。上記の様々な構成は、所望の範囲に留まる特性インピーダンス、例えば、ターゲットインピーダンス値の５〜１０％以内（例えば５０オーム）を所望の長さ（例えば１メートル）にわたって提供してもよい。
【００８９】
遮蔽電気ケーブル８０２の長さに沿った移行区域８３６の構成に影響し得る要因は、いくつか挙げるとすれば、製造プロセス、導電性層８０８ａ及び非導電性ポリマー層８０８ｂの厚さ、接着剤層８１０、並びに絶縁導体８０６と遮蔽フィルム８０８との間の結合強度を含む。
【００９０】
一態様において、導体セット８０４、遮蔽フィルム８０８及び移行区域８３６は、インピーダンス制御関係において協働的に構成され得る。インピーダンス制御関係とは、導体セット８０４、遮蔽フィルム８０８、及び移行区域８３６が、遮蔽電気ケーブルの特性インピーダンスを制御するように協働的に構成されていることを意味する。
【００９１】
図９は、コネクタセット９０４内に２つの絶縁導体を含む、代表的な遮蔽電気ケーブル９０２を例示し、個別の絶縁された導体９０６はそれぞれ、ケーブル９０２の長さに沿って伸びている。２つの遮蔽フィルム９０８がケーブル９０２の両側に配置され、組み合わされて導体セット９０４を実質的に囲む。任意の接着剤層９１０は、遮蔽フィルム９０８の挟まれた部分９０９の間に配置され、導体セット９０４の両側の、ケーブルの挟まれた区域９１８で、遮蔽フィルム９０８を互いに結合する。絶縁導体９０６は、ほぼ単一平面に、かつ二芯同軸構成に有効に構成され得る。二芯同軸ケーブル構成は、差動ペア回路構成又はシングルエンド回路構成で使用され得る。遮蔽フィルム９０８は、導電性層９０８ａ、及び非導電性ポリマー層９０８ｂを含んでもよく、又は非導電性ポリマー層９０８ｂなしに導電性層９０８ａを含んでもよい。図では、各遮蔽フィルムの導電性層９０８ａは、絶縁導体９０６に面するものとして示されているが、別の実施形態では、遮蔽フィルムの一方又は両方が逆の向きを有してもよい。
【００９２】
遮蔽フィルム９０８の少なくとも一方のカバー部分９０７は、導体セット９０４の対応する端部導体９０６と実質的に同心状にある同心状部分９１１を含む。ケーブル９０２の移行区域において、遮蔽フィルム９０８の移行部分９３４は、遮蔽フィルム９０８の同心状部分９１１と挟まれた部分９０９との間にある。移行部分９３４は、導体セット９０４の両側に位置付けられ、各そのような部分は断面移行区域９３４ａを含む。断面移行区域９３４ａの合計は好ましくは、導体９０６の長さに沿って実質的に同じである。例えば、断面積９３４ａの合計は、１ｍの長さにわたって５０％未満変化する場合がある。
【００９３】
加えて、断面移行区域９３４ａは、実質的に同じ及び／又は実質的に同一であり得る。移行区域のこの構成は、両方共が、例えば１ｍなどの所与の長さにわたり、例えば、両方が、目標インピーダンス値の５〜１０％以内の所望の範囲内にある、導体９０６（シングルエンド）の特性インピーダンス及び差動インピーダンスに寄与する。加えて、移行区域の構成は、これらの長さの少なくとも一部に沿って、２つの導体９０６のスキューを最小化し得る。
【００９４】
ケーブルが折り曲げられず、平坦な構成にあるとき、遮蔽フィルムのそれぞれは、ケーブル９０２の幅にわたって変化する曲率半径により、横方向断面において特徴付けることができる。遮蔽フィルム９０８の最大曲率半径は、例えば、図９における、ケーブル９０２の挟まれた部分９０９で、又は多数導体ケーブルセット９０４のカバー部分９０７の中点付近で生じ得る。これらの位置において、フィルムは実質的に平坦であり得、曲率半径は実質的に無限であり得る。遮蔽フィルム９０８の最小曲率半径は例えば、遮蔽フィルム９０８の移行部分９３４において生じ得る。いくつかの実施形態において、ケーブルの幅にわたる遮蔽フィルムの曲率半径は、少なくとも約５０マイクロメートルであり、すなわち、曲率半径は、ケーブルの縁部の間の、ケーブルの幅に沿ったいずれかの点においても、５０マイクロメートルを下回る大きさを有さない。いくつかの実施形態において、移行部分を含む遮蔽フィルムにおいて、遮蔽フィルムの移行部分の曲率半径は、同様に、少なくとも約５０マイクロメートルである。
【００９５】
折り曲げられていない、平坦な構成において、同心状部分及び移行部分を有する遮蔽フィルムは、同心状部分の曲率半径Ｒ１、及び／又は移行部分の曲率半径ｒ１によって特徴付けることができる。これらのパラメータは、ケーブル９０２に関して、図９に例示される。代表的な実施形態において、Ｒ１／ｒ１は、２〜１５の範囲である。
【００９６】
図１０は別の代表的な遮蔽電気ケーブル１００２を例示し、これは２つの絶縁導体１００６を有する導体セットを含む。この実施形態において、遮蔽フィルム１００８は非対称な構成を有し、これは図９のものなど、より対称的な実施形態に対して、移行部分の位置を変更している。図１０において、遮蔽電気ケーブル１００２は、絶縁導体１００６の対称面からわずかにオフセットされた平面内に位置する、遮蔽フィルム１００８の挟まれた部分１００９を有する。わずかなオフセットにもかかわらず、図１０のケーブル、及びその様々な要素は依然として、ほぼ所与の平面に沿って延在し、かつ実質的に平坦になるものと考えられ得る。移行区域１０３６は、他の示される実施形態に対し、若干オフセットされた位置及び構成を有する。しかしながら、２つの区域１０３６が、対応する絶縁導体１００６に対して（例えば、導体１００６の間の垂直平面に対して）実質的に対称に位置付けられること、及び移行区域１０３６の構成が遮蔽電気ケーブル１００２の長さに沿って注意深く制御されることを確実にすることにより、遮蔽電気ケーブル１００２は、依然として許容可能な電気特性を提供するように構成され得る。
【００９７】
図１１ａ及び図１１ｂは、追加的な代表的な遮蔽電気ケーブルを例示する。これらの図は、ケーブルの挟まれた部分が、遮蔽電気ケーブルの導体セットを電気的に絶縁するように構成される様子を更に説明するために使用される。導体セットは隣接する導体セットから、電気的に絶縁されてもよく（例えば、隣接する導体セット間のクロストークを最小限にするため）、又は遮蔽電気ケーブルの外部環境から電気的に絶縁されてもよい（例えば、遮蔽電気ケーブルから逃れる電磁放射を最小限にし、外部電源からの電磁干渉を最小限にするため）。両方のケースにおいて、挟まれた部分は様々な機械的構造体を含んで、電気的分離を実現させることができる。いくつかの例を挙げると、例には、遮蔽フィルムの近接性、遮蔽フィルム間の高誘電率材料、遮蔽フィルムの少なくとも１つと直接的若しくは間接的に電気的接触をする接地導体、隣接する導体セット間の物理的破断、長手方向、横断方向のいずれか、又は両方で遮蔽フィルムを互いに直接的に断続的に接触させること、及び導電性接着剤が挙げられる。
【００９８】
図１１は、断面図において、遮蔽電気ケーブル１１０２を示し、これは、ケーブル１０２の幅にわたって離間し、ケーブルの長さに沿って長手方向に延在する２つの導体セット１１０４ａ、１０４ｂを含む。各導体セット１１０４ａ、１１０４ｂは、２つの絶縁導体１１０６ａ、１１０６ｂを有する。２つの遮蔽フィルム１１０８は、ケーブル１１０２の両側に配置される。横方向断面において、遮蔽フィルム１１０８のカバー部分１１０７は、ケーブル１１０２のカバー区域１１１４の導体セット１１０４ａ、１１０４ｂを実質的に囲む。導体セット１１０４ａ、１１０４ｂの両側のケーブルの挟まれた区域１１１８において、遮蔽フィルム１１０８は挟まれた部分１１０９を含む。遮蔽電気ケーブル１１０２において、遮蔽フィルム１１０８の挟まれた部分１１０９及び絶縁導体１１０６は、ケーブル１１０２が平坦及び／又は折り曲げられていない構成にあるときに、ほぼ単一平面に構成される。導体セット１１０４ａと１１０４ｂとの間に位置付けられる挟まれた部分１１０９は、導体セット１１０４ａ、１１０４ｂを互いに電気的に絶縁するように構成される。ほぼ平坦な、折り曲げられていない構成に構成されているとき、図１１ａに例示されるように、導体セット１１０４ａ内の第１絶縁導体１１０６ａの、導体セット１１０４ａ内の第２絶縁導体１１０６ｂに対する高周波電気絶縁は、第１導体セット１１０４ａの、第２導体セット１１０４ｂに対する高周波電気絶縁よりも実質的に小さい。
【００９９】
図１１ａに例示されるように、ケーブル１１０２は、遮蔽フィルム１１０８のカバー部分１１０７の間の最大間隔Ｄ、遮蔽フィルム１１０８のカバー部分１１０７の間の最小間隔ｄ２、遮蔽フィルム１１０８の挟まれた部分１１０９の最小間隔ｄ１によって特徴付けることができる。いくつかの実施形態において、ｄ１／Ｄは、０．２５未満、又は０．１未満である。いくつかの実施形態において、ｄ２／Ｄは０．３３超である。
【０１００】
任意の接着剤層は、示されるように、遮蔽フィルム１１０８の挟まれた部分１１０９の間に含まれ得る。接着層は、連続していても、又は不連続であってもよい。いくつかの実施形態において、接着剤層は、ケーブル１１０２のカバー区域１１１４内で完全に又は部分的に（例えば、遮蔽フィルム１１０８のカバー部分１１０７と絶縁導体１１０６ａ、１１０６ｂとの間）に延在してもよい。接着剤層は、遮蔽フィルム１１０８のカバー部分１１０７上に配置されてもよく、導体セット１１０４ａ、１１０４ｂの片側の遮蔽フィルム１１０８の挟まれた部分１１０９から、導体セット１１０４ａ、１１０４ｂの反対側の遮蔽フィルム１１０８の挟まれた部分１１０９に完全に又は部分的に延在し得る。
【０１０１】
遮蔽フィルム１１０８は、ケーブル１１０２の幅にわたる曲率半径Ｒ、及び／又は遮蔽フィルム移行部分１１１２の曲率半径ｒ１、及び／又は遮蔽フィルムの同心状部分１１１１の曲率半径ｒ２により特徴付けることができる。
【０１０２】
移行区域１１３６において、遮蔽フィルム１１０８の移行部分１１１２は、遮蔽フィルム１１０８の同心状部分１１１１と、遮蔽フィルム１１０８の挟まれた部分１１０９との間の段階的な移行を提供するように構成され得る。遮蔽フィルム１１０８の移行部分１１１２は、遮蔽フィルム１１０８の屈曲点であり、同心状部分１１１１の端部を示す第１移行点１１２１から第２移行点１１２２に延在し、遮蔽フィルムの間の間隔は、挟まれた部分１１０９の最小間隔ｄ１を、所定の因数だけ超える。
【０１０３】
いくつかの実施形態において、ケーブル１１０２は、少なくとも約５０マイクロメートルである、ケーブルの幅にわたる曲率半径Ｒ、及び／又は少なくとも約５０マイクロメートルである、遮蔽フィルム１１０２の移行部分１１１２の最小曲率半径ｒ１を有する、少なくとも１つの遮蔽フィルムを含む。いくつかの実施形態において同心状部分の最小曲率半径の、移行部分の最小曲率半径ｒ２／ｒ１に対する比率は、２〜１５の範囲である。
【０１０４】
図１１ｂは、ケーブルの幅にわたり互いに離間し、ケーブルの長さに沿って長手方向に延在する２つの導体セット１２０４を含む、遮蔽電気ケーブル１２０２の断面図である。各導体セット１２０４は１つの絶縁導体１２０６のみを有し、２つの遮蔽フィルム１２０８が、ケーブル１２０２の両側に配置される。横方向断面において、遮蔽フィルム１２０８のカバー部分１２０７は、組み合わされて、ケーブルのカバー区域１２１４の導体セット１２０４の絶縁導体１２０６を実質的に囲む。導体セット１２０４の両側のケーブルの挟まれた区域１２１８において、遮蔽フィルム１２０８は挟まれた部分１２０９を含む。遮蔽電気ケーブル１２０２において、遮蔽フィルム１２０８の挟まれた部分１２０９、及び絶縁導体１２０６は、ケーブル１２０２が平坦及び／又は折り曲げられていない構成にあるときに、ほぼ単一平面に構成され得る。遮蔽フィルム１２０８のカバー部分１２０７、及び／又はケーブル１２０２の挟まれた部分１２１８は、導体セット１２０４を互いに電気的に絶縁するように構成される。
【０１０５】
図に示されるように、ケーブル１２０２は、遮蔽フィルム１２０８のカバー部分１２０７と、遮蔽フィルム１２０８の挟まれた部分１２０９との間の最小間隔ｄ１によって特徴付けられ得る。代表的な実施形態において、ｄ１／Ｄは０．２５未満、又は０．１未満である。
【０１０６】
任意の接着剤層は、示されるように、遮蔽フィルム１２０８の挟まれた部分１２０９の間に、示されるように配置され得る。接着層は、連続していても、又は不連続であってもよい。いくつかの実施形態において、接着剤層は、ケーブルのカバー区域１２１４内で完全に又は部分的に（例えば、遮蔽フィルム１２０８のカバー部分１２０７と絶縁導体１２０６との間）に延在してもよい。接着剤層は、遮蔽フィルム１２０８のカバー部分１２０７上に配置されてもよく、かつ導体セット１２０４の片側の遮蔽フィルム１２０８の挟まれた部分１２０９から、導体セット１２０４の反対側の遮蔽フィルム１２０８の挟まれた部分１２０９に完全に又は部分的に延在してもよい。
【０１０７】
遮蔽フィルム１２０８は、ケーブル１２０２の幅にわたる曲率半径Ｒ、及び／又は遮蔽フィルム１２０８の移行部分１２１２の最小曲率半径ｒ１、及び／又は遮蔽フィルム１２０８の同心状部分１２１１の最小曲率半径ｒ２により特徴付けることができる。ケーブル１２０２の移行区域１２３６、遮蔽フィルム１２０２の移行部分１２１２は、遮蔽フィルム１２０８の同心状部分１２１１と、遮蔽フィルム１２０８の挟まれた部分１２０９との間の段階的な移行を提供するように構成され得る。遮蔽フィルム１２０８の移行部分１２１２は、遮蔽フィルム１２０８の屈曲点であり、同心状部分１２１１の端部を示す第１移行点１２２１から第２移行点１２２２に延在し、遮蔽フィルムの間の間隔は、挟まれた部分１２０９の最小間隔ｄ１を、所定の因数だけ超える。
【０１０８】
いくつかの実施形態において、ケーブルの幅にわたる遮蔽フィルムの曲率半径Ｒは、少なくとも約５０マイクロメートルであり、及び／又は遮蔽フィルムの移行部分の最小曲率半径は、少なくとも５０マイクロメートルである。
【０１０９】
いくつかの場合において、記載される遮蔽ケーブルのいずれかの挟まれた区域は、例えば、少なくとも３０°の角度αで横方向に屈曲されるように構成され得る。挟まれた区域のこの横方向の可撓性は、遮蔽ケーブルが、例えば、丸いケーブルの周囲で使用され得る構成など、任意の好適な構成で折り曲げられることを可能にし得る。いくつかの場合において、挟まれた区域の横方向の可撓性は、２つ以上の比較的薄い個別層を含む、遮蔽フィルムによって可能になる。特に屈曲条件下では、これらの個々の層の一体性を保証するために、それらの間の結合は無傷のままであることが好ましい。挟まれた区域は例えば、約０．１３ｍｍ未満の最小厚さを有し、個々の層の間の結合強度は、プロセス又は使用時の熱暴露後に少なくとも１７．８６ｇ／ｍｍ（１ｌｂｓ／インチ）であり得る。
【０１１０】
ケーブルの挟まれた区域が、所与の導体セットの両側でほぼ同じ寸法及び形状を有することが、開示される遮蔽電気ケーブルの電気特性にとって有益であり得る。任意の寸法変化及び不均衡は、挟まれた区域の長さに沿って、静電容量及びインダクタンスにおける不均衡を作る場合がある。これは次いで、挟まれた部分の長さに沿ったインピーダンスの差、及び隣接する導体セット間のインピーダンス不均衡を生じさせる場合がある。これらの理由に関して少なくとも、遮蔽フィルム間の間隔の制御が望ましい場合がある。いくつかの場合において、ケーブルの挟まれた区域内の遮蔽フィルムの挟まれた部分（導体セットのそれぞれの側）は、約０．０５ｍｍ未満で互いに分離し得る。
【０１１１】
図１２は、従来の電気ケーブルの２つの隣接する導体セット間（導体セットが完全に分離される（すなわちコモン接地を有さない（サンプル１））と、遮蔽フィルム１１０８が約０．０２５ｍｍ離間される（サンプル２）、遮蔽電気ケーブル１１０２（図１１ａに図示）の２つの隣接する導体セット間の遠端クロストーク（ＦＥＸＴ）分離を示し、両方とも約３メートルのケーブル長さを有する。このデータを作成するテスト方法は当該技術において周知である。データはＡｇｉｌｅｎｔ  ８７２０ＥＳ  ５０ＭＨｚ〜２０ＧＨｚ  Ｓ−Ｐａｒａｍｅｔｅｒ  Ｎｅｔｗｏｒｋ  Ａｎａｌｙｚｅｒを使用して生成された。遠端クロストークプロットを比較することによって、従来の電気ケーブル及び遮蔽電気ケーブル１１０２が同様な遠端遠端クロストーク性能を提供するということが分かる。とりわけ、約−３５ｄＢ未満の遠端クロストークが大半の用途に好適であるということが一般に認められている。試験された構成に関して、従来の電気ケーブル及び遮蔽電気ケーブル１１０２の両方が満足のいく電気的分離性能を提供するということが図１２から容易に分かる。遮蔽フィルムを離間させる能力による、挟まれた部分のより高い強度と組み合わせた、良好な電気分離性能は、開示される遮蔽電気ケーブルの少なくともいくつかの、従来的電気ケーブルに対する利点である。
【０１１２】
上記の代表的な実施形態において、遮蔽電気ケーブルは、ケーブルの両側に配置される２つの遮蔽フィルムを含み、これによって横方向断面において、遮蔽フィルムのカバー部分は組み合わされて、所与の導体セットを実質的に囲み、離間する導体セットのそれぞれを個別に囲む。しかしながら、いくつかの実施形態において、遮蔽電気ケーブルは、１つの遮蔽フィルムのみを含んでもよく、これがケーブルの片側にのみ配置される。２つの遮蔽フィルムを有する遮蔽ケーブルと比較した際の、遮蔽ケーブル内に単一の遮蔽フィルムのみを含めることの利点としては、材料費の低減、及び機械的可撓性、製造性、並びにストリッピング及び終端の容易性が挙げられる。単一の遮蔽フィルムは、所与の用途における許容可能なレベルの電磁干渉（ＥＭＩ）分離をもたらすことができ、かつ近接効果を低減することができ、これによって信号減衰を減少させることができる。図１３は、このような、１つの遮蔽フィルムのみを含む遮蔽電気ケーブルの１つの実施例を例示する。
【０１１３】
図１３は、１つの遮蔽フィルム１３０８のみを有する、遮蔽電気ケーブル１３０２を例示する。絶縁導体１３０６は、２つの導体セット１３０４に構成され、それぞれが一対の絶縁導体のみを有するが、本明細書に記載されるように、他の数の絶縁導体を有する導体セットがまた想到される。遮蔽電気ケーブル１３０２は、様々な代表的な位置において接地導体１３１２を含むものとして示されるが、これらのいくつか又は全てが所望により省略され得るか、又は追加的な接地導体が含まれ得る。接地導体１３１２は、導体セット１３０４の絶縁導体１３０６と実質的に同じ方向で延在し、遮蔽フィルム１３０８と、遮蔽フィルムとして機能しないキャリアフィルム１３４６との間に位置付けられる。１つの接地導体１３１２は、遮蔽フィルム１３０８の挟まれた部分１３０９に含まれ、３つの接地導体１３１２は、導体セット１３０４の１つに含まれる。これらの３つの接地導体１３１２の１つが、絶縁導体１３０６と、遮蔽フィルム１３０８との間に位置付けられ、３つの接地導体１３１２の２つが、導体セットの絶縁導体１３０６とほぼ同一平面にあるように構成される。
【０１１４】
信号線、ドレインワイヤー、及び接地ワイヤーに加え、開示されるケーブルのいずれかがまた、典型的にはユーザーにより定義される任意の目的のために、１つ以上の個別のワイヤーを含んでもよい（これらは典型的には絶縁される）。例えば、電力伝送又は低速通信（例えば、１又は０．５Ｇｂｐｓ未満、又は１又は０．５ＧＨｚ未満、又はいくつかの場合においては１ＭＨｚ未満）のために十分であるが、高速通信（例えば、１Ｇｐｂｓ又は１ＧＨｚ超）のために十分でないことのある、これらの追加的なワイヤーは、総称的に、サイドバンドと称され得る。サイドバンドは、電力信号、基準信号又は他の関心の信号を伝送するために使用され得る。サイドバンドにおけるワイヤーは典型的には、互いに、直接的に又は間接的に電気接触せれないが、少なくともいくつかの場合において、これらは互いに遮蔽されないことがある。サイドバンドは、２つ以上、又は３つ以上又は５つ以上など、任意の数のワイヤーを含み得る。
【０１１５】
代表的な遮蔽電気ケーブルに関する更なる情報、及び他の情報は、同日付で出願され、本明細書において参照として組み込まれる、米国特許出願番号第６１／３７８，８７７号、「Ｃｏｎｎｅｃｔｏｒ  Ａｒｒａｎｇｅｍｅｎｔｓ  ｆｏｒ  Ｓｈｉｅｌｄｅｄ  Ｅｌｅｃｔｒｉｃａｌ  Ｃａｂｌｅ」（代理人整理番号第６６８８７ＵＳ００２号）に見出すことができる。
【０１１６】
第２項：高密度遮蔽ケーブル
高パッキング密度の、相互遮蔽導体セットを利用し得る、遮蔽リボンケーブルに関する更なる詳細をここで提供する。開示されるケーブルの設計特性は、これらが、信号リボンケーブル内における、非常に高密度の信号線を可能にする形式で製造されることを可能にする。これは、高密度係合インターフェース及び超薄型コネクタを可能にし、並びに／又は標準的なコネクタインターフェースでの、クロストーク分離を可能にし得る。加えて、高密度ケーブルは、信号ペア当たりの製造費用を低減し、ペアのアセンブリの曲げ剛性を低減し（例えば、一般的に高密度の一方のリボンがより低い密度の２つの重ねたリボンよりも容易に屈曲する）、かつ一方のリボンが一般的に２つの重ねたリボンよりも薄いために、合計厚さを低減することができる。
【０１１７】
開示される遮蔽ケーブルの少なくともいくつかの、１つの潜在的な用途は、コンピューター・システム又は他の電子システムの構成要素又は装置間の高速（Ｉ／Ｏ）データ伝送である。情報技術規格国際委員会（ＩＮＣＩＴＳ）により維持される、ＳＡＳ（シリアルのついたＳＣＳＩ）として既知のプロトコルは、ハードドライブ及びテープドライブなどの、コンピューター記憶装置とのデータの送受信を含む、コンピューターバスプロトコルである。ＳＡＳは、標準的なＳＣＳＩコマンドセットを使用し、ポイントツーポイントシリアルプロトコルを含む。ミニ−ＳＡＳとして既知の仕様は、ＳＡＳ規格内の、特定の種類のコネクタのために開発されてきた。
【０１１８】
ミニ−ＳＡＳケーブルアセンブリなどの、内部用途のための、従来的な二芯同軸（ｔｗｉｎａｘ）ケーブルアセンブリは、個別のｔｗｉｎａｘペアを使用し、各対は、独自の関連するドレインワイヤーを有し、いくつかの場合においては２つのドレインワイヤーを有する。このようなケーブルを終端する際、各ｔｗｉｎａｘペアの各絶縁導体が管理されなくてはならないばかりではなく、各ｔｗｉｎａｘペアの各ドレインワイヤー（又は両方のドレインワイヤー）もまた管理されなくてはならない。これらの典型的なｔｗｉｎａｘペアは、典型的には緩い外部編組内に配置された緩い束に構成され、緩い外部編組は、これらが互いに経路指定され得るように、対を含む。対照的に、本明細書において記載される遮蔽リボンケーブルは、必要であれば、例えば、最初の４ペアリボンケーブルがパドルカードの主表面（例えば、上記の図３ｄ参照）に係合し、次の４ペアリボンケーブル（これらは、最初の４ペアリボンケーブルと構成又は設計において同様又は実質的に同一であり得る）がパドルカードの同じ端部でもう一方の主表面と係合し、４送信遮蔽対及び４受信遮蔽対を有する、４ｘ又は４ｉミニ−ＳＡＳアセンブリを形成する、構成において使用され得る。この構成は、従来的なケーブルｔｗｉｎａｘペアを使用する構成に対して有利であり、１つの理由としてｔｗｉｎａｘ当たり１本未満のドレインワイヤーが使用され得、したがって終端のためにより少ないドレインワイヤーが必要とされるためである。しかしながら、４ペアリボンケーブルの積重ね体を使用する構成は、４ｘ／４ｉアセンブリを提供するために２つの別個のリボンが必要であるという限界を有し、付随的に２つのリボンの管理を必要とし、１つのリボンに対し、２つのリボンの硬度及び厚さの不利な増加を有する。
【０１１９】
開示される遮蔽リボンケーブルは十分に密に作製され得、すなわち、十分に小さいワイヤー間の間隔、十分に小さい導体セットの間隔、及び十分に小さいドレインワイヤーの数及びドレインワイヤー間隔、適切な損失特性及びクロストーク、又は遮蔽特性を有し、単一のリボンケーブル、又は多数のリボンケーブルが積み重ねた構成ではなく、横並びに構成されコネクタと係合するように単一平面に沿って延在することを可能にする。このリボンケーブルは、少なくとも３つのｔｗｉｎａｘペアを合計で含むことができ、かつ多数のケーブルが使用される場合、少なくとも１つのリボンが少なくとも２つのｔｗｉｎａｘペアを含み得る。代表的な実施形態において、単一のリボンケーブルが使用され得、必要であれば、単一の対がコネクタ又は他の終端構成要素の２つの平面又は主要表面に経路指定され得るが、リボンケーブルは、１つの平面のみに沿って延在する。経路指定は多くの方法で達成され得、個別の導体の先端部又は端部は、リボンケーブルの平面外に折られて、終端構成要素の一方又は他方の主要表面に接触してもよく、又は終端構成要素は、導電性貫通孔又はビアを使用してもよく、これは例えば、一方の主表面の１つの導電経路部分を、他方の主表面の別の導電経路部分に接続させる。高密度ケーブルにとって特に重要なことに、好ましくは、リボンケーブルはまた導体セットよりも少ないドレインワイヤーを含み、導体セットの一部又は全部がｔｗｉｎａｘである場合、すなわち、導体セットの一部又は全部がそれぞれ一対の絶縁導体のみを含む場合、ドレインワイヤーの数は好ましくはｔｗｉｎａｘペアの数よりも少ない。所与のケーブルのドレインワイヤーが、典型的にはケーブルの幅寸法に沿って互いに離間しているため、ドレインワイヤーの数の低減はケーブルの幅を低減させることを可能にする。ドレインワイヤーの数の低減はまた、ケーブルと終端構成要素との間に必要な接続部の数を低減させることにより、製造を単純化し、したがって、作製工程の数を低減し、作製に必要な時間を低減する。
【０１２０】
更に、より少ないドレインワイヤーを使用し、残るドレインワイヤーは最も近い信号線から通常よりも遠く離して位置付けられ、ケーブル幅の僅かな増加のみによって、終端プロセスを遥かに容易にする。例えば、所与のドレインワイヤーは、ドレインワイヤーの中心から、最も近い導体セットの最も近い導体ワイヤーの中心までの間隔σ１によって特徴付けられてもよく、最も近い導体セットは、絶縁された導体の中心間隔σ２によって特徴付けられてもよく、σ１／σ２は０．７超であり得る。対照的に、従来的なｔｗｉｎａｘケーブルは、絶縁導体間隔の０．５倍＋ドレインワイヤー直径の、ドレインワイヤー間隔を有する。
【０１２１】
開示される遮蔽電気リボンケーブルの代表的な高密度実施形態において、２つの隣接するｔｗｉｎａｘペアの間の中心間隔又はピッチ（この距離は以下で図１６と関連してΣと称される）は、１つの対内の信号線の中心間隔（この距離以下で図１６と関連してσと称される）の少なくとも４倍未満、及び好ましくは３倍未満である。Σ／σ＜４又はΣ／σ＜３として表され得るこの関係は、内部用途のために設計されるジャケット無しケーブル、及び外部用途のために設計されるジャケットケーブルの両方のために満たされ得る。本明細書の他の部分に説明されるように、多数のｔｗｉｎａｘペアを有し、許容可能な損失及び遮蔽（クロストーク）特性を有する遮蔽電気リボンケーブルを示してきた（Σ／σは２．５〜３の範囲）。
【０１２２】
所与の遮蔽リボンケーブルの密度を特徴付ける別の方法（ケーブルの導体セットのいずれかがｔｗｉｎａｘ構成の導体の対を有するかどうかにかかわらず）は、２つの隣接する導体セットの最も近い絶縁導体を参照とする。したがって、遮蔽ケーブルが平坦に配置される場合、第１導体セットの第１絶縁導体は、第２（隣接する）導体セットに最も近く、第２導体セットの第２絶縁導体は、第１導体セットに最も近い。第１及び第２絶縁導体の中心間隔はＳである。第１絶縁導体は外径Ｄ１（例えば、その絶縁体の直径）を有し、第２絶縁導体は外径Ｄ２（例えば、その絶縁体の直径）を有する。多くの場合において、導体セットは、同じ寸法の絶縁導体を使用し、この場合Ｄ１＝Ｄ２である。しかしながら、いくつかの場合において、Ｄ１及びＤ２は異なる場合がある。パラメータＤｍｉｎは、Ｄ１及びＤ２のうちの小さい方として定義され得る。当然、Ｄ１＝Ｄ２である場合、Ｄｍｉｎ＝Ｄ１＝Ｄ２である。本明細書において記載される遮蔽電気リボンにおいての設計特性を使用し、Ｓ／Ｄｍｉｎが１．７〜２の範囲である、このようなケーブルを作製することができる。
【０１２３】
密接パッキング又は高密度は、開示されるケーブルの以下の特徴の１つ以上によって部分的に達成され得る：最小数のドレインワイヤー、又は換言すれば、コネクタセットごとに１つ未満のドレインワイヤー（及びいくつかの場合においては、２つ、３つ又は４つ以上のコネクタセットにおいて１つ未満のドレインワイヤー、例えば、全ケーブルにおいて１つ又は２つのドレインワイヤーのみ）を使用してケーブル内のコネクタセットの一部又は全部のために十分な遮蔽を提供する能力の必要性、隣接する導体セットの間の高周波信号分離構造（例えば、好適な形状の遮蔽フィルム）、ケーブル構成において使用される比較的少なく、薄い層、並びに絶縁導体、ドレインワイヤー及び遮蔽フィルムの適切な配置及び構成を保証する形成プロセス（かつケーブルの長さに沿って均一性を提供するような方法で行う）。高密度特性は、パドルカード又は他の線形配列に対してマスストリッピング及びマス終端されることができるケーブルに、有利に提供され得る。マスストリッピング及び終端は、ケーブル内の１つ、一部又は全部のドレインワイヤーを、これらの対応する最も近い信号線（最も近い導体セットの最も近い絶縁導体）から、導体セットの隣接する絶縁導体との間の半分の間隔よりも大きな距離で、及び好ましくはこのような間隔の０．７倍よりも大きな距離で離間させることによって促進される。
【０１２４】
ドレインワイヤーを遮蔽フィルムに電気的に接続し、遮蔽フィルムを適切に形成して各導体セットを囲むことにより、遮蔽構造は単独で隣接する導体セットの間に適切な高周波クロストーク分離を提供することができ、最小数のドレインワイヤーのみで遮蔽リボンケーブルを構成することができる。代表的な実施形態において、所与のケーブルは２つのドレインワイヤーのみを有することができる（その一方は、ケーブルの各縁部に又はその付近に位置し得る）が、一本のドレインワイヤーのみでも可能であり、当然３本以上のドレインワイヤーも可能である。ケーブル構成においてより少ないドレインワイヤーを使用することにより、パドルカード又は他の終端構成要素により少ない終端パッドが必要とされ、この構成要素はしたがってより小さくすることができ、及び／又はより高い信号密度を支持することができる。より少ないドレインワイヤーが存在してより小さいリボン幅を消費するため、ケーブルは同様に、より小さく（より狭く）することができ、かつより高い信号密度を有し得る。より少ない数のドレインワイヤーは、開示の遮蔽されたケーブルが、従来的な別個のｔｗｉｎａｘケーブルリボンケーブル、別個のｔｗｉｎａｘペアで構成されるリボンケーブル、及び一般的なリボンケーブルよりも高い密度を支持することを可能にする重要な要因である。
【０１２５】
近端クロストーク及び／又は遠端クロストークは、開示されるケーブル及びケーブルアセンブリを含む、任意の電気ケーブルの信号完全性又は遮蔽の重要な尺度となり得る。信号線（例えば、ｔｗｉｎａｘペア又は他の導体セット）をケーブル及び終端領域内でより近くグループ化することは、望ましくないクロストークを増加させる傾向にあるが、本明細書において開示されるケーブル設計及び終端設計は、この傾向に抵抗するために使用され得る。ケーブル内のクロストーク及びコネクタ内のクロストークの問題は、別個に対処され得るが、クロストーク低減の向上のために、クロストーク低減のこれらの方法のいくつかは一緒に使用され得る。高周波遮蔽を増加させ、開示されるケーブル内のクロストークを低減させるため、ケーブルの両側の２つの遮蔽フィルムを使用して、導体セット（例えば、ｔｗｉｎａｘ）を囲む遮蔽部材をできるだけ完全に形成することが望ましい。したがって、組み合わせたカバー部分が、いずれかの所与の導体セットを実質的に囲む（例えば、導体セットの外辺部の少なくとも７５％又は少なくとも８０、８５％又は９０％）ように、遮蔽フィルムを形成することが望ましい。また多くの場合において、ケーブルの挟まれたゾーンの遮蔽フィルムの間のいずれかの間隙を最小化すること（排除を含む）、並びに／あるいは直接接触若しくはふれあい、又は１つ以上のドレインワイヤーを通じた電気的接触、又は２つの遮蔽フィルムの間の導電性接着剤の使用により、２つの遮蔽フィルムの間の低いインピーダンス又は直接的な電気接触を使用することが望ましい。所与のケーブル又はシステムにおいて、別個の「送信」及び「受信」ｔｗｉｎａｘペア又は導体が規定又は指定される場合、全てのこのような「送信」導体を物理的に互いに隣接するようにグループ化し、かつ全てのこのような「受信」導体を物理的に互いに隣接するが、可能な程度送信対から隔離するように、同じリボンケーブル内でグループ化することによって、高周波遮蔽はまた、ケーブル及び／又は終端構成要素において、向上させてもよい。導体の送信グループはまた、１つ以上のドレインワイヤー又は本明細書の別の部分に記載される他の分離構造によって、導体の受信グループから分離されていてもよい。いくつかの場合において、２つの別個のリボンケーブル、（１つは送信導体のもの、他方は受信導体のもの）が使用され得るが、２つ（又はそれ以上）のケーブルが、好ましくは積み重ねるのではなく、横並びの構成で構成され、それによってリボンケーブルの単一の可撓性平面の利点が維持され得る。
【０１２６】
記載される遮蔽ケーブルは、３〜１５ＧＨｚの特定の周波数で、１メートルケーブル長さにおいて、クロストークＣ１によって特徴付けられる所定の導体セットにおける隣接する絶縁導体の間の高周波分離を示してもよく、かつその特定の周波数のおけるＣ２（Ｃ２は少なくともＣ１より１０ｄＢ低い）により、特徴付けられる、所与の導体セットと隣接する導体セットとの間の高周波分離（第１導体セットからケーブルの挟まれた部分により分離される）を呈し得る。あるいは、又は加えて、記載される遮蔽ケーブルは、ミニ−ＳＡＳ用途において使用されるものと同様の、又は同じ遮蔽仕様を満たしてもよい：所与の信号強度の信号が送信導体セットの一方（又は受信導体セットの一方）にケーブルの一端で連結され、受信導体セットの全て（又は送信導体セットの全て）の累積信号強度が計算される（ケーブルの同じ端部で測定される）。累積信号強度の元の信号強度に対する比率として計算され、デシベルで表現される、近端クロストークは、好ましくは−２６ｄＢ未満である。
【０１２７】
ケーブル端部が適切に遮蔽されない場合、ケーブル端部におけるクロストークは、所与の用途にとって顕著となり得る。開示されるケーブルでの潜在的な解決法は、導体セット内のいずれかの浮遊電磁界を含むように、遮蔽フィルムの構造を絶縁導体の終端点に可能な限り近く維持することである。ケーブルに加え、パドルカード又は他の終端構成要素の設計詳細はまた、システムにおける適切なクロストーク分離を維持するように調整され得る。方法としては、送信及び受信信号を互いに、可能な程度電気的に分離することが挙げられる（これら２つの信号種類に関連する終端及び経路指定ワイヤー、並びに導体を、互いに可能な限り物理的に遠く離す）。１つの選択肢は、このようなワイヤー及び導体をパドルカードの別個の側面（表裏をなす主表面）で終端することであり、これはパドルカードの異なる平面又は両面上で信号を自動的に経路指定するために使用され得る。別の選択肢は、このようなワイヤー及び導体を横方向に可能な限り離して、送信ワイヤーを受信ワイヤーから横方向に分離することである。これらの方法の組み合わせはまた、更なる分離のために使用され得る。この点においては、先に引用された、同日付で出願され、本明細書において参照として組み込まれる、米国特許出願番号第６１／３７８，８７７号「Ｃｏｎｎｅｃｔｏｒ  Ａｒｒａｎｇｅｍｅｎｔｓ  ｆｏｒ  Ｓｈｉｅｌｄｅｄ  Ｅｌｅｃｔｒｉｃａｌ  Ｃａｂｌｅ」（代理人整理番号第６６８８７ＵＳ００２号）を参照する。これらの方法は、従来的な寸法又はより小さい寸法のパドルカード、加えてリボンケーブルの単一平面と組み合わせて、開示される高密度リボンケーブルと共に使用され得、その両方が顕著なシステムの利益を提供し得る。
【０１２８】
読者は、パドルカード終端に関連する上記の説明、及びパドルカードを対象とする本明細書の別の部分の説明がまた、任意の他の種類の終端をも包含するものとして理解されるべきであることに留意する。例えば、鍛造された金属コネクタは、リボンケーブルと接続する、１列又は２列の以上の接触子の線形配列を含み得る。このような列は、パドルカードのものと類似であり得、これはまた接触子の２つの線形配列も含み得る。開示されるケーブル及び終端構成要素の、同じ、ずらして配置された、交互の、かつ分離された終端方法が利用され得る。
【０１２９】
損失又は減衰は、多くの電気ケーブル用途において、別の重要な検討事項である。高速入出力用途の１つの典型的な損失仕様は、ケーブルが約−６ｄＢ未満、例えば、５ＧＨｚの周波数の損失を有するものである。（この点において、読者は、例えば、−５ｄＢの損失は、−６ｄＢの損失よりも小さいことを理解する。）このような仕様は、単に導体セットの絶縁導体及び／又はドレインワイヤーにより薄いワイヤーを使用することによってケーブルを小型化しようとすることに制限を課す。一般的に他の要因が同等であれば、ケーブルに使用されるワイヤーが薄くされれば、ケーブル損失は増加する。ワイヤーのメッキ（例えば、銀メッキ、スズメッキ、又は金メッキ）は多くの場合においてケーブル損失に影響を与えることがあるが、３２ゲージ（３２ＡＷＧ）（約０．０３２ｍｍ２）未満、又はわずかに小さい寸法は、これが中実芯線であろうと、又は撚り線設計であろうか、一定の高速入出力用途における、信号線における実際的により低い寸法制限を呈し得る。しかしながら、より小さいワイヤー寸法は、他の高速用途において実行可能であり得、技術における利点がまたより小さいワイヤー寸法を許容可能なものにするものと、期待され得る。
【０１３０】
ここで図１４を参照すると、ケーブルシステム１４０１が確認され、これはパドルカードなどの、終端構成要素１４２０と組み合わせた遮蔽電気リボンケーブル１４０２を含む。本明細書の別の部分に示され、記載される設計特徴及び特性のいずれかを有し得るケーブル１４０２は、８つの導体セット１４０４、及び２つのドレインワイヤー１４１２を有するものとして示され、それぞれが、ケーブルの各縁部、又はその付近に配置される。各導体セットは実質的にｔｗｉｎａｘペアであり、すなわち各導体が２つの絶縁導体１４０６のみを含み、各導体セットは好ましくは高速データ信号を送信及び／又は受信するように調整されている。当然、他の数の導体セット、所与の導体セット内の他の数の絶縁導体及び、他の数のドレインワイヤー（必要であれば）が一般的にケーブル１４０２に使用され得る。しかしながら、８つのｔｗｉｎａｘペアは、４つの「レーン」又は「チャネル」（各レーン又はチャネルは正確に１つの送信対、及び正確に１つの受信対を有する）と使用するために設計されたパドルカードの現在の普及率のために、ある程度重要である。ケーブルの、一般的に平坦な又は平面的な設計、及びその設計特徴は、示されるように、容易に屈曲するか、ないしは別の方法で操作することを可能にし、一方で導体セットの良好な高周波遮蔽及び許容可能な損失を維持する。ドレインワイヤーの数（２）は、導体セットの数（８）よりも実質的に少なく、ケーブル１４０２が実質的により小さい幅ｗ１を有することを可能にする。２つのドレインワイヤーのみが含まれているため（本実施形態において）このようなより小さい幅は、ドレインワイヤー１４１２が最も近い信号ワイヤー（最も近い絶縁導体１４０６）に対して、最も近い導体セットの信号線の間隔の少なくとも０．７倍で離間している場合においてさえも、実現され得る。
【０１３１】
終端構成要素１４２０は、第１端部１４２０ａ及び反対側の第２端部１４２０ｂ、並びに第１主表面１４２０ｃ及び反対側の第２主表面１４２０ｄを有する。導電経路１４２１は、例えば、構成要素１４２０の少なくとも第１主表面１４２０ｃ上に、印刷若しくは他の従来的な堆積プロセス、及び／又はエッチングプロセスによって提供される。この点において、導電経路は、典型的には硬質若しくは剛性であるが、いくつかの場合においては柔軟である、好適な電気的に絶縁した基材上に堆積される。各導電経路は典型的には、構成要素の第１端部１４２０ａから第２端部１４２０ｂに延在する。表される実施形態において、ケーブル１４０２の個別のワイヤー及び導体は、導電経路１４２１の各１つに電気的に接続される。
【０１３２】
単純化のために、各経路は、構成要素１４２０又は基材の一端から、構成要素の同じ主表面の他端まで延在する、直線として示される。いくつかの場合において、導電経路の１つ以上が基材中の孔又は「ビア」を通じて延在してもよく、それによって例えば、経路の一部分及び一端が主表面上に位置し、経路の別の部分及び他端が基材の反対側の主表面上に位置する。また、いくつかの場合において、ケーブルのワイヤー及び導体のいくつかは、基材の１つの主表面上の導電経路（例えば、接触パッド）に取り付けられてもよく、一方でワイヤー及び導体の他の部分が基材の反対側の主表面上だが、構成要素の同じ端部において、導電経路（例えば、接触パッド）に取り付けられてもよい。これは、例えば、ワイヤー及び導体の端部を一方の主表面に向けて上方に、又は他方の主表面に向けて下方に、わずかに曲げることによって達成され得る。いくつかの場合において、遮蔽ケーブルの信号線及び／又はドレインワイヤーに対応する全ての導電経路が、基材の１つの主表面上に配置され得る。いくつかの場合において、導電経路の少なくとも１つが、基材の一方の主表面上に配置されてもよく、導電経路の少なくとも別の１つが、基材の反対側の主表面上に配置され得る。いくつかの場合において、導電経路の少なくとも１つが、基材の第１主表面上において、第１端部で第１部分を、基材の反対側の第２主表面上において第２端部で第２部分を有し得る。いくつかの場合において、遮蔽ケーブルの交互の導体セットが、基材の表裏をなす主表面上の導電経路に取り付けられてもよい。
【０１３３】
終端構成要素１４２０又はその基材は幅ｗ２を有する。代表的な実施形態において、ケーブルの幅ｗ１は、構成要素の幅ｗ２よりも有意に大きいことはなく、それによって、例えば、ケーブルのワイヤーと構成要素の導電経路との間に必要な接続を形成するために、ケーブルがその端部において折り返されるか、又は一緒に束にされる必要がない。一部の場合には、ｗ１は、ｗ２よりも若干大きくすることができるが、依然として十分に小さいことにより、導体セットの端部は、接続点及びその付近で、ケーブルの概して平面的な構成を依然として保ちつつ、関連する導電経路に接続するために、漏斗タイプの方式で、ケーブルの平面内で屈曲させることができる。いくつかの場合において、ｗ１は、ｗ２と同等以下であり得る。従来的な４つのチャネルパドルカードは、現在１５．６ミリメートルの幅を有し、したがって、遮蔽ケーブルの少なくともいくつかの用途においては、約１６ｍｍ以下、又は約１５ｍｍ以下の幅を有することが望ましい。
【０１３４】
図１５及び１６は、代表的な遮蔽電気ケーブルの正面断面図であり、これらの図はまた導体セットの密度を特徴付けるために有用なパラメータをも示す。遮蔽ケーブル１５０２は、少なくとも導体セット１５０４ａ、１５０４ｂ及び１５０４ｃを含み、これらは、ケーブルの両側の第１及び第２遮蔽フィルム１５０８と、好適に形成された、これらの対応するカバー部分、挟まれた部分及び移行部分により、互いに遮蔽される。遮蔽ケーブル１６０２は同様に、少なくとも３つの導体セット１６０４ａ、１６０４ｂ及び１６０４ｃを含み、これらは、第１及び第２遮蔽フィルム１６０８によって互いに遮蔽される。ケーブル１５０２の導体セットは、異なる数の絶縁導体１５０６を含み、導体セット１５０４ａは１つ、導体セット１５０４ｂは３つ、及び導体セット１５０４ｃは２つを有する（ｔｗｉｎａｘ設計において）。導体セット１６０４ａ、１６０４ｂ、１６０４ｃは全てｔｗｉｎａｘ設計であり、正確に２つの絶縁導体１６０６を有する。図１５及び図１６に示されないが、各ケーブル１５０２、１６０２は好ましくはまた、図１又は図１４に示されるように、ケーブルの縁部又はその付近で好ましくは遮蔽フィルムに挟持される、少なくとも１つ及び任意により２つ（以上）のドレインワイヤーを含む。
【０１３５】
図１５では、２つの隣接する導体セットの最も近い絶縁導体に関連する、いくつかの特定される寸法が示される。導体セット１５０４ａは、セット１５０４ｂに隣接する。セット１５０４ａの絶縁導体１５０６はセット１５０４ｂに最も近く、セット１５０４ｂの、最も左側（図の視点から）の絶縁導体１５０６はセット１５０４ａに最も近い。セット１５０４ａの絶縁導体は外径Ｄ１を有し、セット１５０４ｂの最も左側の絶縁導体は外径Ｄ２を有する。これらの絶縁導体の中心間の間隔はＳ１である。パラメータＤｍｉｎを、Ｄ１及びＤ２の小さい方として定義すると、高密度にパッキングされた遮蔽ケーブルについて、Ｓ１／Ｄｍｉｎは１．７〜２の範囲にあるものと指定することができる。
【０１３６】
また図１５において、導体セット１５０４ｂは隣接する導体セット１５０４ｃに隣接する。セット１５０４ｂの最も右側の絶縁導体１５０６は、セット１５０４ｃに最も近く、セット１５０４ｃの最も左側の絶縁導体１５０６は、セット１５０４ｂに最も近い。セット１５０４ｂの最も右側の絶縁導体１５０６は、外径Ｄ３を有し、セット１５０４ｃの最も左側の絶縁導体１５０６は、外径Ｄ４を有する。これらの絶縁導体の中心間の間隔はＳ３である。パラメータＤｍｉｎを、Ｄ３及びＤ４の小さい方として定義すると、密にパッキングされた遮蔽ケーブルについて、Ｓ３／Ｄｍｉｎは１．７〜２の範囲にあるものと指定することができる。
【０１３７】
図１６において、隣接するｔｗｉｎａｘペアの少なくとも一方のセットを有するケーブルに関連する、いくつかの指定された寸法が示される。導体セット１６０４ａ、１６０４ｂは、隣接するｔｗｉｎａｘペアの１つのそのようなセットを表す。これらの２つの導体セットの間の中心間の間隔及びピッチは、Σとして表現される。ｔｗｉｎａｘ導体セット１６０４ａ内の信号線の間の中心間隔はσ１として表現される。ｔｗｉｎａｘ導体セット１６０４ｂ内の信号線の中心間隔はσ２として表現される。密にパッキングされた遮蔽ケーブルにおいて、Σ／σ１及びΣ／σ２の一方又は両方が、４未満、又は３未満、又は２．５〜３の範囲にあることを特定できる。
【０１３８】
図１７ａ及び図１７ｂにおいて、ケーブルシステム１７０１の平面図及び側面図がそれぞれ観察されるが、これはパドルカードなどの終端構成要素１７２０と組み合わされた遮蔽電気リボンケーブル１７０２を含む。本明細書の別の部分に示され、記載される設計特徴及び特性のいずれかを有し得るケーブル１７０２は、８つの導体セット１７０４、及び２つのドレインワイヤー１７１２を有するものとして示され、それぞれが、ケーブルの各縁部、又はその付近に配置される。各導体セットは実質的にｔｗｉｎａｘペアであり、すなわち各導体が２つの絶縁導体１７０６のみを含み、各導体セットは好ましくは高速データ信号を送信及び／又は受信するように調整されている。図１４と丁度同じように、ドレインワイヤーの数（２）は、導体セットの数（８）よりも実質的に少なく、例えば、ケーブル１７０２が、導体セットごとに１つ又は２つのドレインワイヤーを有するケーブルに対して、実質的に小さい幅を有するのを可能にする。２つのドレインワイヤーのみが含まれているため（本実施形態において）このようなより小さい幅は、ドレインワイヤー１７１２が最も近い信号ワイヤー（最も近い絶縁導体１７０６）に対して、最も近い導体セットの信号線の間隔の少なくとも０．７倍で離間している場合においてさえも、実現され得る。
【０１３９】
終端構成要素１７２０は、第１端部１７２０ａ及び反対側の第２端部１７２０ｂを有し、第１主表面１７２０ｃ及び反対側の第２主表面１７２０ｄを有する、好適な基材を含む。導電経路１７２１は、基材の少なくとも第１主表面１７２０ｃ上に提供される。各導電経路は典型的には、構成要素の第１端部１７２０ａから第２端部１７２０ｂに延在する。導電経路は、構成要素の両端において接触パッドを含むものとして示され、図においては、ケーブル１７０２の個別のワイヤー及び導体が、対応する接触パッドにおいて、導体経路１７２１の各１つと電気的に接続するものとして示される。基材上の導電経路の配置、構成及び配列、並びにケーブルの様々なワイヤー及び導体の配置、構成及び配列、並びにこれらの終端構成要素の主要表面の一方又は両方へと取り付けに関し、本明細書の多の部分で記載されるバリエーションは、またシステム１７０１に適用されることが意図される。
【実施例１】
【０１４０】
一般的な設計のケーブル１４０２（図１４参照）を有する遮蔽電気リボンケーブルが作製された。信号線のために、８つのｔｗｉｎａｘペアに構成された１６本の絶縁３２ゲージ（ＡＷＧ）（０．０３２ｍｍ２）ワイヤー、及びドレインワイヤーのためにケーブルの縁部に沿って構成された２本の非絶縁３２（ＡＷＧ）（０．０３２ｍｍ２）ワイヤーを使用した。使用された１６本の信号ワイヤーのそれぞれが、銀メッキを有する銅の中実芯線を有した。２つのドレインワイヤーはそれぞれ、撚り構成（各７回の撚り）を有し、スズメッキされた。絶縁ワイヤーの絶縁部材は、０．０２５インチ（０．０６３５ｃｍ）の公称外径を有した。１６本の絶縁ワイヤー及び２本の非絶縁ワイヤーは、図５ｃに示されるものと同様の装置に送達され、２つの遮蔽フィルムに挟持された。遮蔽フィルムは実質的に同一であり、以下の構成を有した：ポリエステルの基層（０．０００４８インチ（０．００１２２ｃｍ）厚さ）、その上にアルミニウムの連続的な層（０．０００２８インチ（０．０００７１１ｃｍ）厚さ）が配置され、その上に非導電性接着剤の連続的な層（０．００１インチ（０．００２５４ｃｍ）厚さ）が配置された。遮蔽フィルムは、フィルムの金属コーティングが互いに面し、導体セットに面するように、向けられた。プロセス温度は約２７０°Ｆ（１３２℃）であった。このプロセスによって作製される、生じるケーブルは撮像されて、図１８ａに平面図が示され、ケーブルの端部の斜位図が１８ｂに示される。図において、１８０４は、ｔｗｉｎａｘ導体セットを指し、１８１２はドレインワイヤーを指す。
【０１４１】
生じるケーブルは、信号線に使用される絶縁導体内の中実芯線の同心性の欠如のために、理想的ではなかった。それでも、非同心性の問題を考慮しつつ（補正しつつ）、ケーブルの一定のパラメータ及び特性が測定され得る。例えば、寸法Ｄ、ｄ１、ｄ２（図２ｃ参照）はそれぞれ、約０．０２８インチ（０．０７１ｃｍ）、０．００１５インチ（０．００３８ｃｍ）及び０．０２８インチ（０．０７１ｃｍ）であった。横方向断面において、いずれの遮蔽フィルムのどの部分も、ケーブルの幅に沿ったいずれの点においても、５０マイクロメートル未満の曲率半径を有さなかった。所与のドレインワイヤーと、最も近いｔｗｉｎａｘ導体セットの最も近い絶縁ワイヤーの中心間隔は、約０．８３ｍｍであり、各導体セット内の絶縁ワイヤーの中心間隔（例えば、図１６のパラメータσ１及びσ２参照）は約０．０２５インチ（０．６４ｍｍ）であった。隣接するｔｗｉｎａｘ導体セットの中心間隔（図１６のパラメーターΣ参照）は約０．０７１５インチ（１．８ｍｍ）であった。間隔パラメータＳ（図１５のＳ１及びＳ３）は約０．０４６５インチ（０．１１８ｃｍ）であった。縁部間で測定される、ケーブルの幅は、約１６〜１７ミリメートルであり、ドレインワイヤーの間の間隔は１５ミリメートルであった。ケーブルは、ドレインワイヤーを含め、容易にマス終端可能であった。
【０１４２】
これらの値から以下が見出される：ドレインワイヤーから最も近い信号線までの間隔は、各ｔｗｉｎａｘペア内のワイヤー間隔の約１．３倍であり、したがって、ワイヤー間隔の０．７倍超であり；ケーブル密度パラメータΣ／σは約２．８６（すなわち、２．５〜３の範囲内）；他方のケーブル密度パラメータＳ／Ｄｍｉｎは約１．７であり（すなわち、１．７〜２の範囲内）、ｄ１／Ｄ（遮蔽フィルムの挟まれた部分の最小間隔を、遮蔽フィルムのカバー部分の間の最大間隔で割る）は約０．０５であり（すなわち、０．２５未満、かつまた０．１未満；比率ｄ２／Ｄ（絶縁導体の間の区域内の遮蔽フィルムのカバー部分の間の最小分離を、遮蔽フィルムのカバー部分の間の最大間隔で割る）は約１であった（すなわち、０．３３超）。
【０１４３】
ケーブルの幅（すなわち、約１６ｍｍの縁部間、及び１５．０ｍｍのドレインワイヤー間）は、従来的なミニ−ＳＡＳ内部ケーブル外部成形終端の幅（典型的には、１７．１ｍｍ）より小さく、ミニ−ＳＡＳパドルカードの典型的な幅（１５．６ｍｍ）とほぼ同じであったことにも留意されたい。パドルカードよりも小さい幅は、ワイヤー端部の横方向の調節を必要とせずに、ケーブルからパドルカードへの、単純な１対１の経路指定を可能にする。ケーブルが終端基盤又はハウジングよりも僅かに広い場合でも、外部ワイヤーは、基盤の外側縁部上のパッドに合うように、横方向に経路指定又は屈曲させることができる。物理的にこのケーブルは、他のリボンケーブルに対して２倍の密度を提供することができ、アセンブリは厚さが半分であり得（必要とされるリボンが１つ少ないため）、他の共通ケーブルよりも薄いコネクタを可能にし得る。ケーブル端部は、本明細書の別の部分で説明される終端構成要素と接続するために、任意の好適な方法で終端及び操作され得る。
【０１４４】
第３項：オンデマンドドレインワイヤー機構を有する遮蔽ケーブル
オンデマンドドレインワイヤー機構を利用し得る、遮蔽リボンケーブルに関する詳細を更に提供する。
【０１４５】
開示される遮蔽電気ケーブルの多くにおいて、遮蔽フィルムの一方又は両方と直接的又は間接的に電気接触するドレインワイヤーは、ケーブルの実質的全長にわたってこのような電気接触を行う。ドレインワイヤーは、その後、終端位置において外部接地接続部へと結合されて、クロストークを生成し得るいずれかの浮遊信号を低減し（又は「ドレイン」）、電磁干渉（ＥＭＩ）を低減するために、遮蔽部材に接地基準を提供してもよい。発明を実施するための形態の、この項において、ケーブル長さ全体に沿ってではなく、ケーブルの１つ以上の分離領域における、所与のドレインワイヤーと所与の遮蔽フィルムとの間に電気接触を提供する、構成及び方法を、より完全に記載する。分離領域における電気接触によって特徴付けられる構成及び方法は場合によってオンデマンド技術と称される。
【０１４６】
このオンデマンド技術は、本明細書の別の部分で記載される遮蔽ケーブルを使用してもよく、ケーブルは、ドレインワイヤーの長さの全部又は少なくとも実質的な部分において、ドレインワイヤーと少なくとも１つの遮蔽フィルムとの間に高いＤＣ電気抵抗を有する少なくとも１つのドレインワイヤーを含むように作製される。このようなケーブルは、オンデマンド技術を説明する目的のために、非処理ケーブルと称され得る。非処理ケーブルは、直流抵抗を実質的に低減し、局部区域においてドレインワイヤーと遮蔽フィルムとの間に電気接触（直接的又は間接的）を提供するために、少なくとも１つの特定の局部区域において処理され得る。局部区域の直流抵抗は例えば、１０Ω以下、又は２Ω以下又は実質的にゼロΩであり得る。
【０１４７】
非処理ケーブルは、少なくとも１つのドレインワイヤー、少なくとも１つの遮蔽フィルム、及び少なくとも１つの導体セット（これは高速信号を伝送するために好適な少なくとも１つの絶縁導体を含む）を含み得る。図１９は、非処理ケーブルとして機能し得る、代表的な遮蔽電気ケーブル１９０２の正面断面図であるが、実質上、本明細書において示されるか又は記載される他の任意の遮蔽ケーブルもまた使用され得る。ケーブル１９０２は、３つの導体セット１９０４ａ、１９０４ｂ、１９０４ｃを含み、これらはそれぞれ、１つ以上の絶縁導体を含み、ケーブルはまた、６つのドレインワイヤー１９１２ａ〜ｆを有し、これらは実証の目的のために様々な位置に示される。ケーブル１９０２はまた、ケーブルの両側に配置され、好ましくはそれぞれ、カバー部分、挟まれた部分及び移行部分を有する、２つの遮蔽フィルム１９０８を含む。最初に、非導電性接着剤材料、又は他の柔軟な非導電性材料が、各ドレインワイヤーを一方の又は両方の遮蔽フィルムから分離する。ドレインワイヤー、遮蔽フィルム及びその間の非導電性材料は、遮蔽フィルムが、局部区域又は処理区域において、オンデマンドにより、ドレインワイヤーと直接的又は間接的に電気接触するように作製され得る。その後、示されるドレインワイヤー１９１２ａ〜ｆのいずれかと、遮蔽フィルム１９０８との間で、この選択的な電気接触を達成するために、好適な処理プロセスが使用される。
【０１４８】
図２０ａ、２０ｂ及び２１は、遮蔽ケーブル又はその部分の正面断面図であり、これらはこのような処理プロセスの少なくともいくらかを実証する。図２０ａは、遮蔽電気ケーブル２００２の一部が、対向する遮蔽フィルム２００８を含み、これらそれぞれが、導電性層２００８ａ及び非導電性層２００８ｂを含み得る。遮蔽フィルムは、各遮蔽フィルムの導電性層がドレインワイヤー２０１２及び他の遮蔽フィルムと面するように向けられる。別の実施形態において、遮蔽フィルムの一方又は両方の非導電性層が省略され得る。重要なことに、ケーブル２００２は遮蔽フィルム２００８の間に非導電性材料（例えば、誘電性材料）２０１０を含み、これはドレインワイヤー２０１２を各遮蔽フィルム２００８から分離する。いくつかの場合において、材料２０１０は、非導電性の柔軟な接着剤材料であるか、又はこれを含み得る。いくつかの場合において、材料２０１０は、０．０２ｍｍ又は他の一定の好適な厚さの、ポリオレフィンなどの熱可塑性誘電性材料であるか、又はこれを含み得る。いくつかの場合において、材料２０１０は、ケーブル製造の前に遮蔽フィルムの一方又は両方を被覆する、薄い層の形態であり得る。いくつかの場合において、材料２０１０は、ケーブル製造の前の（及び非処理ケーブルの）ドレインワイヤーを被覆する薄い絶縁層の形態であり得、この場合、このような材料は、図２０ａ及び図２０ｂに示される実施形態とは異なり、ケーブルの挟まれた区域内まで延在しない場合がある。
【０１４９】
極限的接続を形成するために、圧縮力及び／又は熱が限定的な領域又はゾーンの内部に適用されて、材料２０１０を効果的にずらすことにより、遮蔽フィルム２００８をドレインワイヤー２０１２と、恒久的に電気接触させる。電気接触は直接的又は間接的であってもよく、１０Ω未満、又は２Ω未満、又は実質的に０Ωの、局部的処理区域における直流抵抗によって特徴付けられる場合がある。（ドレインワイヤー２０１２の非処理部分は、引き続き、遮蔽フィルムと物理的に分離しており、高い直流抵抗（例えば、＞１００Ω）によって特徴付けられるが、ただし当然、ドレインワイヤーの非処理部分がドレインワイヤーの非処理部分を通じて遮蔽フィルムと電気的に接続する）処理手順は、以降の工程において、ケーブルの異なる別個の領域において繰り返されてもよく、及び／又は任意の所与の単一の工程において、ケーブルの複数の分離した領域において行われてもよい。遮蔽ケーブルはまた、好ましくは、より高速のデータ通信のための、１つ以上の分離信号線の少なくとも１つのグループを含む。図２１において、例えば、遮蔽ケーブル２１０２は、遮蔽フィルム２１０８によって提供される遮蔽を有する、複数のｔｗｉｎａｘ導体セット２１０４を有する。ケーブル２１０２はドレインワイヤー２１１２を含み、そのうちの２つ（２１１２ａ、２１１２ｂ）が、例えば、圧力、熱、放射線及び／又は他の任意の好適な媒介により、処理構成要素２１３０を使用して、単一の工程で処理されるものとして、示される。処理構成要素は好ましくはケーブル２１０２の長さと比較して小さい長さ（図の平面と垂直な軸に沿った寸法）を有し、それにより、処理される区域も同様に、ケーブルの長さと比較して小さい。オンデマンドドレインワイヤー接触子の処理プロセスは、（ａ）ケーブル製造中、（ｂ）終端プロセスのために長さにケーブルが切断された後、（ｃ）終端プロセスの間（更に、ケーブルが終端されるときに同時に）、（ｄ）ケーブルがケーブルアセンブリに作製された後（例えば、終端構成要素の、ケーブルの両端への取り付けの後）、又は（ｅ）（ａ）〜（ｄ）のいずれかの組み合わせ、において行われ得る。
【０１５０】
ドレインワイヤーと、遮蔽フィルムの一方又は両方との間の局部的電気接触を提供するための処理は、いくつかの場合においては、圧縮を使用し得る。この処理は、材料を著しく変形して接触を生じる、高い局部的な力で、室温において、又は上記の熱可塑性材料がより容易に流れ得る高温で実行されてもよい。処理はまた、接触を形成するために、この領域に超音波エネルギーを供給することも含み得る。また、処理プロセスは、遮蔽フィルム及びドレインワイヤーを分離する誘電性材料中の導電性粒子の使用、並びに／又はドレインワイヤー及び／若しくは遮蔽フィルムに提供されるアスペリティにより、補助されてもよい。
【０１５１】
図２２ａ及び図２２ｂは、ドレインワイヤーと遮蔽フィルムとの間のオンデマンドの接触を提供するように選択することができる、別の構成を示す、遮蔽電気ケーブルアセンブリ２２０１の平面図である。両方の図において、遮蔽電気リボンケーブル２２０２は、その両端において、終端構成要素２２２０、２２２２と接続している。終端構成要素はそれぞれ、ケーブル２２０２の各ワイヤー及び導体との電気的接続のために、上部に提供される別個の導電経路を有する基材を含む。ケーブル２２０２は、高速データ通信に適合されたｔｗｉｎａｘ導体セットなど、絶縁導体のいくつかの導体セットを含む。ケーブル２２０２はまた、２つのドレインワイヤー２２１２ａ、２２１２ｂを含む。ドレインワイヤーは、各終端構成要素の各導電経路と接続する端部を有する。ドレインワイヤーはまた、ケーブルの少なくとも１つの遮蔽フィルムの付近に位置付けられ（例えば、これによって被覆され）、及び好ましくは、例えば図１９及び図２０ａの断面図に示される２つのこのようなフィルムの間に位置付けられる。以下に記載される局部的処理領域又はゾーンを除き、ドレインワイヤー２２１２ａ、２２１２ｂは、ケーブルの長さに沿ったいずれの点においても遮蔽フィルムと電気的に接触せず、かつこれは任意の好適な手段、例えば、本明細書の別の部分に記載される電気的分離技術のいずれかを利用することによって達成され得る。非処理領域における、ドレインワイヤーと遮蔽フィルムとの間の直流抵抗は、例えば、１００Ω超であり得る。しかしながら、ケーブルは、好ましくは、所与のドレインワイヤーと所与の遮蔽フィルムとの間の電気的接触を提供するように、上記の選択されたゾーン又は領域において処理される。図２２ａにおいて、ケーブル２２０２は、ドレインワイヤー２２１２ａと遮蔽フィルムとの間の電気的接触を提供するように局部領域２２１３ａにおいて処理され、これはまた、ドレインワイヤー２２１２ｂと遮蔽フィルムとの間に電気的接触を提供するように局部領域２２１３ｂ、２２１３ｃにおいて処理されている。図２２ｂにおいて、ケーブル２２０２は、同じ局部領域２２１３ａ及び２２１３ｂにおいて、また異なる局部領域２２１３ｄ、２２１３ｅで処理されるものとして示される。
【０１５２】
いくつかの場合において、多数の処理領域が、余分に、又は他の目的のために、単一のドレインワイヤーのために使用され得る。他の場合において、単一の処理領域が所与のドレインワイヤーのために使用され得る。いくつかの場合において、第１ドレインワイヤーの第１処理領域が、第２ドレインワイヤーの第２処理領域と同じ長さ方向の位置で配置されてもよい（図２２ａ、２２ｂの領域２２１３ａ、２２１３ｂ参照、及び図２１に示される手順も参照）。いくつかの場合において、１つのドレインワイヤーの処理領域は別のドレインワイヤーの処理領域と、異なる長さ方向位置において配置されてもよい（図２２ａの領域２２３１ａ及び２２１３ｃ、又は図２２ｂの領域２２１３ｄ及び２２１３ｅ参照。いくつかの場合１つのドレインワイヤーの処理領域は、別のドレインワイヤーが遮蔽フィルムといかなる局部的電気接触を有さない、ケーブルの長さ方向の位置に配置されてもよい（図２２ａの領域２２１３ｃ、又は図２２ｂの領域２２１３ｄ又は領域２２１３ｅ参照）。
【０１５３】
図２３は、ドレインワイヤーと遮蔽フィルムとの間のオンデマンドの接触を提供するように選択することができる、別の構成を示す、別の遮蔽電気ケーブルアセンブリ２３０１の平面図である。アセンブリ２３０１において、遮蔽電気リボンケーブル２３０２は、その両端において、終端構成要素２３２０、２３２２と接続している。終端構成要素はそれぞれ、ケーブル２３０２の各ワイヤー及び導体との電気的接続のために、上部に提供される別個の導電経路を有する基材を含む。ケーブル２３０２は、高速データ通信に適合されたｔｗｉｎａｘ導体セットなど、絶縁導体のいくつかの導体セットを含む。ケーブル２３０２はまた、いくつかのドレインワイヤー２３１２ａ〜ｄを含む。ドレインワイヤーは、各終端構成要素の各導電経路と接続する端部を有する。ドレインワイヤーはまた、ケーブルの少なくとも１つの遮蔽フィルムの付近に位置付けられ（例えば、これによって被覆され）、及び好ましくは、例えば図１９及び図２０ａの断面図に示される２つのこのようなフィルムの間に位置付けられる。以下に記載される局部的処理領域又はゾーンを除き、少なくともドレインワイヤー２３１２ａ、２３１２ｄは、ケーブルの長さに沿ったいずれの点においても遮蔽フィルムと電気的に接触せず、かつこれは任意の好適な手段、例えば、本明細書の別の部分に記載される電気的分離技術のいずれかを利用することによって達成され得る。非処理領域における、ドレインワイヤーと遮蔽フィルムとの間の直流抵抗は、例えば、１００Ω超であり得る。例えば、ケーブルは、好ましくは、これらのドレインワイヤーと所与の遮蔽フィルムとの間の電気的接触を提供するように、上記の選択されたゾーン又は領域において処理される。この図において、ケーブル２３０２は、ドレインワイヤー２３１２ａと遮蔽フィルムとの間に電気的接触を提供するように局部領域２３１３ａで処理されるように示され、かつ、ドレインワイヤー２３１２ｄと遮蔽フィルムとの間に電気的接触を提供するように、局部領域２３１３ｂ、２３１３ｃで処理されるものとして示される。ドレインワイヤー２３１３ｂ、２３１２ｃの一方若しくは両方が、局部的処理のために好適な種類であり得、又は一方若しくは両方が、これらが、ケーブル製造中にこれらの実質的全長に沿って遮蔽フィルムと電気接触を形成する、より標準的な方法で作製されてもよい。
【０１５４】
（実施例）
この項においては２つの実施例が示される。最初に、２つの実質的に同等の非処理遮蔽電気リボンケーブルが、図２１に示される遮蔽ケーブルと同じ数及び構成の導体セット及びドレインワイヤーで作製された。各ケーブルは、同じ構成を有する２つの反対側の遮蔽フィルムを使用して作製された：ポリエステルの基層（０．０００４８インチ（０．００１２２ｃｍ）厚さ）、その上にアルミニウムの連続的な層（０．０００２８インチ（０．０００７１ｃｍ）厚さ）が配置され、その上に非導電性接着剤の連続的な層（０．００１インチ（０．００２５４ｃｍ）厚さ）が配置された。４つのｔｗｉｎａｘ導体セットを作製するために各ケーブルで使用される８つの絶縁導体は、３０ゲージ（ＡＷＧ）（０．０５１ｍｍ２）、中実芯線、銀メッキ銅線であった。各ケーブルに使用される８つのドレインワイヤーは、３２ゲージ（ＡＷＧ）（０．０３２ｍｍ２）、スズメッキ、７つの撚り線であった。製造プロセスに使用される設定は、各ドレインワイヤーと各遮蔽フィルムとの間に接着剤材料（ポリオレフィン）の薄い層（１０マイクロメートル未満）が残り、非処理ケーブルにおいてこれらの間の電気接触を防ぐように、調節された。２つの非処理ケーブルはそれぞれ、約１メートルの長さに切断され、一端においてマス終端された。
【０１５５】
これらの非処理ケーブルの最初の１つは、最初に試験されて、ドレインワイヤーのいずれかが遮蔽フィルムのいずれかと電気接触しているかどうかを決定した。これは、ケーブルのストリッピングした端部でマイクロオームメーターを、２つのドレインワイヤーの全ての２８の可能な組み合わせに接続することによって行われた。これらの測定は、組み合わせのいずれにおいても測定可能な直流抵抗を生じず、すなわち、全ての組み合わせが、１００Ωを遥かに超える直流抵抗を生成した。その後、図２１に示されるように、２つの隣接するドレインワイヤーが、これらのドレインワイヤーと２つの遮蔽フィルムとの間の局部的な接触領域を提供するように、一工程において処理された。別の２つの隣接するドレインワイヤー、例えば、図２１の左側の、２１１２と標示される２つの隣接するワイヤーがまた、第２工程で同じように処理された。各処理は、ケーブルの一部をツールで圧迫することによって達成され、ツールは、約０．２５インチ（０．６３５ｃｍ）長さ、及び０．０５インチ（０．１２７）幅、でありツール幅はケーブルの１つの長さ方向位置において、２つの隣接するドレインワイヤーを被覆する。各処理部分は、ケーブルの一端から約３ｃｍであった。この第１実施例において、ツール温度は２２０℃であり、約７５〜１５０パウンド（３４〜６８ｋｇ）の力が、各処理部分において１０秒間適用された。ツールがその後、取り除かれて、ケーブルが冷却された。マイクロオームメーターがその後、処理された端部の反対側のケーブル端部で接続され、２つのドレインワイヤーの全ての２８の可能な組み合わせが再び試験された。１つの対（処理されたドレインワイヤーの２つ）直流抵抗は１．１Ωと測定され、２つのドレインワイヤーの全ての他の組み合わせの直流抵抗（処理端部の反対側のケーブル端部で測定される）は測定可能ではなく、すなわち、１００Ωを遥かに超えた。
【０１５６】
これらの非処理ケーブルの２つ目は、最初に試験されて、ドレインワイヤーのいずれかが遮蔽フィルムのいずれかと電気接触しているかどうかを決定した。これはまた、ケーブルのストリッピングされた端部においてマイクロオームメーターを、２つのドレインワイヤーの２８の全ての可能な組み合わせに接続することによって行われ、測定値はやはり、組み合わせのいずれにおいても測定可能な直流抵抗を生じず、すなわち、全ての生成される直流抵抗が１００Ωを遥かに超えた。その後、図２１に示されるように、２つの隣接するドレインワイヤーが、これらのドレインワイヤーと２つの遮蔽フィルムとの間の局部的な接触領域を提供するように、第１工程において処理された。この処理は、実施例１と同じツールで行われ、処理部分はケーブルの第１端部から約３ｃｍであった。第２処理工程において、同じ２つのドレインワイヤーが、第１工程と同じ条件下で処理されたが、第１端部と反対の、ケーブルの第２端部から３ｃｍの位置であった。第３工程において、図２１の左側の、２１１２と標示される２つの隣接するワイヤーが、やはりケーブルの第１端部から３ｃｍで、第１工程と同じ方法で処理された。第４処理工程において、工程３で処理された同じ２つのドレインワイヤーが同じ条件で処理されたが、ケーブルの第２端部から３ｃｍの処理位置であった。この第２実施例において、ツール温度は２１０℃であり、約７５〜１５０パウンド（３４〜６８ｋｇ）の力が、各処理工程において１０秒間適用された。ツールがその後、取り除かれて、ケーブルが冷却された。マイクロオームメーターがその後ケーブルの一端で接続され、２つのドレインワイヤーの全ての２８の可能な組み合わせの試験が行われた。５つの組み合わせにおいて、０．６Ωの平均直流抵抗が測定され（全てのこれらの組み合わせは処理領域を有する４つのドレインワイヤーを含む）、処理領域を有する４つのドレインワイヤーを含む残りの組み合わせにおいて、２１．５Ωの直流抵抗が測定された。２つのドレインワイヤーの全ての他の組み合わせの直流抵抗は、測定可能ではなく、すなわち、１００Ωを遥かに超えた。
【０１５７】
図２４ａは、これらの実施例に関して作製及び処理された、遮蔽電気ケーブルの１つの写真である。４つの局部処理された領域を観察することができる。図２４ｂは、図２４ａの一部の拡大詳細図であり、局部処理領域の２つを示す。図２４ｃは、図２４ａの正面断面設計の前方正面図の概略図である。
【０１５８】
第４項：多数のドレインワイヤーを有する遮蔽ケーブル
ここで、多数のドレインワイヤーを利用し得る遮蔽リボンケーブル、及びケーブルの一端又は両端に１つ以上の終端構成要素を有するこのようなケーブルの固有の組み合わせに関する更なる詳細を提供する。
【０１５９】
従来的な同軸又はｔｗｉｎａｘケーブルは、多数の別個のグループのワイヤーを使用し、それぞれが、これらの独自のドレインワイヤーを有し、ケーブルと終端点との間の接地接続を形成する。本明細書において記載される遮蔽ケーブルの有利な態様は、これらが、図１９に示されたように、構造全体を通じて多くの位置にドレインワイヤーを含み得ることである。任意の所与のドレインワイヤーは遮蔽構造に直接（ＤＣ）接続され得、ＡＣは遮蔽部材に接続され（低インピーダンスＡＣ接続）、又は遮蔽部材に弱く接続されるか又は全く接続されない場合がある（高いＡＣインピーダンス）。ドレインワイヤーは細長い導体であるため、これらは遮蔽ケーブルを超えて延在し、係合コネクタの接地終端との接続を形成することができる。開示されるケーブルの利点は、遮蔽フィルムによって提供される電気遮蔽部材が全体のケーブル構造において共通であるため、一般的により少ないドレインワイヤーがいくつかの用途において使用され得ることである。
【０１６０】
遮蔽リボンケーブルの導電性遮蔽部材を通じて電気的に相互接続することができる、様々な異なるドレインワイヤー構成を有利に提供するために、開示される遮蔽ケーブルを使用し得ることが見出された。要するに、開示される遮蔽ケーブルのいずれかが、少なくとも第１及び第２ドレインワイヤーを含み得る。第１及び第２ドレインワイヤーが、ケーブルの長さに沿って延在してもよく、かつ少なくとも、それらの両方が第１遮蔽フィルムと電気接触することの結果として、互いに電気接続してもよい。このケーブルは、ケーブルの第１端部において１つ以上の第１終端構成要素、及びケーブルの第２端部において１つ以上の第２終端構成要素と組み合わされてもよい。いくつかの場合において、第１ドレインワイヤーは１つ以上の第１終端構成要素と電気的に接続してもよいが、１つ以上の第２終端構成要素と電気的に接続しなくてもよい。いくつかの場合において、第１ドレインワイヤーは１つ以上の第２終端構成要素と電気的に接続してもよいが、１つ以上の第１終端構成要素と電気的に接続することができない。
【０１６１】
第１及び第２ドレインワイヤーは、ケーブルの長さに沿って延在する複数のドレインワイヤーの部材であってもよく、数ｎ１のドレインワイヤーが１つ以上の第１終端構成要素と接続してもよく、数ｎ２のドレインワイヤーが１つ以上の第２終端構成要素に接続し得る。数ｎ１は、ｎ２と異なり得る。更に、１つ以上の第１終端構成要素は、全部で数ｍ１の第１終端構成要素を有してもよく、１つ以上の第２終端構成要素は、全部で数ｍ２の第２終端構成要素を有してもよい。いくつかの場合において、ｎ２＞ｎ１、及びｍ２＞ｍ１である。いくつかの場合において、ｍ１＝１である。いくつかの場合において、ｍ１＝ｍ２である。いくつかの場合において、ｍ１＜ｍ２である。いくつかの場合において、ｍ１＞１、及びｍ２＞１である。
【０１６２】
これらのような構成は、１つのドレインワイヤーを外部接続部に接続し、１つ以上の他のドレインワイヤーを共通の遮蔽部材のみに接続させる能力を提供し、それによってこれら全ての効果的に外部接地に結合する。したがって、有利なことに、ケーブル中の全てのワイヤーが外部接地構造に接続する必要はなく、これはコネクタにおいてより少ない係合接続部を必要とすることにより、接続を単純化するために使用され得る。別の潜在的な利点は、ドレインワイヤーの２つ以上が外部接地及び遮蔽部材に接続される際に、余分の接触子が作製され得ることである。この場合、１つのドレインワイヤーで遮蔽部材又は外部接地と接触を形成できない場合があるが、他のドレインワイヤーを通じて、依然として良好に外部接地と遮蔽部材との間の電気接触を良好に形成する。更に、ケーブルアセンブリがファンアウト構成を有する場合、ケーブルの一端が１つの外部コネクタ（ｍ１＝１）、及び共通接地点に接続され、他端が多くのコネクタ（ｍ２＞１）に結合され、そして、多くのコネクタ端部において使用される（ｎ２）よりも少なくない接続部（ｎ１）が共通端部に作製され得る。このような構成によって提供される、単純化された接地は、終端において必要とされるより少ない複雑性、及びより少ない数の接触パッドという点において利益を提供し得る。
【０１６３】
これらの構成の多くにおいて、遮蔽フィルムを通じたドレインワイヤーの固有の相互接続された性質は（ただし、当然問題のドレインワイヤーは遮蔽フィルムと電気接触している）、終端構成を単純化するために使用され、より密な（より狭い）接続ピッチを提供することができる。１つの単純な実施形態では、高速導体セット及び多くのドレインワイヤーを含む遮蔽ケーブルが、両端においてコネクタの各端部に終端され、全部よりも少ないドレインワイヤーが各端部において終端するが、一端において終端した各ドレインワイヤーがまた他端においても終端されている。終端していないドレインワイヤーは、これらがまた接地点に直接的又は間接的に結合されているので、依然として低い電位に維持される。関係する実施形態において、ドレインワイヤーの１つが一端において接続されていてもよいが、他端において接続されていない（意図的に又は誤りにより）ことがある。この状況によりまた、接地構造は、１つのドレインワイヤーが各端部において接続されている限りにおいて維持される。別の関連する実施形態において、一端において取り付けられているドレインワイヤーは、他端において取り付けられているドレインワイヤーと同じではない。この単純な形態が、図２５に示される。この図において、ケーブルアセンブリ２５０１は、一端において終端構成要素２５２０に接続され、他端において終端構成要素２５２２に接続される、遮蔽電気ケーブル２５０２を含む。ケーブル２５０２は、これが第１ドレインワイヤー２５１２ａ及び第２ドレインワイヤー２５１２ｂ（これらは両方とも、少なくとも１つの遮蔽フィルムに電気的に接続される）を含む限り、実質的に、本明細書において示される、又は記載されるいずれの遮蔽ケーブルであり得る。示されるように、ドレインワイヤー２５１２ｂが、構成要素２５２２ではなく、構成要素２５２０に接続し、ドレインワイヤー２５１２ａは、構成要素２５２０でなく構成要素２５２２に接続する。接地電位（又は他の制御された電位）は、ドレインワイヤー２５１２ａ、２５１２ｂ、及びケーブル２５０２の遮蔽フィルムの間において、これらの相互電気接続により共通であるため、共通接地により構造内において同じ電位が維持される。終端構成要素２５２０、２５２２の両方は、有利なことに、未使用の導電経路を排除することによって、有利に、より小さく（狭く）される。
【０１６４】
これらの技術を示す、更なる複雑な実施形態が図２６ａ〜２６ｂに示される。これらの図において、遮蔽ケーブルアセンブリ２６０１はファンアウト構成を有する。アセンブリ２６０１は、第１端部で終端構成要素２６２０に接続され、第２端部（これは３つの別個のファンアウト区分に分割される）で終端構成要素２６２２、２６２４、２６２６に接続される遮蔽電気リボンケーブル２６０２を含む。図２６ｂの断面図に最もよくみられ、図２６ａの直線２６ｂ−２６ｂに沿って取られるが、ケーブル２６０２は、絶縁導体の３つの導体セット（１つは同軸タイプ及び２つはｔｗｉｎａｘタイプ）、及び８つのドレインワイヤー２６１２ａ〜ｈを含む。８つのドレインワイヤーは全て、ケーブル２６０２内の、少なくとも１つの、及び好ましくは２つの遮蔽フィルムに電気的に接続される。同軸導体セットは終端構成要素２６２６に接続し、１つのｔｗｉｎａｘ導体セットは終端構成要素２６２４に接続し、他のｔｗｉｎａｘ導体セットは終端構成要素２６２２に接続し、全ての３つの導体セットは、ケーブルの第１端部において終端構成要素２６２０に接続する。８つ全てのドレインワイヤーは、ケーブルの第２端部の終端構成要素に接続してもよく、すなわち、ドレインワイヤー２６１２ａ、２６１２ｂ及び２６１２ｃが、終端構成要素２６２６の適切な導電経路に接続されてもよく、ドレインワイヤー２６１２ｄ及び２６１２ｅは、終端構成要素２６２４の適切な導電経路に接続されてもよく、ドレインワイヤー２６１２ｆ及び２６１２ｇは終端構成要素２６２２の適切な導電経路に接続され得る。しかしながら、有利なことに、８つ未満のドレインワイヤーが、ケーブルの第１端部で終端構成要素２６２０に接続されてもよい。図において、ドレインワイヤー２６１２ａ及び２６１２ｈのみが、構成要素２６２０の適切な導電経路に接続されているものとして示される。ドレインワイヤー２６１２ｂ〜ｇと終端構成要素２６２０との間の終端接続を省略することにより、アセンブリ２６０１の製造は単純化及び効率化される。更に、例えば、ドレインワイヤー２６１２ｄ及び２６１２ｅは、導電経路を接地電位（又は別の所望の電位）に結合するが、これらのいずれも、終端構成要素２６２０に物理的に接続されない。
【０１６５】
上記のパラメータｎ１、ｎ２、ｍ１及びｍ２に関し、ケーブルアセンブリ２６０１は、ｎ１＝２、ｎ２＝８、ｍ１＝１、及びｍ２＝３である。
【０１６６】
別のファンアウトケーブルアセンブリ２７０１は、図２７ａ〜ｂに示される。アセンブリ２７０１は、第１端部で終端構成要素２７２０に接続され、第２端部（これは３つの別個のファンアウト区分に分割される）で終端構成要素２７２２、２７２４、２７２６に接続される遮蔽電気リボンケーブル２７０２を含む。図２７ｂの断面図に最もよく見られ、図２７ａの直線２７ｂ−２７ｂに沿って取られるが、ケーブル２７０２は、絶縁導体の３つの導体セット（１つは同軸タイプ及び２つはｔｗｉｎａｘタイプ）、及び８つのドレインワイヤー２７１２ａ〜ｈを含む。８つのドレインワイヤーは全て、ケーブル２７０２内の、少なくとも１つの、及び好ましくは２つの遮蔽フィルムに電気的に接続される。同軸導体セットは終端構成要素２７２６に接続し、１つのｔｗｉｎａｘ導体セットは終端構成要素２７２４に接続し、他のｔｗｉｎａｘ導体セットは終端構成要素２７２２に接続し、全ての３つの導体セットは、ケーブルの第１端部において終端構成要素２７２０に接続する。６つ全てのドレインワイヤーは、ケーブルの第２端部で終端構成要素に接続してもよく、すなわち、ドレインワイヤー２７１２ｂ及び２７１２ｃが、終端構成要素２７２６の適切な導電経路に接続されてもよく、ドレインワイヤー２７１２ｄ及び２７１２ｅは、終端構成要素２７２４の適切な導電経路に接続されてもよく、ドレインワイヤー２７１２ｆ及び２７１２ｇは終端構成要素２７２２の適切な導電経路に接続され得る。これらの６つのドレインワイヤーのいずれも、ケーブルの第１端部の終端構成要素２７２０に接続されない。ケーブルの第１端部において、他の２つのドレインワイヤー、すなわちドレインワイヤー２７１２ａ及び２７１２ｈは、構成要素２７２０の適切な導電経路に接続される。ドレインワイヤー２７１２ｂ〜ｇと終端構成要素２７２０との間の、及びドレインワイヤー２７１２ａと終端構成要素２７２６との間の、及びドレインワイヤー２７１２ｈと終端構成要素２７２２との間の終端接続を省略することにより、アセンブリ２７０１の製造が単純化及び効率化される。
【０１６７】
上記のパラメータｎ１、ｎ２、ｍ１及びｍ２に関し、ケーブルアセンブリ２７０１は、ｎ１＝２、ｎ２＝６、ｍ１＝１、及びｍ２＝３である。
【０１６８】
他の多くの実施形態が可能であるが、一般的に、接地が完了し、少なくとも１つの接地がケーブルの各端部において各終端位置に接続され、３つ以上がファンアウトケーブルであることを確実にするために、２つの分離接地接続（導体）を一緒に接続するためにケーブルの遮蔽を利用することが有利であり得る。これは、各ドレインワイヤーが、各終端点に接続される必要がないことを意味する。２つ以上のドレインワイヤーがいずれかの端部に接続されれば、接続が余分に形成され、故障しにくくなる。
【０１６９】
第５項：混合導体セットを有する遮蔽ケーブル
ここで、混合導体セット（例えば、ある導体セットは高速データ伝送に適合され、別の導体セットは電力伝送又は低速データ伝送に適合される）を利用し得る遮蔽リボンケーブルに関する更なる詳細を提供する。電力伝送又は低速データ伝送に適合された導体セットは、サイドバンドと称され得る。
【０１７０】
高速信号伝送におけるいくらかの相互接続及び規定される基準は、高速信号伝送（例えば、ｔｗｉｎａｘ又は同軸ワイヤー構成により提供される）、及び低速又は電力導体の両方を可能にし、その両方が導体における絶縁を必要とする。この例はＳＡＳ基準であり、これはミニ−ＳＡＳ４ｉ相互接続スキームに含まれる、高速対及び「サイドバンド」を規定する。ＳＡＳ基準は、サイドバンドの使用がその範囲外であり、ベンダー固有であることを示すが、一般的なサイドバンド使用はＳＧＰＩＯ（シリアル汎用入出力）バスである（業界仕様書ＳＦＦ−８４８５に記載）。ＳＧＰＩＯは１００ｋＨｚのみのクロック速度を有し、高速遮蔽ワイヤーを必要としない。
【０１７１】
本項はしたがって、ケーブル構成、線形接触子配列及び終端構成要素（例えば、パドルカード）構成を含め、高速信号及び低速信号（又は電力伝送）の両方を伝送するように調整されたケーブルの態様を焦点とする。一般的に、本明細書において他の部分で記載される、遮蔽された電気リボン様ケーブルが、僅かな修正と共に使用され得る。特に、開示される遮蔽ケーブルは、高速データ伝送に適合された導体セットに加え、高速信号伝送ではなく低速信号伝送に好適な構成の絶縁ワイヤーを含むように修正され得、かつドレイン／接地ワイヤーもまた含まれ得る。遮蔽ケーブルは、したがって、そのデータ速度が著しく異なる信号を伝送する、絶縁ワイヤーの少なくとも２つのセットを含み得る。したがって、電力導体の場合において、ラインはデータ速度を有さない。また、低速導体の導電経路が終端構成要素の反対の端部間（例えば、終端端部とコネクタ係合端部との間）で再経路指定される、高速／低速遮蔽ケーブルの組み合わせのための終端構成要素を開示する。
【０１７２】
換言すると、遮蔽電気ケーブルは、複数の導体セット及び第１遮蔽フィルムを含み得る。複数の導体セットは、ケーブルの長さに沿って延在してもよく、かつケーブルの幅に沿って互いに離間していてもよく、各導体セットは１つ以上の絶縁導体を含む。第１遮蔽フィルムはカバー部分及び挟まれた部分を含んでもよく、これらはカバー部分が導体セットを被覆し、挟まれた部分が各導体セットの各側部上のケーブルの挟まれた部分に配置されるように構成される。複数の導体セットは、高速データ伝送に適合された１つ以上の第１導体セットと、電力伝送又は低速データ伝送に適合された１つ以上の第２導体セットを含み得る。
【０１７３】
電気ケーブルはまた、ケーブルの第１遮蔽フィルムから反対側に配置される第２遮蔽フィルムを含み得る。ケーブルは、第１遮蔽フィルムと電気的に接触し、ケーブルの長さに沿って延在する、第１ドレインワイヤーを含み得る。１つ以上の第１導体セットは、σ１の中心間隔を有する複数の第１絶縁導体を含んでもよく、１つ以上の第２導体セットは、σ２の中心間隔を有する複数の第２絶縁導体を含む第２導体セットを含んでもよく、σ１はσ２よりも大きくすることができる。１つ以上の第１導体セットの絶縁導体は全て、ケーブルが平坦に配置される際に、単一平面に構成され得る。更に、１つ以上の第２導体セットは、ケーブルが平坦に配置された際に、積み重ねた構成で複数の絶縁導体を有する、第２導体セットを含み得る。１つ以上の第１導体セットは、少なくとも１Ｇｂｐｓ（すなわち、約０．５ＧＨｚ）から最大、例えば２５Ｇｂｐｓ（約１２．５ＧＨｚ）以上の最大データ伝送速度、又は少なくとも１ＧＨｚの最大信号周波数に適合されてもよく、１つ以上の第２導体セットは、１Ｇｂｐｓ（約０．５ＧＨｚ）未満又は０．５Ｇｂｐｓ（約２５０ＭＨｚ）未満の最大データ伝送速度、例えば、１ＧＨｚ又は０．５ＧＨｚ未満の最大信号周波数に適合されてもよい。１つ以上の第１導体セットが、少なくとも３Ｇｂｐｓ（約１．５ＧＨｚ）の最大データ伝送速度に適合され得る。
【０１７４】
このような電気ケーブルは、ケーブルの第１端部に配置される第１終端構成要素と組み合わされてもよい。第１終端構成要素は、基材及びその上に複数の導電経路を含んでもよく、複数の導電経路は、第１終端構成要素の第１端部上に構成された、各第１終端パッドを有してもよい。第１及び第２導体セットの遮蔽導体は、第１終端構成要素の第１端部で、第１終端パッドの各１つに、ケーブルの遮蔽導体の構成に適合するような順序構成で、接続してもよい。複数の導電経路は、第１端部の第１終端パッドのものとは異なる構成の、第１終端構成要素の第２端部上に構成される、対応する第２終端パッドを有し得る。
【０１７５】
電力伝送及び／又は低速データ伝送に適合された導体セットは、グループの又は個別の絶縁導体を含み、これらは、必ずしも互いに遮蔽される必要はなく、必ずしも関連する接地又はドレインワイヤーを必要とせず、及び特定のインピーダンスを有する必要がない。高速信号ペアを有するケーブル内にこれらを一緒に導入することの利益は、これらが１つの工程で位置合わせ及び終端され得ることである。これは、例えば、パドルカードへ自動的に位置合わせされることなく、いくつかのワイヤーグループを処理することを必要とする、従来的なケーブルとは異なる。低速信号及び高速信号の両方において、同時にストリッピングし、終端するプロセス（単一パドルカード上の線形配列、又は接触子の線形配列に）は、これ自体が混合信号ワイヤーである際に特に有利である。
【０１７６】
図２８ａ〜ｄは、混合信号ワイヤー機構を導入し得る、代表的な遮蔽電気ケーブル２８０２ａ、２８０２ｂ、２８０２ｃ及び２８０２ｄの正面断面図である。各実施形態は、本明細書の別の場所で記載されるように、好適なカバー部分及び挟まれた部分を有する、２つの相対する遮蔽フィルムを含み、いくつかの遮蔽導体は高速データ伝送に適合された導体セットにグループ化され（導体セット２８０４ａ参照）、いくつかの遮蔽導体は低速伝送又は電力伝送に適合された導体セットにグループ化される（導体セット２８０４ｂ、２８０４ｃ）。各実施形態はまた、好ましくは１つ以上のドレインワイヤー２８１２を含む。高速導体セット２８０４ａは、ｔｗｉｎａｘペアとして示されるが、本明細書の他の部分に記載されるように、他の構成もまた可能である。低速絶縁導体は高速絶縁導体よりも小さい（より小さい直径又は横方向寸法を有する）ものとして示されるがこれは、前者の導体が制御されたインピーダンスを有する必要がないためである。別の実施形態において、同じケーブル内の高速導体と比較して、低速導体の周囲でより大きい絶縁厚さを有することが必要であるか又は有利である場合がある。しかしながら、空間は多くの場合において重要であるため、可能な限り小さい絶縁厚さを形成することが望ましい。所与のケーブルの高速ラインと比較して低速ラインのゲージ及びメッキは異なる場合があることに留意する。図２８ａ〜ｄにおいて、高速及び低速絶縁導体は全て単一平面に構成される。このような構成において、ケーブル幅を可能な限り小さく維持するために、導体セット２８０４ｂにおいて、多数の低速絶縁導体を単一のセットに一緒にグループ化することが有利であり得る。
【０１７７】
低速絶縁導体をセットにグループ化する際、ケーブルがほぼ平坦な構成を維持するために、導体が正確に同じ幾何平面内に配置される必要はない。図２９の遮蔽ケーブル２９０２は例えば、導体セット２９０４ｂを形成するために小さな空間に一緒に重ねられた低速絶縁導体を使用し、ケーブル２９０２はまた、高速導体セット２９０４ａ及び２９０４ｃを含む。この方法で低速絶縁導体を積み重ねることは、小さく、狭いケーブル幅を提供することを助け得るが、マス終端の後に、規則的な線形様式で、導体を配列する（終端構成要素の線形配列の接触子と係合する）という利益を提供しないことがある。ケーブル２９０２はまた、示されるように、対向する遮蔽フィルム２９０８及びドレインワイヤー２９１２を含む。異なる数の低速絶縁導体を含む別の実施形態において、図２９ａのセット２９０４ｄ〜ｈに示されるような、低速絶縁導体のための積み重ね配列が使用され得る。
【０１７８】
混合信号ワイヤー遮蔽ケーブルの別の態様は、ケーブルと共に使用される終端構成要素に関連する。特に、終端構成要素の基材上の導体経路は、終端構成要素の一端の一構成（例えば、ケーブルの終端端部）から構成要素の反対の端部（例えば、コネクタの係合端部）の異なる構成に、低速信号を再経路指定するように構成され得る。異なる構成は例えば、終端構成要素の一端において他端に対し、異なる順番の接触子、又は導体経路を含み得る。構成要素の終端端部の構成は、ケーブルの導体の順序又は構成と適合するように調節され得る一方で、構成要素の反対側の端部の構成は、ケーブルのものとは異なる構成の回路基板又はコネクタ構成と適合するように調整され得る。
【０１７９】
再経路指定は、多層回路基板構成と組み合わせた１つ以上のビアを使用し、所与の導電経路をプリント基板の第１層から少なくとも第２層まで移行させ、その後、任意により第１層に戻るように移行させる、代表的な実施形態を含む、任意の好適な技術を使用することによって達成され得る。いくつかの例が、図３０ａ及び３０ｂの平面図に示される。
【０１８０】
図３０ａにおいて、ケーブルアセンブリ３００１ａは、基材及び上部の導電経路（例えば、接触パッドを含む）を有する、パドルカード又は回路基板などの、終端構成要素３０２０に接続された遮蔽電気ケーブル３００２を含む。ケーブル３００２は、例えば、高速データ通信に適合された、ｔｗｉｎａｘペアの形態の導体セット３００４ａを含む。ケーブル３００２はまた、低速データ及び／又は電力伝送に適合された導体セット３００４ｂを含む、サイドバンドを含み、導体セット３００４ｂは、この実施形態において４つの絶縁導体を有する。ケーブル３００２がマス終端された後、様々な導体セットの導体は、構成要素の第１端部３０２０ａで、終端構成要素３０２０の導電経路の各端部（例えば、接触パッド）に接続された（例えば、溶接により）導体端部を有する。ケーブルのサイドバンドに対応する導電経路の接触パッド又は他の端部は、３０１９ａ、３０１９ｂ、３０１９ｃ、３０１９ｄと標示され、これらは、終端構成要素３０２０の上部から下部まで、この順で構成される（しかし、高速導体と関連する他の接触パッドが、第１端部３０２０ａのサイドバンド接触パッドの上及び下に存在する）。図に概略的にのみ示される、サイドバンド接触パッド３０１９ａ〜ｄの導電経路は、必要に応じて、接触パッド３０１９ａを構成要素の第２端部３０２０ｂの接触パッド３０２１ａに接続し、接触パッド３０１９ｂを構成要素の第２端部３０２０ｂの接触パッド３０２１ｂに接続し、接触パッド３０１９ｃを構成要素の第２端部３０２０ｂの接触パッド３０２１ｃに接続し、接触パッド３０１９ｄを構成要素の第２端部３０２０ｂの接触パッド３０２１ｄに接続するために、構成要素３０２０のビア及び／又は他のパターン化層を使用する。このようにして、終端構成要素の導電経路は、導体セット３００４ｂからの低速信号を、終端構成要素の一方の端部３０２０ａの１つの構成（ａ−ｂ−ｃ−ｄ）から、構成要素の反対の端部３０２０ｂの異なる構成（ｄ−ａ−ｃ−ｂ）に再経路指定するように構成される。
【０１８１】
図３０ｂは、別のケーブルアセンブリ３００１ｂの平面図を示し、同様の参照番号が、同じ又は同様の部分を指定するために使用される。図３０ｂにおいて、ケーブル３００２は、図３０ａの終端構成要素３０２０と同様の設計である、終端構成要素３０２２へとマス終端され、接続される。同様の構成要素３０２０、構成要素３０２２は、ケーブル３００２のサイドバンドに対応する導電経路の接触パッド又は他の端部を含み、接触パッドは、３０２３ａ、３０２３ｂ、３０２３ｃ、３０２３ｄと標示され、これらは、終端構成要素３０２２の上部から下部まで、この順で構成される（しかし、ケーブルの高速導体と関連する他の接触パッドが、構成要素３０２２の第１端部３０２２ａのサイドバンド接触パッドの上及び下に存在する）。サイドバンド接触パッド３０２３ａ〜ｄの導電経路がやはり、図において概略的にのみ示される。これらは、必要に応じて、接触パッド３０２３ａを構成要素の第２端部３０２２ｂの接触パッド３０２５ａに接続し、接触パッド３０２３ｂを構成要素の第２端部３０２２ｂの接触パッド３０２５ｂに接続し、接触パッド３０２３ｃを構成要素の第２端部３０２２ｂの接触パッド３０２５ｃに接続し、接触パッド３０２３ｄを構成要素の第２端部３０２２ｂの接触パッド３０２５ｄに接続するために、構成要素３０２２のビア及び／又は他のパターン化層を使用する。このようにして、終端構成要素の導電経路は、導体セット３００４ｂからの低速信号を、終端構成要素の一方の端部３０２２ａの１つの構成（ａ−ｂ−ｃ−ｄ）から、構成要素の反対の端部３０２２ｂの異なる構成（ｄ−ａ−ｃ−ｂ）に再経路指定するよう３０２２ｂに構成される。
【０１８２】
図３０ａ及び図３０ｂのケーブルアセンブリは、両方の場合において、他の低速信号の他の導電経路にわたって、低速信号の導電経路を物理的に再経路指定するが、高速信号の任意の導電経路にわたってしない、という点において互いに同様である。この点において通常、高品質高速信号を維持するため、高速信号経路にわたって低速信号を経路指定することは望ましくない。しかしながら、いくつかの状況において、適切な遮蔽を備えて（例えば、多層回路基板及び適切な遮蔽層）、図３１に示される、高速信号の限定的な信号劣化により達成され得る。ここで、マス終端された遮蔽電気ケーブル３１０２は、終端構成要素３１２０に接続する。ケーブル３１０２は、例えば、高速データ通信に適合された、ｔｗｉｎａｘペアの形態の導体セット３１０４ａを含む。ケーブル３１０２はまた、低速データ及び／又は電力伝送に適合された導体セット３１０４ｂを含む、サイドバンドを含み、導体セット３００４ｂは、この実施形態において１つの絶縁導体を有する。ケーブル３１０２がマス終端された後、様々な導体セットの導体は、構成要素の第１端部３１２０ａで、終端構成要素３１２０の導電経路の各端部（例えば、接触パッド）に接続された（例えば、溶接により）導体端部を有する。ケーブルのサイドバンドと対応する導電経路の接触パッド又は他の端部は、３１１９ａと標示され、これは導体セット３１０４ａの真ん中の１つの接触パッドの真上（図３１の視点から）に構成される。サイドバンド接触パッド３１１９ａの導電経路（図中に概略的にのみ示される）は、接触パッド３１１９ａを、構成要素の第２端部３１２０ｂの接触パッド３１２１ａに接続するため、必要に応じて構成要素３１２０のビア及び／又は他のパターン化層を使用する。このようにして、終端構成要素の導体経路は、導体セット３１０４ｂからの低速信号を、終端構成要素の一端３１２０ａの１つの構成（導体セット３１０４ａの真ん中の１つの真上）から構成要素の反対側の端部３１２０ｂの異なる構成（導体セット３１０４ａの真ん中の１つの接触パッドの真下）に再経路指定するように構成される。
【０１８３】
図２８ａのケーブル２８０２ａの一般設計を有する、混合信号線遮蔽電気ケーブルが作製された。図２８ａに示されるように、ケーブルは、４つの高速ｔｗｉｎａｘ導体セット及びケーブルの真ん中に配置される１つの低速導体セットを含む。ケーブルは、ｔｗｉｎａｘ導電セットの高速信号線のために３０ゲージ（ＡＷＧ）（０．０５１ｍｍ２）銀メッキワイヤー、及び低速導体セットの低速信号線の３０ゲージ（ＡＷＧ）（０．０５１ｍｍ２）スズメッキワイヤーを使用して作製された。高速信号線に使用される絶縁材料の外径（ＯＤ）、は約０．０２８インチ（０．０７１ｃｍ）であり、低速ワイヤーに使用される絶縁材料のＯＤは約０．０２２インチ（０．０５６ｃｍ）であった。図２８ａに示されるように、ドレインワイヤーはまた、ケーブルの各縁部に沿って含まれた。ケーブルはマス終端され、個別のワイヤー端部は、ミニ−ＳＡＳ適合性のパドルカードの対応する接点にはんだ付けされた。この実施形態において、パドルカードワイヤーの全ての導電経路は、接触パッド構成がパドルカードの両端において同じであるように、パドルカードのケーブル端部から、反対側（コネクタ）端部まで、互いに交差すること無く経路指定された。生じる終端されたケーブルアセンブリの写真が図３２に示される。
【０１８４】
特に指定されない限り、本明細書及び特許請求の範囲において使用する、数量、特性の測定値などを表す全ての数値は、「約」という語で修飾されるものとして理解されるべきである。したがって、そうでない旨が指定されない限り、上記の明細書及び特許請求の範囲において記載された数値パラメータは、本出願の教示を利用する当業者が得ようと求める望ましい特性に応じて変化し得る概算値である。均等論を特許請求の範囲の範疇に適用することを制限しようとする試みとしてではなく、各数値パラメータは少なくとも、記録された有効数字の桁数を考慮して、又通常の四捨五入を適用することによって解釈されるべきである。本発明の広範な範囲を示す数値範囲及びパラメータは近似であるにも拘わらず、いかなる数値も本明細書で述べられる具体的な例で示される程度に、これらは妥当に可能な限り精確に報告される。しかしながら、いかなる数値も試験及び測定の限界に関連する誤差を含み得る。
【０１８５】
本発明の様々な修正及び変更は、本発明の範囲及び趣旨から逸脱せずに当該技術分野の当業者に明らかとであり、本発明は、ここに記載された例示的な実施形態に限定されないことが理解されるべきである。例えば、１つの開示実施形態の特徴は、別に記載のない限り、他の開示実施形態全てにも適用され得ることを、読者は推定すべきである。また、本明細書において参照された全ての米国特許、公開特許出願、並びに他の特許及び非特許文書は、それらが上述の開示に矛盾しない範囲において、参照によって全てが組み込まれることが理解されるべきである。
【０１８６】
以下の項目は、本発明の態様による電気ケーブル構成の代表的な実施形態である。
【０１８７】
項目１は、遮蔽電気リボンケーブルであって、この遮蔽電気リボンケーブルは、ケーブルに沿って長さ方向に延在し、ケーブルの幅に沿って互いに離間した複数の導体セットであって、各導体セットは１つ以上の絶縁導体を含み、導体セットは第２導体セットに隣接する第１導体セットを含む、複数の導体セットと、ケーブルの両側に配置された第１及び第２遮蔽フィルムであって、第１及び第２遮蔽フィルムはカバー部分及び挟まれた部分を含み、横方向断面において組み合わされた第１及び第２フィルムのカバー部分が各導体セットを囲み、組み合わされた第１及び第２フィルムの挟まれた部分が各導体セットのそれぞれの側にケーブルの挟まれた部分を形成するように構成された、第１及び第２遮蔽フィルムとを含み、ケーブルが平坦に配置される際に、第１導体セットの第１絶縁導体は第２導体セットに最も近く、第２導体セットの第２絶縁導体が第１導体セットに最も近く、第１及び第２絶縁導体は中心間隔Ｓを有し、絶縁導体が外径Ｄ１を有し、第２絶縁導体が外径Ｄ２を有し、Ｓ／Ｄｍｉｎは１．７〜２の範囲であり、ＤｍｉｎはＤ１及びＤ２の小さい方である。
【０１８８】
項目２は、複数の導体セットの隣接する導体セットの各ペアが、１．７〜２の範囲の、Ｓ／Ｄｍｉｎに対応する値を有する、項目１のケーブルである。
【０１８９】
項目３は、複数の導体セットのそれぞれが、一対の絶縁導体のみを有し、第１導体セットの絶縁導体の対の中心間隔は、σ１であり、第１及び第２導体セットの中心間隔はΣであり、Σ／σ１は、２．５〜３の範囲である、項目１のケーブルである。
【０１９０】
項目４は、遮蔽電気リボンケーブルであって、遮蔽電気リボンケーブルは、ケーブルの長さ方向に延在し、ケーブルの幅に沿って互いに離間した複数の導体セットであって、各導体セットは１つ以上の絶縁導体を含み、導体セットは第２導体セットに隣接する第１導体セットを含み、第１及び第２導体セットはそれぞれ１対の絶縁導体のみを有する、複数の導体セットと、ケーブルの両側に配置された第１及び第２遮蔽フィルムであって、第１及び第２フィルムがカバー部分及び挟まれた部分を含み、横方向断面において組み合わせた第１及び第２フィルムが各導体セットを実質的に囲み、組み合わせた第１及び第２フィルムの挟まれた部分が各導体セットのそれぞれの側にケーブルの挟まれた部分を形成するように構成され、ケーブルが平坦に配置される際に、第１導体セットの絶縁導体の対の中心間隔がσ１であり、第１及び第２導体セットの中心間隔がΣであり、Σ／σ１が２．５〜３の範囲である。
【０１９１】
項目５は、各導体セットは一対の絶縁導体のみを含み、導体セットが全体として、σａｖｇの、絶縁導体の対の平均中心間隔を有し、全体として、Σａｖｇの隣接する導体セットの平均中心間隔を有し、Σａｖｇ／σａｖｇは、２．５〜３の範囲である、項目４のケーブルである。
【０１９２】
項目６は、組み合わされた第１及び第２遮蔽フィルムのカバー部分が、各導体セットの外辺部の少なくとも７５％を囲むことによって、各導体セットを実質的に囲む、項目１又は項目４いずれかのケーブルである。
【０１９３】
項目７は、第１導体セットが３〜１５ＧＨｚの範囲の特定の周波数における、１メートルケーブル長さでのクロストークＣ１によって特徴付けられる隣接する絶縁導体の間の高周波分離を有し、第１導体セットと第２導体セットとの間の高周波分離は、その特定の周波数におけるクロストークＣ２によって特徴付けられ、Ｃ２はＣ１よりも少なくとも１０ｄＢ低い、項目１又は項目４いずれかのケーブルである。
【０１９４】
項目８は、各遮蔽フィルムが誘電性基材上に配置された導電性層を含む、項目１又は項目４のいずれかのケーブルである。
【０１９５】
項目９は、第１及び第２遮蔽フィルムの少なくとも一方と電気接触する第１ドレインワイヤーを更に含む、項目１又は項目４のいずれかのケーブルである。
【０１９６】
項目１０は、第１ドレインワイヤーが、ケーブルの幅に沿って複数の導体セットから離間される、項目９のケーブルである。
【０１９７】
項目１１は、横方向断面において、組み合わされた第１及び第２遮蔽フィルムが第１ドレインワイヤーを実質的に囲む、項目９に記載のケーブルである。
【０１９８】
項目１２は、第１ドレインワイヤーが、最も近い導体セットの最も近い絶縁ワイヤーへのドレインワイヤー距離σ１によって特徴付けられ、最も近い導体セットがσ２の絶縁導体の中心間隔によって特徴付けられ、σ１／σ２が０．７超である、項目９のケーブルである。
【０１９９】
項目１３は、ケーブルが第１ドレインワイヤー以外のドレインワイヤーを含まない、項目９のケーブルである。
【０２００】
項目１４は、複数の導体セットが、少なくとも８つの導体セットを含み、各導体セットは一対の絶縁導体のみを含み、ケーブルの幅はケーブルが平坦に配置された際に１６ｍｍ以下である、項目９のケーブルである。
【０２０１】
項目１５は、複数の差動ペアが第１ドレインワイヤーと第２ドレインワイヤーとの間に配置されるように、第２ドレインワイヤーは、ケーブルの幅に沿って複数の作動ペアから離間している、項目９のケーブルである。
【０２０２】
項目１６は、第１及び第２ドレインワイヤー以外にドレインワイヤーを含まない、項目１５のケーブルである。
【０２０３】
項目１７は、複数の導体セットが、少なくとも８つの導体セットを含み、各導体セットは一対の絶縁導体のみを含み、ケーブルの幅はケーブルが平坦に配置された際に１６ｍｍ以下である、項目１５のケーブルである。
【０２０４】
項目１８は、各導体セットにおいて、第１及び第２フィルムのカバー部分が、導体セットのそれぞれの側の挟まれたケーブルに関連する間隙を除いて、導体セットを囲む、項目１又は項目４のいずれかのケーブルである。
【０２０５】
項目１９は、間隙が材料によって充填され、これが平坦化されたケーブル部分において第１及び第２フィルムを一緒に結合する、項目１８のケーブルである。
【０２０６】
項目２０は、各導体セットが、第１絶縁材料によって囲まれた第１導体と、第２絶縁材料によって囲まれた第２導体とを含み、各導体セットにおいて、第１遮蔽フィルムのカバー部分が、第１導体と同心状である第１部分と、第２導体と同心状である第２部分とを含む、項目１又は項目４のケーブルである。
【０２０７】
項目２１は、基材の第１端部から第２端部へと延在する、複数の導電経路を上部に有する複数の導電経路を有する基材と組み合わされ、ケーブルの絶縁導体の個別の導体が、基材の第１端部が、基材の第１端部において導電経路の対応する１つに取り付けられる、項目１又は項目４のケーブルである。
【０２０８】
項目２２は、対応する導電経路の全部が基材の一方の主表面上に配置される、項目２１の組み合わせ。
【０２０９】
項目２３は、対応する導電経路の少なくとも一方が、基材の一方の主表面上に配置され、対応する導電経路の少なくとも別のものが、基材の反対側の主表面上に配置される、項目２１の組み合わせである。
【０２１０】
項目２４は、導電経路の少なくとも１つが、第１端部において基材の第１主表面に第１部分を有し、第２端部において基材の反対側の第２主表面上に第２部分を有する、項目２１の組み合わせである。
【０２１１】
項目２５は、導体セットの交互の１つが、基材の両側の主表面上の導電経路に取り付けられる、項目２１の組み合わせである。
【０２１２】
項目２６は、基材がパドルカードを含む、項目２１の組み合わせである。
【０２１３】
項目２７は、遮蔽電気ケーブルであって、遮蔽電気ケーブルは、ケーブルの長さに沿って延在し、ケーブルの幅に沿って互いに離間した複数の導体セットであって、各導体セットは１つ以上の絶縁導体を含む、複数の導体セットと、カバー部分及び挟まれた部分を含み、これらは、カバー部分が導体セットを被覆し、挟まれた部分が、各導体セットのそれぞれの側のケーブルの挟まれた部分に配置されるように構成される、第１遮蔽フィルムと、第１遮蔽フィルムと電気接触し、またケーブルの長さに沿って延在する第１ドレインワイヤーとを含み、第１ドレインワイヤーの第１遮蔽フィルムへの電気接触子は、少なくとも第１処理領域に局部化される。
【０２１４】
項目２８は、第１処理領域における、第１遮蔽フィルムへの第１ドレインワイヤーの電気接触子は、２Ω未満の直流抵抗によって特徴付けられる、項目２７のケーブルである。
【０２１５】
項目２９は、第１遮蔽フィルムは第１処理領域及び第２領域で第１ドレインワイヤーを被覆し、第２領域は少なくとも第１処理領域と同等に長く、第１ドレインワイヤーと第１遮蔽フィルムとの間の直流抵抗は第２領域において１００Ωより大きい、項目２８のケーブルである。
【０２１６】
項目３０は、誘電体材料は第２領域において第１ドレインワイヤーを第１遮蔽フィルムから分離し、第１処理領域においては、誘電材料により、第１ドレインワイヤーの第１遮蔽フィルムからの分離が殆ど又は全く存在しない、項目２９のケーブルである。
【０２１７】
項目３１は、第１遮蔽フィルムへの第１ドレインワイヤーの電気接触子はまた、ケーブルの長さに沿って第１処理領域から離間した第２処理領域に局部化される、項目２７のケーブルである。
【０２１８】
項目３２は、ケーブルの長さに沿って延在し、第１ドレインワイヤーから離間する、第１遮蔽フィルムと電気的に接触する第２ドレインワイヤーを更に含み、第１遮蔽フィルムへの第２ドレインワイヤーの電気接触子は第２処理領域で局部化される、項目２７のケーブルである。
【０２１９】
項目３３は、第２処理領域が、第１処理領域とは異なる、ケーブルの長さ方向位置に配置される、項目３２のケーブルである。
【０２２０】
項目３４は、第２処理領域が、第１処理領域が第１遮蔽フィルムとの、いかなる局部電気接触をも有さない、ケーブルの長さ方向位置に配置される、項目３２のケーブルである。
【０２２１】
項目３５は、カバー部分及び挟まれた部分も含む第２遮蔽フィルムを更に含み、第１及び第２遮蔽フィルムは、ケーブルの両側に配置され、かつ横方向断面において、組み合わされた第１フィルム及び第２フィルムのカバー部分が各導体セットを実質的に囲み、組み合わされた第１及び第２フィルムの挟まれた部分が各導体セットのそれぞれの側のケーブルの挟まれた部分を形成する、項目２７のケーブルである。
【０２２２】
項目３６は、第１処理領域で、局部化された方法により、第１ドレインワイヤーがまた第２遮蔽フィルムと電気接触している、項目３５のケーブルである。
【０２２３】
項目３７は、組み合わされた第１及び第２遮蔽フィルムのカバー部分が、各導体セットの外辺部の少なくとも７５％を囲むことによって、各導体セットを実質的に囲む、項目３５のケーブルである。
【０２２４】
項目３８は、各導体セットにおいて、第１及び第２遮蔽フィルムのカバー部分が、導体セットのそれぞれの側の挟まれたケーブルに関連する間隙を除いて、導体セットを囲む、項目３５のケーブルである。
【０２２５】
項目３９は、間隙が材料によって充填され、これが平坦化されたケーブル部分において第１及び第２フィルムを一緒に結合する、項目３８のケーブルである。
【０２２６】
項目４０は、ケーブルの長さに沿って延在し、ケーブルの幅に沿って互いに離間した複数の導体セットであって、各導体セットは１つ以上の絶縁導体を含む、複数の導体セットと、カバー部分及び挟まれた部分を含み、これらは、カバー部分が導体セットを被覆し、挟まれた部分が、各導体セットのそれぞれの側のケーブルの挟まれた部分に配置されるように構成される、第１遮蔽フィルムと、ケーブルの長さに沿って延在する第１ドレインワイヤーとを含むケーブルを提供する工程と、第１処理領域でケーブルを選択的に処理して、第１処理領域において第１遮蔽フィルムへの第１ドレインワイヤーの電気接触を局部的に増加又は形成する工程とを含む、遮蔽電気ケーブルを作製する方法である。
【０２２７】
項目４１は、第１処理領域において第１ドレインワイヤーと第１遮蔽フィルムとの間の直流抵抗は、選択的な処理の前において１００Ω超であり、選択的な処理の後において２Ω未満である、項目４０の方法である。
【０２２８】
項目４２は、選択的に処理する工程は、第１処理領域においてケーブルに力を選択的に適用する工程を含む、項目４０の方法である。
【０２２９】
項目４３は、選択的に処理する工程は、第１処理領域においてケーブルを選択的に加熱する工程を含む、項目４０の方法である。
【０２３０】
項目４４は、ケーブルがケーブルの長さに沿って延在するが、第１ドレインワイヤーから離間した第２ドレインワイヤーも含み、選択的な処理が、第１遮蔽フィルムへの第２ドレインワイヤーの電気接触を実質的に増加又は形成させない、項目４０の方法である。
【０２３１】
項目４５は、カバー部分及び挟まれた部分も含む第２遮蔽フィルムを更に含み、第１及び第２遮蔽フィルムは、ケーブルの両側に配置され、かつ横方向断面において、組み合わされた第１フィルム及び第２フィルムのカバー部分が各導体セットを実質的に囲み、組み合わされた第１及び第２フィルムの挟まれた部分が各導体セットのそれぞれの側のケーブルの挟まれた部分を形成し、第１ドレインワイヤーが第１遮蔽フィルムと第２遮蔽フィルムとの間に配置される、項目４０の方法である。
【０２３２】
項目４６は、選択的な処理はまた、第１処理領域において、第２遮蔽フィルムへの第１ドレインワイヤーの電気的接触を局部的に増加又は形成させる、項目４５の方法である。
【０２３３】
項目４７は、遮蔽電気ケーブルであって、遮蔽電気ケーブルは、ケーブルの長さに沿って延在し、ケーブルの幅に沿って互いに離間した複数の導体セットであって、各導体セットは１つ以上の絶縁導体を含む、複数の導体セットと、カバー部分及び挟まれた部分を含み、これらは、カバー部分が導体セットを被覆し、挟まれた部分が、各導体セットのそれぞれの側のケーブルの挟まれた部分に配置されるように構成される、第１遮蔽フィルムと、ケーブルの長さに沿って延在する第１及び第２ドレインワイヤーであって、第１及び第２ドレインワイヤーは、少なくともこれらの両方が第１遮蔽フィルムと電気接触することの結果として、互いに電気的に接続される、第１及び第２ドレインワイヤーとを含む。
【０２３４】
項目４８は、カバー部分及び挟まれた部分もまた含む、第２遮蔽フィルムであって、第１及び第２遮蔽フィルムは、ケーブルの両側に配置され、かつ横方向断面において、組み合わされた第１及び第２フィルムのカバー部分は各導体セットを実質的に囲み、組み合わせた第１及び第２フィルムの挟まれた部分は各導体セットのそれぞれの側のケーブルの挟まれた部分を形成し、第１及び第２ドレインワイヤーはまた、少なくともこれらの両方が第２遮蔽フィルムと電気接触することの結果として、互いに電気接触している、項目４７のケーブルである。
【０２３５】
項目４９は、第１遮蔽フィルムと第１ドレインワイヤーとの間の直流抵抗が１０Ω未満であり、第２遮蔽フィルムと第１ドレインワイヤーとの間の直流抵抗が１０Ω未満である、項目４８のケーブルである。
【０２３６】
項目５０は、第１遮蔽フィルムと第１ドレインワイヤーとの間の直流抵抗が２Ω未満であり、第２遮蔽フィルムと第１ドレインワイヤーとの間の直流抵抗が２Ω未満である、項目４９のケーブルである。
【０２３７】
項目５１は、ケーブルの第１端部において１つ以上の第１終端構成要素と、ケーブルの第２端部において１つ以上の第２終端構成要素と組み合わされた、項目４７のケーブルである。
【０２３８】
項目５２は、第１及び第２ドレインワイヤーが、ケーブルの長さに沿って延在する複数のドレインワイヤーの部材であり、数ｎ１のドレインワイヤーが１つ以上の第１終端構成要素に接続し、数ｎ２のドレインワイヤーが１つ以上の第２終端構成要素に接続し、ｎ１≠ｎ２である、項目５１の組み合わせである。
【０２３９】
項目５３は、１つ以上の第１終端構成要素が、全部で数ｍ１の第１終端構成要素を有し、１つ以上の第２終端構成要素が、全部で数ｍ２の第２終端構成要素を有する、項目５２の組み合わせである。
【０２４０】
項目５４は、ｎ２＞ｎ１、かつｍ２＞ｍ１である、項目５３の組み合わせである。
【０２４１】
項目５５は、ｍ１＝１である、項目５４の組み合わせである。
【０２４２】
項目５６は、ｍ１＝ｍ２である、項目５３の組み合わせである。
【０２４３】
項目５７は、ｍ１＝１である、項目５６の組み合わせである。
【０２４４】
項目５８は、ｍ１＜ｍ２である、項目５３の組み合わせである。
【０２４５】
項目５９は、ｍ１＞１及びｍ２＞１である、項目５３の組み合わせである。
【０２４６】
項目６０は、第１ドレインワイヤーは１つ以上の第１終端構成要素に電気的に接続し、１つ以上の第２終端構成要素に電気的に接続する、項目５１の組み合わせである。
【０２４７】
項目６１は、第２ドレインワイヤーは１つ以上の第１終端構成要素に電気的に接続し、１つ以上の第２終端構成要素に電気的に接続する、項目６０の組み合わせである。
【０２４８】
項目６２は、遮蔽電気ケーブルであって、遮蔽電気ケーブルは、ケーブルの長さに沿って延在し、ケーブルの幅に沿って互いに離間した複数の導体セットであって、各導体セットは１つ以上の絶縁導体を含む、複数の導体セットと、カバー部分及び挟まれた部分を含み、これらは、カバー部分が導体セットを被覆し、挟まれた部分が、各導体セットのそれぞれの側のケーブルの挟まれた部分に配置されるように構成される、第１遮蔽フィルムとを含み、複数の導体セットは高速データ伝送に適合される１つ以上の導体セット、及び電力伝送又は低速データ伝送に適合された１つ以上の第２導体セットを含む。
【０２４９】
項目６３は、カバー部分及び挟まれた部分も含む第２遮蔽フィルムを更に含み、第１及び第２遮蔽フィルムは、ケーブルの両側に配置され、かつ横方向断面において、組み合わされた第１フィルム及び第２フィルムのカバー部分が各導体セットを実質的に囲み、組み合わされた第１及び第２フィルムの挟まれた部分が各導体セットのそれぞれの側のケーブルの挟まれた部分を形成する、項目６２のケーブルである。
【０２５０】
項目６４は、第１遮蔽フィルムと電気接触し、またケーブルの長さに沿って延在する、項目６２のケーブルである。
【０２５１】
項目６５は、第１遮蔽フィルムと、第１ドレインワイヤーとの間の直流抵抗が１０Ω未満である、項目６４のケーブルである。
【０２５２】
項目６６は、第１遮蔽フィルムと、第１ドレインワイヤーとの間の直流抵抗が２Ω未満である、項目６５のケーブルである。
【０２５３】
項目６７は、１つ以上の第１導体セットが、σ１の中心間隔を有する複数の第１絶縁導体を含む第１導体セットを含み、１つ以上の第２導体セットが、σ２の中心間隔を有する複数の第２絶縁導体を含む第２導体セットを含みσ１＞σ２である、項目６２に記載のケーブルである。
【０２５４】
項目６８は、１つ以上の第１導体セットの絶縁導体が、ケーブルが平坦に配置された際の全て単一の平面に構成される、項目６２のケーブルである。
【０２５５】
項目６９は、１つ以上の第２導体セットが、ケーブルが平坦に配置された際に、積み重ねた構成の複数の絶縁導体を有する第２導体セットを含む、項目６８のケーブルである。
【０２５６】
項目７０は、１つ以上の第１導体セットが少なくとも１Ｇｂｐｓの最大データ伝送速度に適合され、１つ以上の第２導体セットが１Ｇｂｐｓ未満の最大データ伝送速度に適合される、項目６２のケーブルである。
【０２５７】
項目７１は、１つ以上の第１導体セットが、少なくとも３Ｇｂｐｓの最大データ伝送速度に適合されている、項目７０のケーブルである。
【０２５８】
項目７２は、ケーブルの第１端部に配置された第１終端構成要素と組み合わせた項目６２のケーブルである。
【０２５９】
項目７３は、第１終端構成要素は基材及び上部の複数の導電経路を含み、複数の導電経路は第１終端構成要素の第１端部上に配置された各第１終端パッドを有し、第１及び第２導体セットの遮蔽導体は、ケーブルの遮蔽導体の構成と適合する順番で構成された第１終端構成要素の第１端部において第１終端パッドの各１つと接続する、項目７２の組み合わせである。
【０２６０】
項目７４は、複数の導電経路が、第１端部の第１終端パッドとは異なる構成で第１主端構成要素の第２端部に構成された、各第２終端パッドを有する、項目７３の組み合わせである。
【０２６１】
項目７５は、第１終端構成要素がパドルカードを含む、項目７２の組み合わせである。
【０２６２】
項目７６は、請求項６２に記載のケーブルを提供することと、絶縁材料を、ケーブルの第１端部の１つ以上の第１及び第２導体の絶縁導体から同時にストリッピングすることとを含む、遮蔽ケーブルの終端方法である。
【０２６３】
項目７７は、上部に複数の第１導電経路を有する、１つ以上の第１基材を含む１つ以上の第１終端構成要素を提供する工程と、ケーブルの第１端部のストリッピングした導体を複数の第１導電経路に取り付ける工程とを更に含む、項目７６の方法である。
【０２６４】
項目７８は、ストリッピングされた導体が、ケーブルの第１端部の複数の第１導電経路へと、ケーブルの遮蔽導体の構成に適合する順番の構成で、取り付けられる、項目７７の方法である。
【０２６５】
項目７９は、１つ以上の第１終端構成要素が第１パドルカードを含む、項目７７の方法である。
【０２６６】
項目８０は、ケーブルの第１端部と反対側の第２端部において、絶縁材料を１つ以上の第１及び第２導体セットの絶縁導体から同時にストリッピングする工程を更に含む、項目７７の方法である。
【０２６７】
項目８１は、上部に複数の第２導電経路を有する、１つ以上の第２基材を含む１つ以上の第２終端構成要素を提供する工程と、ケーブルの第２端部のストリッピングした導体を複数の第２導電経路に取り付ける工程とを更に含む、項目８０の方法である。
【０２６８】
項目８２は、ケーブルの第２端部のストリッピングされた導体を複数の第２導体経路に取り付ける工程は、ストリッピングされた導体が、ケーブルの第２端部における複数の第２導体経路へと、ケーブルの遮蔽導体の構成に適合するような順番の構成で取り付けられるようにして実行される、項目８１の方法である。
【０２６９】
項目８３は、１つ以上の第２終端構成要素が第２パドルカードを含む、項目８１の方法である。
【０２７０】
以上、好適な実施形態の説明を目的として特定の実施形態を本明細書に図示、説明したが、同様の目的を達成することが予想される広範な代替的かつ／又は同等の実施の態様を、本発明の範囲を逸脱することなく、図示及び説明された特定の実施形態に置き換えることができる点は当業者には認識されるであろう。機械的、電気機械的、及び電気的分野における当業者であれば、本発明が広範な実施形態で実施しうる点は直ちに認識されるであろう。本出願は、本明細書で考察した好適な実施形態のあらゆる適合形態又は変形例を含むものである。したがって、本発明が特許請求の範囲及びその均等物によってのみ限定される点を明示するものである。
【図１】
0006025665.tif 000002
【図２ａ】
0006025665.tif 000003
【図２ｂ】
0006025665.tif 000004
【図２ｃ】
0006025665.tif 000005
【図２ｄ】
0006025665.tif 000006
【図２ｅ】
0006025665.tif 000007
【図２ｆ】
0006025665.tif 000008
【図２ｇ】
0006025665.tif 000009
【図３ａ】
0006025665.tif 000010
【図３ｂ】
0006025665.tif 000011
【図３ｃ】
0006025665.tif 000012
【図３ｄ】
0006025665.tif 000013
【図４ａ】
0006025665.tif 000014
【図４ｂ】
0006025665.tif 000015
【図４ｃ】
0006025665.tif 000016
【図５ａ】
0006025665.tif 000017
【図５ｂ】
0006025665.tif 000018
【図５ｃ】
0006025665.tif 000019
【図６ａ】
0006025665.tif 000020
【図６ｂ】
0006025665.tif 000021
【図６ｃ】
0006025665.tif 000022
【図７ａ】
0006025665.tif 000023
【図７ｂ】
0006025665.tif 000024
【図８ａ】
0006025665.tif 000025
【図８ｂ】
0006025665.tif 000026
【図９】
0006025665.tif 000027
【図１０】
0006025665.tif 000028
【図１１ａ】
0006025665.tif 000029
【図１１ｂ】
0006025665.tif 000030
【図１２】
0006025665.tif 000031
【図１３】
0006025665.tif 000032
【図１４】
0006025665.tif 000033
【図１５】
0006025665.tif 000034
【図１６】
0006025665.tif 000035
【図１７ａ】
0006025665.tif 000036
【図１７ｂ】
0006025665.tif 000037
【図１８ａ】
0006025665.tif 000038
【図１８ｂ】
0006025665.tif 000039
【図１９】
0006025665.tif 000040
【図２０ａ】
0006025665.tif 000041
【図２０ｂ】
0006025665.tif 000042
【図２１】
0006025665.tif 000043
【図２２ａ】
0006025665.tif 000044
【図２２ｂ】
0006025665.tif 000045
【図２３】
0006025665.tif 000046
【図２４ａ】
0006025665.tif 000047
【図２４ｂ】
0006025665.tif 000048
【図２４ｃ】
0006025665.tif 000049
【図２５】
0006025665.tif 000050
【図２６ａ】
0006025665.tif 000051
【図２６ｂ】
0006025665.tif 000052
【図２７ａ】
0006025665.tif 000053
【図２７ｂ】
0006025665.tif 000054
【図２８ａ】
0006025665.tif 000055
【図２８ｂ】
0006025665.tif 000056
【図２８ｃ】
0006025665.tif 000057
【図２８ｄ】
0006025665.tif 000058
【図２９】
0006025665.tif 000059
【図２９ａ】
0006025665.tif 000060
【図３０ａ】
0006025665.tif 000061
【図３０ｂ】
0006025665.tif 000062
【図３１】
0006025665.tif 000063
【図３２】
0006025665.tif 000064